(57)【要約】  本発明の実施形態は、チャネル品質情報報告方法、装置およびシステムを提供し、通信技術の分野に関連し、ＵＥによるチャネル品質情報の報告のオーバーヘッドを低減する。方法は、ユーザ機器ＵＥによるチャネル品質情報の報告の報告方式を基地局が取得する段階と、報告方式を使用してＵＥによって報告されるチャネル品質情報を受信する段階と、報告方式に基づいてチャネル品質情報を復調する段階とを備える。方法は、基地局がビームフォーミング技術を使用することによってダウンリンク信号をＵＥへ送信するプロセスに適用される。
2019530369.tif 000002
【特許請求の範囲】
【請求項１】
チャネル品質情報報告方法であって、
基地局が、ユーザ機器ＵＥによるチャネル品質情報の報告の報告方式を取得する段階と、
前記基地局が、前記ＵＥによって報告される前記チャネル品質情報を受信する段階であって、前記チャネル品質情報は、前記ＵＥが前記報告方式を使用することによって報告する、段階と、
前記基地局が、前記報告方式に基づいて前記チャネル品質情報を復調する段階とを備える方法。
【請求項２】
前記報告方式は、報告粒度、報告範囲および報告モードのうちの少なくとも１つを含む、請求項１に記載の方法。
【請求項３】
前記報告モードは、第１報告モードおよび第２報告モードを含み、前記第１報告モードにおいて前記ＵＥによって前記チャネル品質情報を報告するためのビット数は、前記第２報告モードにおいて前記ＵＥによって前記チャネル品質情報を報告するためのビット数より大きい、または、それに等しい、請求項２に記載の方法。
【請求項４】
前記第１報告モードは非差分報告モードであり、前記第２報告モードは差分報告モードである、請求項３に記載の方法。
【請求項５】
前記基地局が、前記ＵＥによって報告される前記チャネル品質情報を受信する前記段階は、
前記基地局が、前記ＵＥによって報告される前記チャネル品質情報を物理チャネルから受信する段階であって、前記物理チャネルは、物理アップリンク制御チャネルおよび物理アップリンク共有チャネルのうちの少なくとも１つを含む、段階を含む、請求項１から４のいずれか一項に記載の方法。
【請求項６】
前記報告方式は少なくとも前記報告粒度を含み、前記報告粒度は第１報告粒度および第２報告粒度を含み、前記第１報告粒度は、前記物理アップリンク制御チャネルでの前記ＵＥによる前記チャネル品質情報の報告の報告粒度であり、前記第２報告粒度は、前記物理アップリンク共有チャネルでの前記ＵＥによる前記チャネル品質情報の報告の報告粒度である、請求項５に記載の方法。
【請求項７】
前記第１報告粒度は、前記第２報告粒度より大きい、または、それに等しい、請求項６に記載の方法。
【請求項８】
前記報告方式は予め定義される、請求項１から７のいずれか一項に記載の方法。
【請求項９】
基地局が、ＵＥによるチャネル品質情報の報告の報告方式を取得する前記段階の後、かつ、前記基地局が、前記ＵＥによって報告される前記チャネル品質情報を受信する前記段階の前に、
前記基地局が前記ＵＥのために前記報告方式を構成する段階を更に備える、請求項１から７のいずれか一項に記載の方法。
【請求項１０】
前記基地局が前記ＵＥのために前記報告方式を構成する前記段階は、
前記基地局が上位層シグナリングおよび／または物理層制御シグナリングを前記ＵＥへ送信する段階であって、前記上位層シグナリングまたは前記物理層制御シグナリングは、前記報告方式の指示情報を含み、前記指示情報は、前記ＵＥによる前記チャネル品質情報の報告の前記報告方式を指示するために使用される、段階を含む、請求項９に記載の方法。
【請求項１１】
チャネル品質情報報告方法であって、
ユーザ機器ＵＥが、前記ＵＥによるチャネル品質情報の報告の報告方式を取得する段階と、
前記ＵＥが、前記報告方式を使用して前記チャネル品質情報を基地局へ報告する段階と
を備える方法。
【請求項１２】
前記報告方式は、報告粒度、報告範囲および報告モードのうちの少なくとも１つを含む、請求項１１に記載の方法。
【請求項１３】
前記報告モードは、第１報告モードおよび第２報告モードを含み、前記第１報告モードにおいて前記ＵＥによって前記チャネル品質情報を報告するためのビット数は、前記第２報告モードにおいて前記ＵＥによって前記チャネル品質情報を報告するためのビット数より大きい、または、それに等しい、請求項１１または１２に記載の方法。
【請求項１４】
前記第１報告モードは非差分報告モードであり、前記第２報告モードは差分報告モードである、請求項１３に記載の方法。
【請求項１５】
前記ＵＥが前記報告方式を使用して前記チャネル品質情報を前記基地局へ報告する前記段階は、
前記ＵＥが、前記報告方式を使用して、物理チャネルで前記チャネル品質情報を前記基地局へ報告する段階であって、前記物理チャネルは、物理アップリンク制御チャネルおよび物理アップリンク共有チャネルのうちの少なくとも１つを含む、段階を含む、請求項１１から１４のいずれか一項に記載の方法。
【請求項１６】
前記報告方式は少なくとも前記報告粒度を含み、前記報告粒度は第１報告粒度および第２報告粒度を含み、前記第１報告粒度は、前記物理アップリンク制御チャネルでの前記ＵＥによる前記チャネル品質情報の報告の報告粒度であり、前記第２報告粒度は、前記物理アップリンク共有チャネルでの前記ＵＥによる前記チャネル品質情報の報告の報告粒度である、請求項１５に記載の方法。
【請求項１７】
前記第１報告粒度は、前記第２報告粒度より大きい、または、それに等しい、請求項１６に記載の方法。
【請求項１８】
前記報告方式は予め定義される、請求項１１から１７のいずれか一項に記載の方法。
【請求項１９】
ＵＥが、前記ＵＥによるチャネル品質情報の報告の報告方式を取得する前記段階は、
前記ＵＥが、前記チャネル品質情報に基づいて前記報告方式を決定する段階であって、前記ＵＥによって前記基地局へ報告される前記チャネル品質情報は、前記報告方式の指示情報を更に含む、段階を含む、請求項１１から１７のいずれか一項に記載の方法。
【請求項２０】
ＵＥが、前記ＵＥによるチャネル品質情報の報告の報告方式を取得する前記段階は、
前記ＵＥが、前記基地局によって構成される前記報告方式を受信する段階を含む、請求項１１から１７のいずれか一項に記載の方法。
【請求項２１】
前記ＵＥが、前記基地局によって構成される前記報告方式を受信する前記段階は、
前記ＵＥが、前記基地局によって送信された上位層シグナリングおよび／または物理層制御シグナリングを受信する段階であって、前記上位層シグナリングまたは前記物理層制御シグナリングは、前記報告方式を含む、段階を含む、請求項２０に記載の方法。
【請求項２２】
取得モジュール、受信モジュールおよび復調モジュールを備える基地局であって、
前記取得モジュールは、ユーザ機器ＵＥによるチャネル品質情報の報告の報告方式を決定するよう構成され、
前記受信モジュールは、前記ＵＥによって報告される前記チャネル品質情報を受信するよう構成され、前記チャネル品質情報は、前記ＵＥが前記報告方式を使用することによって報告するものであり、
前記復調モジュールは、前記報告方式に基づき、前記受信モジュールによって受信された前記チャネル品質情報を復調するよう構成される、
基地局。
【請求項２３】
前記報告方式は、報告粒度、報告範囲および報告モードのうちの少なくとも１つを含む、請求項２２に記載の基地局。
【請求項２４】
前記報告モードは、第１報告モードおよび第２報告モードを含み、前記第１報告モードにおいて前記ＵＥによって前記チャネル品質情報を報告するためのビット数は、前記第２報告モードにおいて前記ＵＥによって前記チャネル品質情報を報告するためのビット数より大きい、または、それに等しい、請求項２３に記載の基地局。
【請求項２５】
前記第１報告モードは非差分報告モードであり、前記第２報告モードは差分報告モードである、請求項２４に記載の基地局。
【請求項２６】
前記受信モジュールは具体的には、前記ＵＥによって報告される前記チャネル品質情報を物理チャネルから受信するよう構成され、前記物理チャネルは、物理アップリンク制御チャネルおよび物理アップリンク共有チャネルのうちの少なくとも１つを含む、請求項２２から２５のいずれか一項に記載の基地局。
【請求項２７】
前記報告方式は少なくとも前記報告粒度を含み、前記報告粒度は第１報告粒度および第２報告粒度を含み、前記第１報告粒度は、前記物理アップリンク制御チャネルでの前記ＵＥによる前記チャネル品質情報の報告の報告粒度であり、前記第２報告粒度は、前記物理アップリンク共有チャネルでの前記ＵＥによる前記チャネル品質情報の報告の報告粒度である、請求項２６に記載の基地局。
【請求項２８】
前記第１報告粒度は、前記第２報告粒度より大きい、または、それに等しい、請求項２７に記載の基地局。
【請求項２９】
前記報告方式は予め定義される、請求項２２から２８のいずれか一項に記載の基地局。
【請求項３０】
構成モジュールを更に備え、
前記構成モジュールは、前記ＵＥのために前記報告方式を構成するよう構成される、請求項２２から２８のいずれか一項に記載の基地局。
【請求項３１】
前記構成モジュールは具体的には、上位層シグナリングおよび／または物理層制御シグナリングを前記ＵＥへ送信するよう構成され、前記上位層シグナリングまたは前記物理層制御シグナリングは、前記報告方式の指示情報を含み、前記指示情報は、前記ＵＥによる前記チャネル品質情報の報告の前記報告方式を指示するために使用される、請求項３０に記載の基地局。
【請求項３２】
ユーザ機器ＵＥであって、
取得モジュールおよび報告モジュールを備え、
前記取得モジュールは、前記ＵＥによるチャネル品質情報の報告の報告方式を取得するよう構成され、
前記報告モジュールは、前記報告方式を使用して前記チャネル品質情報を前記基地局へ報告するよう構成される、
ＵＥ。
【請求項３３】
前記報告方式は、報告粒度、報告範囲および報告モードのうちの少なくとも１つを含む、請求項３２に記載のＵＥ。
【請求項３４】
前記報告モードは、第１報告モードおよび第２報告モードを含み、前記第１報告モードにおいて前記ＵＥによって前記チャネル品質情報を報告するためのビット数は、前記第２報告モードにおいて前記ＵＥによって前記チャネル品質情報を報告するためのビット数より大きい、または、それに等しい、請求項３２または３３に記載のＵＥ。
【請求項３５】
前記第１報告モードは非差分報告モードであり、前記第２報告モードは差分報告モードである、請求項３４に記載のＵＥ。
【請求項３６】
前記報告モジュールは具体的には、前記報告方式を使用して、物理チャネルで前記チャネル品質情報を前記基地局へ報告するよう構成され、前記物理チャネルは、物理アップリンク制御チャネルおよび物理アップリンク共有チャネルのうちの少なくとも１つを含む、
請求項３２から３５のいずれか一項に記載のＵＥ。
【請求項３７】
前記報告方式は少なくとも前記報告粒度を含み、前記報告粒度は第１報告粒度および第２報告粒度を含み、前記第１報告粒度は、前記物理アップリンク制御チャネルでの前記ＵＥによる前記チャネル品質情報の報告の報告粒度であり、前記第２報告粒度は、前記物理アップリンク共有チャネルでの前記ＵＥによる前記チャネル品質情報の報告の報告粒度である、請求項３６に記載のＵＥ。
【請求項３８】
前記第１報告粒度は、前記第２報告粒度より大きい、または、それに等しい、請求項３７に記載のＵＥ。
【請求項３９】
前記報告方式は予め定義される、請求項３２から３８のいずれか一項に記載のＵＥ。
【請求項４０】
前記取得モジュールは具体的には、前記チャネル品質情報に基づいて前記報告方式を決定するよう構成され、
前記報告モジュールによって前記基地局へ報告される前記チャネル品質情報は、前記報告方式の指示情報を更に含む、
請求項３２から３８のいずれか一項に記載のＵＥ。
【請求項４１】
前記取得モジュールは具体的には、前記基地局によって構成される前記報告方式を受信するよう構成される、請求項３２から３８のいずれか一項に記載のＵＥ。
【請求項４２】
前記取得モジュールは具体的には、前記基地局によって送信される上位層シグナリングおよび／または物理層制御シグナリングを受信するよう構成され、前記上位層シグナリングまたは前記物理層制御シグナリングは、前記報告方式の指示情報を含み、前記指示情報は、前記ＵＥによる前記チャネル品質情報の報告の前記報告方式を指示するために使用される、請求項４１に記載のＵＥ。
【請求項４３】
プロセッサ、トランシーバおよびメモリを備える基地局であって、
前記メモリは、コンピュータ実行可能命令を記憶するよう構成され、前記基地局が動作するとき、前記プロセッサは、前記メモリに記憶された前記コンピュータ実行可能命令を実行し、その結果、前記基地局は、請求項１から１０のいずれか一項に記載のチャネル品質情報報告方法を実行する、
基地局。
【請求項４４】
プロセッサ、トランシーバおよびメモリを備えるユーザ機器ＵＥであって、
前記メモリは、コンピュータ実行可能命令を記憶するよう構成され、前記ＵＥが動作するとき、前記プロセッサは、前記メモリに記憶された前記コンピュータ実行可能命令を実行し、その結果、前記ＵＥは、請求項１１から２１のいずれか一項に記載のチャネル品質情報報告方法を実行する、
ＵＥ。
【請求項４５】
コンピュータ命令を備えるコンピュータ可読記憶媒体であって、前記コンピュータ命令が基地局で動作するとき、前記基地局は、請求項１から１０のいずれか一項に記載のチャネル品質情報報告方法を実行する、コンピュータ可読記憶媒体。
【請求項４６】
コンピュータ命令を備えるコンピュータ可読記憶媒体であって、前記コンピュータ命令がユーザ機器ＵＥで動作するとき、前記ＵＥは、請求項１１から２１のいずれか一項に記載のチャネル品質情報報告方法を実行する、コンピュータ可読記憶媒体。
【請求項４７】
命令を備えるコンピュータプログラム製品であって、前記コンピュータプログラム製品が基地局で動作するとき、前記基地局は、請求項１から１０のいずれか一項に記載のチャネル品質情報報告方法を実行する、コンピュータプログラム製品。
【請求項４８】
命令を備えるコンピュータプログラム製品であって、前記コンピュータプログラム製品がユーザ機器ＵＥで動作するとき、前記ＵＥは、請求項１１から２１のいずれか一項に記載のチャネル品質情報報告方法を実行する、コンピュータプログラム製品。
【請求項４９】
基地局およびユーザ機器ＵＥを備える通信システムであって、前記基地局は、請求項２２から３１または４３のいずれか一項に記載の基地局であり、前記ＵＥは、請求項３２から４２または請求項４４のいずれか一項に記載のＵＥである、通信システム。
【発明の詳細な説明】
【技術分野】
【０００１】
本願は、２０１６年９月３０日に中国特許庁に出願された、「チャネル品質情報報告方法、装置およびシステム」と題する中国特許出願第２０１６１０８７９３２３．１号に対する優先権を主張し、これは全体が参照により本明細書に組み込まれる。
【０００２】
本発明は通信技術の分野に関連し、特に、チャネル品質情報報告方法、装置およびシステムに関連する。
【背景技術】
【０００３】
通信技術の継続的な発展に伴い、ビームフォーミング技術がより広く応用されている。ビームフォーミング技術において、基地局は、基地局のアンテナアレイにおける各アンテナの重み係数を調整することにより指向性ビームを生成し、これにより、比較的大きいアンテナ利得を実現し、基地局がダウンリンク信号をユーザ機器（ｕｓｅｒ  ｅｑｕｉｐｍｅｎｔ、ＵＥ）へ送信するプロセスにおいてダウンリンク信号損失を補償する。
【０００４】
現在、基地局がビームフォーミング技術を使用してダウンリンク信号をＵＥへ送信するプロセスにおいて、基地局によって送信されるダウンリンク信号が、ＵＥの位置の移動が原因で、現在の成形ビームの方向でＵＥに到達できない可能性があり、その結果、ＵＥによるダウンリンク信号の受信が頻繁に遮断されるという問題を回避するべく、ＵＥは、基地局とＵＥとの間のチャネル状態を反映できるチャネル品質情報を基地局へ動的に報告する必要がある。具体的には、ＵＥは、測定を通してチャネル品質情報を取得した後に毎回、チャネル品質情報を基地局へ報告する必要があり、その結果、基地局は、ＵＥにより報告されたチャネル品質情報に基づいて新しい成形ビームを再選択できる。このようにして、基地局によってＵＥへ送信されるダウンリンク信号が、新しい成形ビームの方向で、成功裏にＵＥへ到達できることが保証される。
【０００５】
上のチャネル品質情報報告方法において、ＵＥは測定を通してチャネル品質情報を取得した後に毎回、チャネル品質情報を基地局へ報告する必要があるため、ＵＥは、比較的多くの量のチャネル品質情報を報告する必要がある。その結果、ＵＥによるチャネル品質情報の報告のオーバーヘッドは比較的高いことがあり得る。
【発明の概要】
【０００６】
本願は、ＵＥによるチャネル品質情報の報告のオーバーヘッドを低減するためのチャネル品質情報報告方法、装置およびシステムを提供する。
【０００７】
上述の目的を実現するために、以下の技術的解決法が本願において使用される。
【０００８】
第１態様によれば、チャネル品質情報報告方法が提供され、当該方法は、基地局が、ＵＥによるチャネル品質情報の報告の報告方式を取得する段階と、報告方式でＵＥによって報告されるチャネル品質情報を受信する段階と、報告方式に基づいてチャネル品質情報を復調する段階とを備える。
【０００９】
本願において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【００１０】
第１態様の第１の任意の実装において、基地局が、ＵＥによって報告されるチャネル品質情報を受信する段階は、基地局が、ＵＥによって報告されるチャネル品質情報を物理チャネルから受信する段階を含み得て、物理チャネルは、物理アップリンク制御チャネルおよび物理アップリンク共有チャネルのうちの少なくとも１つを含む。
【００１１】
本願において、ＵＥが物理アップリンク制御チャネルでチャネル品質情報を基地局へ報告するとき、基地局は、ＵＥによって報告されるチャネル品質情報を物理アップリンク制御チャネルから受信する、または、ＵＥがチャネル品質情報を物理アップリンク制御チャネルで基地局へ報告するとき、基地局は、ＵＥによって報告されるチャネル品質情報を物理アップリンク共有チャネルから受信する。
【００１２】
第１態様の第２の任意の実装において、基地局が、ＵＥによるチャネル品質情報の報告の報告方式を取得した後、かつ、基地局が、ＵＥによって報告されるチャネル品質情報を受信する前に、方法は、基地局がＵＥのために、ＵＥによるチャネル品質情報の報告の報告方式を構成する段階を更に備える。
【００１３】
本願において、基地局は、基地局によって取得された、ＵＥによるチャネル品質情報の報告の報告方式をＵＥのために構成し、その結果、ＵＥは、基地局によって構成される報告方式を受信した後に、当該報告方式でチャネル品質情報を基地局へ報告できる。
【００１４】
第１態様の第３の任意の実装において、基地局がＵＥのために報告方式を構成することは、基地局が、報告方式の指示情報を含む上位層シグナリングおよび／または物理層制御シグナリングをＵＥへ送信することを含み得る。
【００１５】
本願において、基地局は、報告方式の指示情報を含む上位層シグナリングおよび／または物理層制御シグナリングをＵＥへ送信し、その結果、ＵＥは、上位層シグナリングおよび／または物理層制御シグナリングを受信した後に、上位層シグナリングおよび／または物理層制御シグナリングにおける指示情報に基づいて報告方式を決定でき、次に、ＵＥは、当該報告方式で、チャネル品質情報を基地局へ報告できる。
【００１６】
第２態様によれば、チャネル品質情報報告方法が提供され、当該方法は、ＵＥが、ＵＥによるチャネル品質情報の報告の報告方式を取得する段階と、当該報告方式でチャネル品質情報を基地局へ報告する段階とを含む。
【００１７】
本願において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【００１８】
第２態様の第１の任意の実装において、ＵＥが報告方式でチャネル品質情報を基地局へ報告する段階は、ＵＥが、物理チャネルにおいて当該報報告方式でチャネル品質情報を基地局へ報告する段階を含み得て、物理チャネルは、物理アップリンク制御チャネルおよび物理アップリンク共有チャネルのうちの少なくとも１つを含む。
【００１９】
本願において、ＵＥは、物理アップリンク制御チャネルおよび／または物理アップリンク共有チャネルにおいて当該報告方式でチャネル品質情報を基地局へ報告し得る。このようにして、ＵＥは、異なる物理チャネルにおいて、チャネル品質情報を基地局へ報告できる。
【００２０】
第２態様の第２の任意の実装において、ＵＥが、ＵＥによるチャネル品質情報の報告の報告方式を取得する段階は、ＵＥがチャネル品質情報に基づいて報告方式を決定する段階を含み得て、ＵＥによって基地局へ報告されるチャネル品質情報は、報告方式の指示情報を更に含む。
【００２１】
本願において、ＵＥによって基地局へ報告されるチャネル品質情報における指示情報は、チャネル品質情報を報告するためにＵＥによって現在使用される報告方式を基地局に指示し得て、その結果、基地局は、ＵＥによるチャネル品質情報の報告の報告方式を認識できる。
【００２２】
第２態様の第３の任意の実装において、ＵＥがＵＥによるチャネル品質情報の報告の報告方式を取得する段階は、基地局によって構成される、ＵＥによるチャネル品質情報の報告の報告方式をＵＥが受信する段階を含み得る。
【００２３】
第２態様の第４の任意の実装において、ＵＥが、基地局によって構成される報告方式を受信する段階は、ＵＥが、基地局によって送信される報告方式の指示情報を含む上位層シグナリングおよび／または物理層制御シグナリングを受信する段階を含み得る。
【００２４】
本願において、基地局によって送信される、報告方式の指示情報を含む上位層シグナリングおよび／または物理層制御シグナリングを受信した後に、ＵＥは、上位層シグナリングおよび／または物理層制御シグナリングにおける指示情報に基づき、報告方式を決定し得て、次に、ＵＥは、当該報告方式で、チャネル品質情報を基地局へ報告し得る。
【００２５】
第３態様によれば、基地局が提供され、基地局は、取得モジュール、受信モジュールおよび復調モジュールを備え、取得モジュールは、ユーザ機器ＵＥによるチャネル品質情報の報告の報告方式を決定するよう構成され、受信モジュールは、ＵＥによって当該報告方式で報告されるチャネル品質情報を受信するよう構成され、復調モジュールは、報告方式に基づいて、受信モジュールによって受信されるチャネル品質情報を復調するよう構成される。
【００２６】
第３態様の第１の任意の実装において、受信モジュールは具体的には、ＵＥによって報告されるチャネル品質情報を物理チャネルから受信するよう構成され、物理チャネルは、物理アップリンク制御チャネルおよび物理アップリンク共有チャネルのうちの少なくとも１つを含む。
【００２７】
第３態様の第２の任意の実装において、基地局は構成モジュールを更に含み、構成モジュールは、取得モジュールがＵＥによるチャネル品質情報の報告の報告方式を決定した後に、受信モジュールがＵＥによって報告されるチャネル品質情報を受信する前に、ＵＥによるチャネル品質情報の報告の報告方式をＵＥのために構成するよう構成される。
【００２８】
第３態様の第３の任意の実装において、構成モジュールは具体的には、報告方式の指示情報を含む上位層シグナリングおよび／または物理層制御シグナリングをＵＥへ送信するよう構成される。
【００２９】
第３態様、および、第３態様の任意の実装のいずれか１つの技術的効果については、第１態様および第１態様の任意の実装のいずれか１つの技術的効果の関連する説明を参照されたい。詳細はここでは再び説明されない。
【００３０】
第１態様および第３態様において、報告方式は、基地局において予め定義され得る。
【００３１】
本願において、報告方式は基地局において予め定義（予め記憶）され、基地局において予め定義される報告方式は、ＵＥにおいて予め定義される報告方式と同一であり、その結果、ＵＥが予め定義された報告方式でチャネル品質情報を報告するとき、基地局は、ＵＥによるチャネル品質情報の報告の報告方式を認識できる。
【００３２】
第４態様によれば、ＵＥが提供され、ＵＥは、取得モジュールおよび報告モジュールを含み、取得モジュールは、ＵＥによるチャネル品質情報の報告の報告方式を取得するよう構成され、報告モジュールは、当該報告方式でチャネル品質情報を基地局へ報告するよう構成される。
【００３３】
第４態様の第１の任意の実装において、報告モジュールは具体的には、当該報告方式で物理チャネルにおいてチャネル品質情報を基地局へ報告するよう構成され、物理チャネルは、物理アップリンク制御チャネルおよび物理アップリンク共有チャネルのうちの少なくとも１つを含む。
【００３４】
第４態様の第２の任意の実装において、取得モジュールは具体的には、ＵＥによるチャネル品質情報の報告の報告方式を決定するよう構成され、報告モジュールによって基地局へ報告されるチャネル品質情報は、報告方式の指示情報を更に含む。
【００３５】
第４態様の第３の任意の実装において、取得モジュールは具体的には、基地局によって構成される、ＵＥによるチャネル品質情報の報告の報告方式を受信するよう構成される。
【００３６】
第４態様の第４の任意の実装において、取得モジュールは具体的には、基地局によって送信される報告方式の指示情報を含む上位層シグナリングおよび／または物理層制御シグナリングを受信するよう構成される。
【００３７】
第４態様および第４態様の任意の実装のいずれか１つの技術的効果については、第２態様および第２態様の任意の実装のいずれか１つの技術的効果の関連する説明を参照されたい。詳細はここでは再び説明されない。
【００３８】
第２態様および第４態様において、報告方式はＵＥにおいて予め定義され得る。
【００３９】
本願において、報告方式は、ＵＥにおいて予め定義（予め記憶）され、ＵＥにおいて予め定義される報告方式は、基地局において予め定義される報告方式と同一であり、その結果、ＵＥが予め定義された報告方式でチャネル品質情報を報告するとき、基地局は、ＵＥによるチャネル品質情報の報告の報告方式を認識できる。
【００４０】
第１態様から第４態様において、報告方式は、報告粒度、報告範囲および報告モードのうちの少なくとも１つを含む。
【００４１】
本願において、報告方式は、報告粒度、報告範囲および報告モードのうちの少なくとも１つを含み得る。このようにして、チャネル品質情報を報告する複数の報告方式が提供され得て、ＵＥは、複数の報告方式のうちの少なくとも１つで、チャネル品質情報を基地局へ報告することを柔軟に選択できる。
【００４２】
第４態様の第１態様において、報告モードは、第１報告モードおよび第２報告モードを含み、第１報告モードにおいてＵＥによってチャネル品質情報を報告するためのビット数は、第２報告モードにおいてＵＥによってチャネル品質情報を報告するためのビット数より大きい、または、それに等しい。
【００４３】
第４態様の第１態様において、第１報告モードは非差分報告モードであり、第２報告モードは差分報告モードである。
【００４４】
本願において、報告モードが差分報告モードであるとき、ＵＥは差分報告モードに基づいてチャネル品質情報を基地局へ報告し得る。具体的には、ＵＥは、現在の測定を通して取得されたチャネル品質情報と、以前の測定を通してＵＥによって取得されたチャネル品質情報との間の差を基地局へ報告するが、ＵＥは、現在の測定を通して取得されたチャネル品質情報（すなわち、チャネル品質情報の特定の値）の絶対情報を基地局へ報告する必要はない。このようにして、ＵＥによって報告されるチャネル品質情報の量は比較的小さく、その結果、ＵＥによる基地局へのチャネル品質情報の報告のオーバーヘッドを低減できる。
【００４５】
第１態様および第４態様において、報告粒度は、第１報告粒度および第２報告粒度を含み、第１報告粒度は、物理アップリンク制御チャネルでのＵＥによるチャネル品質情報の報告の粒度であり、第２報告粒度は、物理アップリンク共有チャネルでのＵＥによるチャネル品質情報の報告の粒度である。
【００４６】
第１態様および第４態様において、第１報告粒度は、第２報告粒度より大きい、または、それに等しい。
【００４７】
本願において、物理アップリンク制御チャネルは限定されたリソースを有する。従って、基地局およびＵＥは、ＵＥが物理アップリンク制御チャネルを使用することによって基地局へチャネル品質情報を報告するために、より大きい第１報告粒度を取得し得て、その結果、ＵＥによってチャネル品質情報を基地局へ報告するオーバーヘッドを低減でき、物理アップリンク制御チャネルのリソースを更に低減できる。加えて、基地局およびＵＥは、ＵＥが物理アップリンク共有チャネルを使用することによって基地局へチャネル品質情報を報告するために、より小さい第２報告粒度を取得し得て、その結果、ＵＥによってチャネル品質情報を基地局へ報告する正確度を改善できる。
【００４８】
第５態様によれば、基地局が提供され、基地局は、プロセッサ、トランシーバおよびメモリを備え、メモリは、コンピュータ実行可能命令を記憶するよう構成され、基地局が動作するとき、プロセッサは、メモリに記憶されたコンピュータ実行可能命令を実行し、その結果、基地局は、第１態様および第１態様の任意の実装のいずれか１つにおけるチャネル品質情報報告方法を実行する。
【００４９】
第６態様によれば、コンピュータ可読記憶媒体が提供され、コンピュータ可読記憶媒体は、コンピュータ命令を含み得て、コンピュータ命令が基地局で動作するとき、基地局は、第１態様および第１態様の任意の実装のいずれか１つにおけるチャネル品質情報報告方法を実行する。
【００５０】
第７態様によれば、命令を含むコンピュータプログラム製品が提供され、コンピュータプログラム製品が基地局で動作するとき、基地局は、第１態様および第１態様の任意の実装のいずれか１つにおけるチャネル品質情報報告方法を実行する。
【００５１】
第５態様から第７態様の技術的効果については、第１態様および第１態様の任意の実装のいずれか１つの技術的効果の関連する説明を参照されたい。詳細はここでは再び説明されない。
【００５２】
第８態様によれば、ＵＥが提供され、ＵＥは、プロセッサ、トランシーバおよびメモリを含み、メモリは、コンピュータ実行可能命令を記憶するよう構成され、ＵＥが動作するとき、プロセッサは、メモリに記憶されたコンピュータ実行可能命令を実行し、その結果、ＵＥは、第２態様および第２態様の任意の実装のいずれか１つにおけるチャネル品質情報報告方法を実行する。
【００５３】
第９態様によれば、コンピュータ可読記憶媒体が提供され、コンピュータ可読記憶媒体はコンピュータ命令を含み得て、コンピュータ命令がＵＥで動作するとき、ＵＥは、第２態様および第２態様の任意の実装のいずれか１つにおけるチャネル品質情報報告方法を実行する。
【００５４】
第１０態様によれば、命令を含むコンピュータプログラム製品が提供され、コンピュータプログラム製品がＵＥで動作するとき、ＵＥは、第２態様および第２態様の任意の実装のいずれか１つにおけるチャネル品質情報報告方法を実行する。
【００５５】
第８態様から第１０態様の技術的効果については、第２態様および第２態様の任意の実装のいずれか１つの技術的効果の関連する説明を参照されたい。詳細はここでは再び説明されない。
【００５６】
第１１態様によれば、通信システムが提供され、通信システムは、第３態様および第３態様の任意の実装のいずれか１つにおける基地局と、第４態様および第４態様の任意の実装のいずれか１つにおけるＵＥとを備える、または、通信システムは、第５態様における基地局と、第８態様におけるＵＥとを備える。
【００５７】
第１１態様の技術的効果については、第３態様および第３態様の任意の実装のいずれか１つ、第４態様および第４態様の任意の実装のいずれか１つ、第５態様、第８態様の技術的効果の関連する説明を参照されたい。詳細はここでは再び説明されない。
【図面の簡単な説明】
【００５８】
【図１】本発明の一実施形態に係る通信システムの概略アーキテクチャ図である。
【００５９】
【図２】本発明の実施形態に係る基地局のハードウェアの概略構造図である。
【００６０】
【図３】本発明の実施形態に係る携帯電話のハードウェアの概略構造図である。
【００６１】
【図４】本発明の実施形態に係るチャネル品質情報報告方法の模式図１である。
【００６２】
【図５】本発明の実施形態に係るチャネル品質情報報告方法の模式図２である。
【００６３】
【図６】本発明の実施形態に係るチャネル品質情報報告方法の模式図３である。
【００６４】
【図７】本発明の実施形態に係る基地局の概略構造図１である。
【００６５】
【図８】本発明の実施形態に係る基地局の概略構造図２である。
【００６６】
【図９】本発明の実施形態に係るＵＥの概略構造図１である。
【００６７】
【図１０】本発明の実施形態に係るＵＥの概略構造図２である。
【発明を実施するための形態】
【００６８】
本明細書における「および／または」という用語は、関連付けられた対象物を説明するための対応関係のみを説明し、３つの関係が存在し得ることを表す。例えば、Ａおよび／またはＢは、Ａのみが存在すること、ＡおよびＢの両方が存在すること、ならびに、Ｂのみが存在すること、の３つの場合を表し得る。
【００６９】
本願の明細書および特許請求の範囲において、「第１」、「第２」、「第３」、「第４」などの用語は、異なる対象を区別することを意図するものであり、対象の特定の順序を説明するものではない。例えば、第１報告粒度、第２報告粒度などは、異なる報告粒度を区別するために使用され、報告粒度の特定の順序を説明するものではない。
【００７０】
本発明の実施形態において、「例」および「例えば」などの単語は、所与の例、例示または説明を表すために使用される。本発明の実施形態において「例」として説明される任意の実施形態または設計スキームは、別の実施形態または設計スキームより好適である、または、より大きい利点を有するものとして説明されるべきではない。厳密には、「例」などの単語の使用は、具体的方式における関連概念を提示することを意図する。
【００７１】
本発明の説明において、別段の定めが無い限り、「複数」は２以上を意味する。例えば、複数の成形ビームは２以上の成形ビームである。
【００７２】
以下ではまず、本発明の実施形態において提供されるチャネル品質情報報告方法、システムおよび装置におけるいくつかの概念を説明する。
【００７３】
チャネル品質情報は、ＵＥがチャネル状態情報基準信号などのダウンリンク基準信号を測定することにより取得するチャネル測定結果である。本発明の実施形態において、基地局がビームフォーミング技術を使用することによりダウンリンク基準信号をＵＥへ送信するプロセスにおいて、測定を通してＵＥにより取得されるチャネル品質情報は、基準信号インデックスまたはビームインデックス、および、当該基準信号インデックスまたはビームインデックスに対応する、基準信号受信電力（ｒｅｆｅｒｅｎｃｅ  ｓｉｇｎａｌ  ｒｅｃｅｉｖｉｎｇ  ｐｏｗｅｒ、ＲＳＲＰ）、基準信号受信品質（ｒｅｆｅｒｅｎｃｅ  ｓｉｇｎａｌ  ｒｅｃｅｉｖｅｄ  ｑｕａｌｉｔｙ、ＲＳＲＱ）、チャネル品質インジケータ（ｃｈａｎｎｅｌ  ｑｕａｌｉｔｙ  ｉｎｄｉｃａｔｏｒ、ＣＱＩ）などのうちの少なくとも１つを含み得る。１つの基準信号は、１つのビームに対応し、基準信号インデックスはビームインデックスと１対１の対応関係にある。
【００７４】
任意選択で、チャネル品質情報は、ロングタームエボリューション（ｌｏｎｇ  ｔｅｒｍ  ｅｖｏｌｕｔｉｏｎ、ＬＴＥ）システムにおけるチャネル品質情報（ｃｈａｎｎｅｌ  ｓｔａｔｅ  ｉｎｆｏｒｍａｔｉｏｎ、ＣＳＩ）、例えば、チャネル状態情報基準信号インデックス（ＣＳＩ−ｒｅｆｅｒｅｎｃｅ  ｓｉｇｎａｌ  ｉｎｄｅｘ、ＣＲＩ）、ランクインジケーション（ｒａｎｋ  ｉｎｄｉｃａｔｉｏｎ、ＲＩ）、プリコーティング行列インジケータ（ｐｒｅｃｏｄｉｎｇ  ｍａｔｒｉｘ  ｉｎｄｉｃａｔｏｒ、ＰＭＩ）、チャネル品質インジケータ（ｃｈａｎｎｅｌ  ｑｕａｌｉｔｙ  ｉｎｄｉｃａｔｉｏｎ、ＣＱＩ）などのうちの少なくとも１つであり得る。あるいは、チャネル品質情報は、無線リソース管理（ｒａｄｉｏ  ｒｅｓｏｕｒｃｅ  ｍａｎａｇｅｍｅｎｔ、ＲＲＭ）を通して測定されるチャネル品質情報、例えば、ＲＳＲＰ、ＲＳＲＱなどのうちの少なくとも１つであり得る。加えて、チャネル品質情報は、上述の情報以外の任意の１または複数のチャネル品質情報であり得る、または、上述の情報に加えて任意の１または複数のチャネル品質情報を含み得る。このことは、本発明の実施形態において限定されない。
【００７５】
本発明の実施形態において、ＵＥによってＲＳＲＰ、ＲＳＲＱ、または、ＣＱＩを報告することは通常、ＲＳＲＰ、ＲＳＲＱまたはＣＱＩのインデックス値をＵＥによって報告することを意味することを理解すべきである。
【００７６】
概して、基地局がビームフォーミング技術を使用することによってダウンリンク信号をＵＥへ送信するプロセスにおいて、基地局によって送信されるダウンリンク信号が、ＵＥの位置の移動が原因で、現在の成形ビームの方向でＵＥに到達できない可能性があり、その結果、ＵＥによるダウンリンク信号の受信が頻繁に遮断されるという問題を回避するべく、ＵＥは、測定を通して取得されるチャネル品質情報を毎回基地局へ報告する必要があり、その結果、基地局は、ＵＥによって報告されるチャネル品質情報に基づいて新しい成形ビームを再選択できる。このようにして、基地局によってＵＥへ送信されるダウンリンク信号が、新しい成形ビームの方向で、成功裏にＵＥへ到達できることが保証される。チャネル品質情報報告方法において、ＵＥは測定を通してチャネル品質情報を取得した後に毎回、チャネル品質情報を基地局へ報告する必要があるため、ＵＥは、比較的多くの量のチャネル品質情報を報告する。その結果、ＵＥによるチャネル品質情報の報告のオーバーヘッドは比較的高いことがあり得る。ダウンリンク信号は、チャネル状態情報基準信号（ｃｈａｎｎｅｌ  ｓｔａｔｅ  ｉｎｆｏｒｍａｔｉｏｎ−ｒｅｆｅｒｅｎｃｅ  ｓｉｇｎａｌ、ＣＳＩ−ＲＳ）などのダウンリンク基準信号であり得る、または、任意の他のダウンリンク信号であり得る。このことは、本発明の実施形態において限定されない。
【００７７】
ＵＥによるチャネル品質情報の報告のオーバーヘッドが比較的高いという問題を解決するべく、本発明の実施形態は、チャネル品質情報報告方法、装置およびシステムを提供する。基地局がビームフォーミング技術を使用することによってダウンリンク信号をＵＥへ送信するプロセスにおいて、基地局は、ＵＥによるチャネル品質情報の報告の報告方式を決定し得て、次に、基地局は、当該報告方式でＵＥによって報告されるチャネル品質情報を受信し、報告方式に基づいて、基地局によって受信されるチャネル品質情報を復調する。本発明の実施形態において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【００７８】
図１は、本発明の一実施形態に係る通信システムの概略アーキテクチャ図である。図１に示すように、通信システムは、基地局１００およびＵＥ１０１を備える。基地局は、ビームフォーミング技術を使用することによってダウンリンク信号をＵＥへ送信する。
【００７９】
図２は、本発明の実施形態に係る基地局のハードウェアの模式図である。図２に示される基地局は、ベースバンドユニット（ｂｕｉｌｄｉｎｇ  ｂａｓｅｂａｎｄ  ｕｎｉｔ、ＢＢＵ）２００、無線リモートユニット（ｒａｄｉｏ  ｒｅｍｏｔｅ  ｕｎｉｔ、ＲＲＵ）２０１、および、アンテナ２０２を備える。ＢＢＵ２００は、ファイバを使用することによってＲＲＵ２０１に接続され、ＲＲＵ２０１は更に、同軸ケーブルおよび電力スプリッタ（カプラ）を使用することによってアンテナ２０２に接続される。１つのＢＢＵ２００は通常、複数のＲＲＵ２０１に接続され得る。
【００８０】
ＢＢＵ２００は、Ｕｕインタフェース（すなわち、ＵＥと基地局との間のインタフェース）のベースバンド処理機能（符号化、多重化、変調、拡散スペクトルなど）、無線ネットワークコントローラ（ｒａｄｉｏ  ｎｅｔｗｏｒｋ  ｃｏｎｔｒｏｌｌｅｒ、ＲＮＣ）と基地局との間の論理インタフェースのインタフェース機能、シグナリング処理機能、ローカルおよびリモートの操作および保守機能、ならびに、基地局システムの動作ステータスモニタリングおよびアラーム情報報告機能を実現するよう構成される。
【００８１】
ＲＲＵ２０１は４つのモジュール、すなわち、デジタル中間周波数モジュール、送受信モジュール、電力増幅器モジュールおよびフィルタモジュールを含み得る。デジタル中間周波数モジュールは、光伝送の変調および復調、デジタル周波数アップ／ダウンコンバージョン、デジタル‐アナログ変換などを実行するよう構成される。送受信モジュールは、中間周波数信号から無線周波数信号への変換を実現する。無線周波数信号は、電力増幅器モジュールによって増幅され、フィルタモジュールによってフィルタリングされた後に、アンテナを使用して伝送される。
【００８２】
本発明の実施形態におけるＵＥは、携帯電話、タブレットコンピュータ、ノートブックコンピュータ、ウルトラモバイルパーソナルコンピュータ（ｕｌｔｒａ−ｍｏｂｉｌｅ  ｐｅｒｓｏｎａｌ  ｃｏｍｐｕｔｅｒ、ＵＭＰＣ）、ネットブック、パーソナルデジタルアシスタント（ｐｅｒｓｏｎａｌ  ｄｉｇｉｔａｌ  ａｓｓｉｓｔａｎｔ、ＰＤＡ）または、同様のものであり得る。
【００８３】
例えば、本発明の実施形態におけるＵＥは、図１に示される携帯電話であり得る。以下では、図３を参照して、本発明の実施形態における携帯電話の各コンポーネントを詳細に説明する。図３に示されるように、本発明の実施形態において提供される携帯電話は、プロセッサ１１、無線周波数（ｒａｄｉｏ  ｆｒｅｑｕｅｎｃｙ、ＲＦ）回路１２、電源１３、メモリ１４、入力ユニット１５、表示ユニット１６、および、可聴周波数回路１７などのコンポーネントを含む。当業者であれば、図３に示される携帯電話の構造は、携帯電話に対する限定を構成せず、携帯電話は、図３に示されるコンポーネントより多くの、または、より少ないコンポーネントを含み得る、または、図３に示されるコンポーネントのいくつかの組み合わせを含み得る、または、図３に示されるコンポーネントとは異なるように配置されたコンポーネントを含み得ることを理解し得る。
【００８４】
プロセッサ１１は、携帯電話の制御中心であり、様々なインタフェースおよび配線を使用して携帯電話全体の全ての部分を接続し、メモリ１４に記憶されたソフトウェアプログラムおよび／またはモジュールを動作させる、または、実行し、メモリ１４に記憶されたデータを呼び出すことにより携帯電話の様々な機能およびデータ処理を実行し、それにより、携帯電話に対する全体的なモニタリングを実行する。任意選択で、プロセッサ１１は、１または複数の処理ユニットを含み得る。好ましくは、アプリケーションプロセッサおよびモデムプロセッサは、プロセッサ１１に統合され得る。アプリケーションプロセッサは主に、オペレーティングシステム、ユーザインタフェース、アプリケーションプログラムなどを処理する。モデムプロセッサは主に無線通信を処理する。モデムプロセッサはプロセッサ１１に統合されなくてよいことが理解され得る。
【００８５】
ＲＦ回路１２は、情報を受信および送信するよう、または、通話中に信号を受信および送信するよう構成され得る。特に、ダウンリンク情報を基地局から受信した後に、ＲＦ回路１２は、ダウンリンク情報を処理のためにプロセッサ１１へ送信する。加えて、ＲＦ回路１２は、アップリンクデータを基地局へ送信する。概して、ＲＦ回路は、これらに限定されるものではないが、アンテナ、少なくとも１つの増幅器、トランシーバ、カプラ、低雑音増幅器（ｌｏｗ  ｎｏｉｓｅ  ａｍｐｌｉｆｉｅｒ、ＬＮＡ）、デュプレクサまたは同様のものを含む。加えて、ＲＦ回路１２は、無線通信を通してネットワークおよび別のデバイスと通信し得る。任意の通信規格またはプロトコルが無線通信に使用され得て、これらに限定されるものではないが、モバイル通信のためのグローバルシステム（ｇｌｏｂａｌ  ｓｙｓｔｅｍ  ｏｆ  ｍｏｂｉｌｅ  ｃｏｍｍｕｎｉｃａｔｉｏｎ、ＧＳＭ（登録商標））、汎用パケット無線サービス（ｇｅｎｅｒａｌ  ｐａｃｋｅｔ  ｒａｄｉｏ  ｓｅｒｖｉｃｅ、ＧＰＲＳ）、符号分割多元接続（ｃｏｄｅ  ｄｉｖｉｓｉｏｎ  ｍｕｌｔｉｐｌｅ  ａｃｃｅｓｓ、ＣＤＭＡ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））、ロングタームエボリューション（ｌｏｎｇ  ｔｅｒｍ  ｅｖｏｌｕｔｉｏｎ、ＬＴＥ）、電子メール、ショートメッセージサービス（ｓｈｏｒｔ  ｍｅｓｓａｇｉｎｇ  ｓｅｒｖｉｃｅ、ＳＭＳ）、または同様のものを含む。
【００８６】
携帯電話は、各コンポーネントに電力を供給する電源１３（バッテリなど）を含む。任意選択で、電源は、電力管理システムを使用することによりプロセッサ１１に論理的に接続され得て、これにより、電力管理システムを使用することにより充電および放電管理ならびに電力消費管理などの機能を実装する。
【００８７】
メモリ１４はソフトウェアプログラムおよびモジュールを記憶するよう構成され得る。プロセッサ１１は、メモリ１４に記憶されたソフトウェアプログラムおよびモジュールを動作させることにより、携帯電話の様々な機能のアプリケーションおよびデータ処理を実行する。メモリ１４は主に、プログラム記憶エリアおよびデータ記憶エリアを含み得る。プログラム記憶エリアは、オペレーティングシステム、少なくとも１つの機能に必要なアプリケーションプログラム（音声再生機能または画像再生機能など）、および同様のものを記憶し得る。データ記憶エリアは、携帯電話の使用などに基づいて形成されたデータ（音声データ、画像データ、または、アドレス帳など）を記憶し得る。加えて、メモリ１４は、高速ランダムアクセスメモリを含み得る、または、不揮発性メモリ、例えば、少なくとも１つの磁気ディスク記憶デバイス、フラッシュメモリデバイス、または、別の揮発性ソリッドステート記憶デバイスなどを含み得る。
【００８８】
入力ユニット１５は、入力された数字または文字情報を受信し、携帯電話のユーザ設定および機能制御に関連するキー信号入力を生成するよう構成され得る。具体的には、入力ユニット１５は、タッチスクリーン１５１および別の入力デバイス１５２を含み得る。タッチスクリーン１５１は、タッチパネルとも称され、タッチスクリーン１５１上で、または、その近くでユーザによって実行されるタッチ操作（指またはスタイラスなど、任意の適切な物体または付属品を使用することによってタッチスクリーン１５１上で、または、その近くでユーザによって実行されるオペレーションなど）を収集し、予め設定されたプログラムに基づいて、対応する接続装置を駆動し得る。任意選択で、タッチスクリーン１５１は、２つの部分、すなわち、タッチ検出装置およびタッチコントローラを含み得る。タッチ検出装置は、ユーザのタッチ方向を検出し、タッチ操作によってもたらされる信号を検出し、信号をタッチコントローラへ伝送する。タッチコントローラは、タッチ検出装置からタッチ情報を受信し、タッチ情報をタッチポイント座標に変換し、タッチポイント座標をプロセッサ１１へ送信し、プロセッサ１１によって送信されるコマンドを受信および実行できる。加えて、タッチスクリーン１５１は、抵抗型、容量型、赤外線、表面弾性波など、複数の種類を使用することによって実装され得る。別の入力デバイス１５２は、これらに限定されるものではないが、物理的キーボード、ファンクションキー（ボリュームコントロールキーまたはオン／オフキーなど）、トラックボール、マウス、ジョイスティックなどのうち１または複数を含み得る。
【００８９】
表示ユニット１６は、ユーザによって入力される情報、または、ユーザのために提供される情報、および、携帯電話の様々なメニューを表示するよう構成され得る。表示ユニット１６は表示パネル１６１を含み得る。任意選択で、表示パネル１６１は、液晶ディスプレイ（ｌｉｑｕｉｄ  ｃｒｙｓｔａｌ  ｄｉｓｐｌａｙ、ＬＣＤ）または有機発光ダイオード（ｏｒｇａｎｉｃ  ｌｉｇｈｔ−ｅｍｉｔｔｉｎｇ  ｄｉｏｄｅ、ＯＬＥＤ）などの形式で構成され得る。更に、タッチスクリーン１５１は、表示パネル１６１を覆い得る。タッチスクリーン１５１上またはその近くでタッチ操作を検出した後に、タッチスクリーン１４１は、タッチイベントの種類を決定するために、タッチ操作をプロセッサ１１へ伝送し、次に、プロセッサ１１は、タッチイベントの種類に基づいて、対応する視覚的出力を表示パネル１６１上に提供する。携帯電話の入出力機能を実装するために、図２におけるタッチスクリーン１５１および表示パネル１５１は、２つの個別のコンポーネントとして使用されるが、いくつかの実施形態において、タッチスクリーン１５１および表示パネル１６１は、携帯電話の入出力機能を実装するために統合され得る。
【００９０】
可聴周波数回路１７、ラウドスピーカ１７１およびマイク１７２は、ユーザと携帯電話との間の音声インタフェースを提供するよう構成される。可聴周波数回路１７は、受信された音声データから変換された電気信号をラウドスピーカ１７１へ伝送し得て、ラウドスピーカ１７１は、電気信号を音声信号に変換して出力する。加えて、マイク１７２は、収集された音声信号を電気信号に変換し、可聴周波数回路１７は、電気信号を受信し、電気信号を音声データに変換し、音声データをＲＦ回路１２へ出力して、音声データを例えば、別の携帯電話へ送信する、または、音声データを更なる処理のためにメモリ１４へ出力する。
【００９１】
任意選択で、図３に示される携帯電話は、様々なセンサ、例えば、ジャイロセンサ、湿度計センサ、赤外線センサ、および、磁力計センサを更に含み得る。ここでは詳細は説明しない。
【００９２】
任意選択で、図３に示される携帯電話は、ワイヤレスフィディリティ（ｗｉｒｅｌｅｓｓ  ｆｉｄｅｌｉｔｙ，  ＷｉＦｉ）モジュール、Ｂｌｕｅｔｏｏｔｈ（登録商標）モジュールなどを更に備え得る。ここでは詳細は説明しない。
【００９３】
本発明の実施形態における技術的解決法をより良く理解するべく、本発明の実施形態のうちの３つは、本発明の実施形態において提供されるチャネル品質情報報告方法の例示的説明を提供するために使用される。具体的には、実施形態１において、基地局は、ＵＥによるチャネル品質情報の報告の報告方式を取得し、ＵＥのために報告方式を構成し得て、その結果、ＵＥは、当該報告方式（図４に示されるチャネル品質情報報告方法）でチャネル品質情報を基地局へ報告できる。実施形態２において、ＵＥは、ＵＥによるチャネル品質情報の報告の報告方式を取得し、当該報告方式（図５に示されるチャネル品質情報報告方法）でチャネル品質情報を基地局へ報告する。実施形態３において、基地局およびＵＥは、ＵＥによるチャネル品質情報の報告の予め定義された報告方式を別個に取得し、ＵＥは、チャネル品質情報を当該報告方式（図５に示されるチャネル品質情報報告方法）で基地局へ報告する。
【００９４】
［実施形態１］
図１を参照すると、図４に示されるように、本発明の本実施形態は、チャネル品質情報報告方法を提供する。当該方法は、以下の段階を備え得る。
【００９５】
Ｓ１０１．基地局が、ＵＥによるチャネル品質情報の報告の報告方式を取得する。
【００９６】
本発明の本実施形態において、ＵＥがチャネル品質情報を基地局へ報告するとき、ＵＥは、ＵＥおよび基地局によって同意された、ＵＥによるチャネル品質情報の報告の報告方式で、チャネル品質情報を基地局へ報告する必要がある。次に、基地局は、当該報告方式に基づいて、ＵＥにより報告されたチャネル品質情報を復調し得る。ＵＥによるチャネル品質情報の報告の報告方式は、基地局によって取得され得る。具体的には、基地局は、ＵＥによるチャネル品質情報の報告の報告方式を決定し得る。
【００９７】
任意選択で、本発明の本実施形態において、報告方式は、報告粒度、報告範囲および報告モードのうちの少なくとも１つであり得る。
【００９８】
任意選択で、図４を参照すると、本発明の本実施形態において、報告方式が報告粒度であるとき、報告粒度は具体的には、以下の方法を使用することによって決定され得る。
【００９９】
基地局は、チャネル品質情報の値範囲を複数の区間に分割し得て、各区間の長さは、１報告粒度と称される。
【０１００】
本発明の本実施形態において、報告粒度の一貫性を保証するべく、基地局は、チャネル品質情報の値範囲を複数の区間に均等に分割し得る。
【０１０１】
当然ながら、チャネル品質情報の値範囲は不均等に分割され得る。基地局がチャネル品質情報の値範囲を複数の区間に不均等に分割した後に、チャネル品質情報の報告粒度は少なくとも２つあり得る。例えば、基地局はまずチャネル品質情報の値範囲を２つの部分に分割し、次に、２つの部分の各々を複数の区間に均等に分割する。この場合において、第１の部分の各区間の長さは、報告粒度Ａと称され得て、第２の部分の各区間の長さは、報告粒度Ｂと称され得る。報告粒度Ａは、報告粒度Ｂと等しくないことがあり得る。例えば、報告粒度Ａは報告粒度Ｂより大きい、または、報告粒度Ａは報告粒度Ｂより小さい。
【０１０２】
例えば、本発明の本実施形態において、チャネル品質情報の値範囲は、［０，１００］であり、基地局が値範囲を１００個の区間に均等に分割し、かつ、各区間の長さが１である場合、基地局は、報告粒度が１であると認識する。または、基地局が値範囲を５０個の区間に均等に分割し、かつ、各区間の長さは２である場合、基地局は、報告粒度が２であると認識する。基地局がチャネル品質情報の値範囲をより少ない区間に分割する場合、基地局は、より大きい報告粒度を取得し、ＵＥがチャネル品質情報を報告するために必要なビット数が少なくなることが分かる。このようにして、ＵＥによってチャネル品質情報を報告するためのオーバーヘッドを低減できる。
【０１０３】
基地局がチャネル品質情報の値範囲を複数の区間に分割した後に、各区間は、１つの報告インデックス値に対応し得る。
【０１０４】
任意選択で、チャネル品質情報の報告粒度は、第１報告粒度および第２報告粒度を含み得る。具体的には、ＵＥが物理アップリンク制御チャネルを使用することによってチャネル品質情報を基地局へ報告するとき、チャネル品質情報の報告粒度は第１報告粒度である。または、ＵＥが物理アップリンク共有チャネルを使用することによってチャネル品質情報を基地局へ報告するとき、チャネル品質情報の報告粒度は第２報告粒度である。第１報告粒度は、第２報告粒度より大きい、または、それに等しい。
【０１０５】
本発明の本実施形態において、物理アップリンク制御チャネルは、物理アップリンク共有チャネルと比較して、限定されたリソースを有する。従って、基地局は、ＵＥが物理アップリンク制御チャネルを使用することによって基地局へチャネル品質情報を報告するために、より大きい第１報告粒度を決定し得て、その結果、ＵＥによってチャネル品質情報を基地局へ報告するオーバーヘッドを低減でき、物理アップリンク制御チャネルのリソースを更に低減できる。加えて、基地局は、ＵＥが物理アップリンク共有チャネルを使用することによって基地局へチャネル品質情報を報告するために、より小さい第２報告粒度を決定し得て、その結果、ＵＥによってチャネル品質情報を基地局へ報告する正確度を改善できる。
【０１０６】
任意選択で、基地局は、異なるシナリオおよび要件に基づいて、報告粒度を決定し得る。例えば、ＵＥが成形ビームを選択するプロセスにおいて、ＵＥが最初に成形ビームをスキャンするとき、基地局は、粗い粒度に基づいてＵＥによって成形ビームを選択するために、比較的大きい報告粒度（粗い粒度とも称される）を決定し得る。成形ビームの変更および最適化フェーズにおいて、基地局は、比較的小さい報告粒度（細かい粒度とも称される）を構成し得て、細かい粒度に基づいてＵＥによって成形ビームを正確に選択する。
【０１０７】
基地局が事前情報を有していないとき、例えば、基地局がＵＥによって報告されるチャネル品質情報を受信しないとき、基地局は、比較的大きい報告粒度を決定し得る。基地局がＵＥによって報告されるチャネル品質情報を受信するとき、基地局は、ＵＥによって複数の連続する回数にわたって報告されるチャネル品質情報のサイズに基づいて、チャネル品質情報の報告範囲を決定し、報告範囲内で比較的小さい報告粒度を決定する。
【０１０８】
任意選択で、図４を参照すると、基地局は、ＵＥによるチャネル品質情報の報告の報告範囲を決定し得る。具体的には、基地局は、成形ビームエネルギー情報に基づいて、第１の予め設定された閾値と、第２の予め設定された閾値とを決定し（ここで、第２の予め設定された閾値は、第１の予め設定された閾値より大きい、または、それに等しい）、チャネル品質情報の「第１の予め設定された閾値より大きい、または、それに等しい、かつ、第２の予め設定された閾値より小さい、または、それに等しい」範囲を、ＵＥによるチャネル品質情報の報告の報告範囲として決定する。
【０１０９】
本発明の本実施形態において、報告範囲は、第１報告範囲および第２報告範囲を含み得て、第１報告範囲は、物理アップリンク制御チャネルでのＵＥによるチャネル品質情報の報告の報告範囲であり、第２報告範囲は、物理アップリンク共有チャネルでのＵＥによるチャネル品質情報の報告の報告範囲であり、第１報告範囲は、第２報告範囲より小さい、または、それに等しい。
【０１１０】
本発明の本実施形態において、物理アップリンク制御チャネルは、物理アップリンク共有チャネルと比較して、限定されたリソースを有する。従って、基地局は、ＵＥが物理アップリンク制御チャネルを使用することによって基地局へチャネル品質情報を報告するために、より小さい第１報告範囲を決定し得て、その結果、ＵＥによってチャネル品質情報を基地局へ報告するオーバーヘッドを低減でき、物理アップリンク制御チャネルのリソースを更に低減できる。加えて、基地局は、ＵＥが物理アップリンク共有チャネルを使用することによって基地局へチャネル品質情報を報告するために、より大きい第２報告範囲を構成し得て、その結果、ＵＥによってチャネル品質情報を基地局へ報告する正確度を改善できる。
【０１１１】
任意選択で、図４を参照すると、基地局は、ＵＥによるチャネル品質情報の報告の報告モードを決定し得る。具体的には、報告モードは、第１報告モードおよび第２報告モードを含み得て、第１報告モードは、物理アップリンク共有チャネルでのＵＥによるチャネル品質情報の報告の報告モードであり、第２報告モードは、物理アップリンク制御チャネルでのＵＥによるチャネル品質情報の報告の報告モードであり、第１報告モードでＵＥがチャネル品質情報を報告するビット数は、第２報告モードにおいてＵＥがチャネル品質情報を報告するビット数より大きい、または、それに等しい。
【０１１２】
第１報告モードは非差分報告モードであり得て、第２報告モードは差分報告モードであり得る。ＵＥによって前回報告されたチャネル品質情報が受信されたと基地局が決定したとき、基地局は、次回のＵＥによるチャネル品質情報の報告の報告モードが差分報告モードであり得ると決定し、ＵＥは、現在のチャネル品質情報と前回のチャネル品質情報との間の差分値を基地局へ報告する。ＵＥによって前回報告されたチャネル品質情報が受信されていないと基地局が決定したとき、基地局は、次回のＵＥによるチャネル品質情報の報告の報告モードが非差分報告モードであり得ると決定し、ＵＥは、現在のチャネル品質情報を全て基地局へ報告する。
【０１１３】
本発明の本実施形態において、物理アップリンク制御チャネルは、物理アップリンク共有チャネルと比較して、限定されたリソースを有する。従って、基地局は、ＵＥが物理アップリンク制御チャネルを使用することによってチャネル品質情報を基地局へ報告するために、より小さい数のフィードバックビット（ＵＥによってチャネル品質情報を報告するためのビットの数）を必要とする第２報告モードを決定し得て、その結果、ＵＥによってチャネル品質情報を基地局へ報告するためのオーバーヘッドを低減でき、物理アップリンク制御チャネルのリソースを更に低減できる。加えて、基地局が、ＵＥが物理アップリンク共有チャネルを使用することによってチャネル品質情報を基地局に報告するために、より大きい数のフィードバックビット（チャネル品質情報を報告するためのＵＥを決定するためのビット数）を必要とする第１報告モードを決定し得て、その結果、ＵＥによってチャネル品質情報を基地局へ報告する正確度を改善できる。
【０１１４】
Ｓ１０２．基地局がチャネル品質情報を報告する報告方式をＵＥのために構成する。
【０１１５】
本発明の本実施形態において、基地局がＵＥによるチャネル品質情報の報告の報告方式を取得した後に、基地局は、ＵＥのために報告方式を構成する必要があり、その結果、ＵＥは、当該報告方式でチャネル品質情報を基地局へ報告できる。
【０１１６】
任意選択で、本発明の本実施形態において、基地局が、チャネル品質情報を報告する報告方式をＵＥのために構成することは、具体的には、基地局が、報告方式の指示情報を含む上位層シグナリングおよび／または物理層制御シグナリングをＵＥへ送信することであり得て、その結果、上位層シグナリングおよび／または物理層制御シグナリングを受信した後に、ＵＥは上位層シグナリングおよび／または物理層制御シグナリングで、指示情報に基づいて、報告方式を決定でき、次にＵＥは、報告方式でチャネル品質情報を基地局へ報告できる。
【０１１７】
留意すべきこととして、ＵＥによるチャネル品質情報の報告の報告方式が差分報告モードであると基地局が決定するとき、基地局がＵＥのために報告モードを構成することは、具体的には、基地局が、報告モードが差分報告モードであると指示するべく、ＵＥによって送信された１ビットを上位層シグナリングおよび／または物理層制御シグナリングに追加することであり得て、その結果、ＵＥは、当該報告方式で、チャネル品質情報を基地局へ報告できる。
【０１１８】
Ｓ１０３．ＵＥが、基地局によって構成される、ＵＥによるチャネル品質情報の報告の報告方式を受信する。
【０１１９】
Ｓ１０４．ＵＥが、基地局によって構成される、ＵＥによるチャネル品質情報の報告の報告方式で、チャネル品質情報を基地局へ報告する。
【０１２０】
本発明の本実施形態において、基地局によって構成される、ＵＥによるチャネル品質情報の報告の報告方式を受信した後に、ＵＥは、当該報告方式でチャネル品質情報を基地局へ報告し得る。
【０１２１】
任意選択で、本発明の本実施形態において、ＵＥによって受信された報告方式が報告粒度であるとき、ＵＥは、報告粒度を使用することによってチャネル品質情報を報告する。基地局がチャネル品質情報の値範囲をより少ない区間に分割する場合、基地局は、より大きい報告粒度を取得し、チャネル品質情報を報告するために、より少ないビットがＵＥによって必要とされる。このようにして、ＵＥによってチャネル品質情報を報告するためのオーバーヘッドを低減できる。
【０１２２】
任意選択で、本発明の本実施形態において、ＵＥによって受信される報告方式が報告範囲であるとき、ＵＥは、報告範囲を使用することによって、チャネル品質情報を報告する。ＵＥは、測定を通して取得される、報告範囲内に含まれるチャネル品質情報を基地局へ報告するが、報告範囲を超えるチャネル品質情報を基地局へ報告する必要はなく、その結果、報告されるチャネル品質情報の数、および、ＵＥによって基地局へ報告される回数を低減でき、それによって、ＵＥによってチャネル品質情報を基地局へ報告するためのオーバーヘッドを低減する。
【０１２３】
任意選択で、本発明の本実施形態において、ＵＥによって受信される報告方式が報告モードであるとき、ＵＥは、報告モードでチャネル品質情報を報告する。報告モードは、第１報告モードおよび第２報告モードを含み得て、第１報告モードは具体的には、非差分報告モードであり得て、第２報告モードは具体的には、差分報告モードであり得る。報告モードが差分報告モードであるとき、ＵＥは差分報告モードに基づいてチャネル品質情報を基地局へ報告し得る。具体的には、ＵＥは、現在の測定を通して取得されたチャネル品質情報と、以前の測定を通してＵＥによって取得されたチャネル品質情報との間の差を基地局へ報告し、ＵＥは、現在の測定を通して取得されたチャネル品質情報（すなわち、チャネル品質情報の特定の値）の絶対情報を基地局へ報告する必要はない。このようにして、ＵＥによって報告されるチャネル品質情報の量は比較的小さく、その結果、ＵＥによる基地局へのチャネル品質情報の報告のオーバーヘッドを低減できる。
【０１２４】
任意選択で、基地局が複数の成形ビームを使用することによってダウンリンク信号をＵＥへ送信するとき、ＵＥは、複数のチャネル品質情報の平均値および最適値（すなわち最大値）の両方を基地局へ報告する必要がある。ＵＥは、平均チャネル品質情報、および、平均チャネル品質情報と最適チャネル品質情報との間の差を基地局へ報告し得て、ＵＥは、最適チャネル品質情報の絶対情報を基地局へ報告する必要はない。または、ＵＥは、最適チャネル品質情報、および、平均チャネル品質情報と最適チャネル品質情報との間の差を基地局へ報告し得て、ＵＥは、平均チャネル品質情報の絶対情報を基地局へ報告する必要はない。このようにして、ＵＥによって報告されるチャネル品質情報の量は比較的小さく、その結果、ＵＥによる基地局へのチャネル品質情報の報告のオーバーヘッドを低減できる。
【０１２５】
差（例えば、平均チャネル品質情報と最適チャネル品質情報との間の差）は、差のインデックス値であり得ることを理解すべきである。
【０１２６】
本発明の本実施形態において、ＵＥは、物理アップリンク制御チャネルでチャネル品質情報を基地局へ報告し得る、または、物理アップリンク共有チャネルでチャネル品質情報を基地局へ報告し得る、または、物理アップリンク制御チャネルおよび物理アップリンク共有チャネルでチャネル品質情報を基地局へ報告し得る。具体的なチャネルは実際の使用要求に基づいて選択され得る。このことは、本発明の本実施形態において限定されるものではない。
【０１２７】
Ｓ１０５．基地局が、基地局によって構成される、ＵＥによるチャネル品質情報の報告の報告方式で、ＵＥによって報告されるチャネル品質情報を受信する。
【０１２８】
任意選択で、本発明の本実施形態において、基地局はＵＥによって報告されるチャネル品質情報を物理チャネルから受信し得る。物理チャネルは、物理アップリンク制御チャネルおよび物理アップリンク共有チャネルのうちの少なくとも１つを含む。
【０１２９】
本発明の本実施形態において、ＵＥが物理アップリンク制御チャネルでチャネル品質情報を基地局へ報告するとき、基地局は、ＵＥによって報告されるチャネル品質情報を物理アップリンク制御チャネルから受信する、または、ＵＥがチャネル品質情報を物理アップリンク制御チャネルで基地局へ報告するとき、基地局は、ＵＥによって報告されるチャネル品質情報を物理アップリンク共有チャネルから受信する。
【０１３０】
Ｓ１０６．基地局が、ＵＥによるチャネル品質情報の報告の報告方式に基づいて、基地局によって受信されるチャネル品質情報を復調する。
【０１３１】
本発明の本実施形態において、基地局がＵＥによって当該報告方式で報告されたチャネル品質情報を受信した後に、基地局は、当該報告方式に基づいて、基地局によって受信されたチャネル品質情報を復調する必要があり、その結果、基地局は、ＵＥによって報告されたチャネル品質情報に基づいて、新しい成形ビームを使用してダウンリンク信号をＵＥへ送信すべきかどうかを決定できる。このようにして、基地局によってＵＥへ送信されるダウンリンク信号が成功裏にＵＥに到達できることが保証される。
【０１３２】
本発明の本実施形態において提供されるチャネル品質情報報告方法によれば、基地局がビームフォーミング技術を使用することによってダウンリンク信号をＵＥへ送信するプロセスにおいて、基地局は、ＵＥによるチャネル品質情報の報告の報告方式（報告方式は、チャネル品質情報の報告粒度、チャネル品質情報の報告範囲、および、チャネル品質情報の報告モードのうちの少なくとも１つを含み得る）を決定し得て、次に、報告方式をＵＥのために構成し、ＵＥは、基地局によって構成される報告方式を受信し、次に、チャネル品質情報を当該報告方式で基地局へ報告し得て、基地局は、ＵＥによって報告されるチャネル品質情報を受信し、当該報告方式に基づいてチャネル品質情報を復調する。従来技術と比較して、本発明の本実施形態において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【０１３３】
［実施形態２］
図１を参照すると、図５に示されるように、本発明の本実施形態はチャネル品質情報報告方法を提供する。方法は、以下の段階を備え得る。
【０１３４】
Ｓ２０１．ＵＥが、チャネル品質情報に基づいて、ＵＥによるチャネル品質情報の報告の報告方式を決定する。
【０１３５】
本発明の本実施形態において、チャネル品質情報は、ＵＥがダウンリンクチャネル基準信号を測定することによって取得したチャネル測定結果であり得る。
【０１３６】
任意選択で、本発明の本実施形態において、報告方式は、報告粒度、報告範囲および報告モードのうちの少なくとも１つであり得る。報告方式の説明については、Ｓ１０１の報告方式の具体的な説明を参照されたい。詳細はここでは再度説明されない。
【０１３７】
任意選択で、本発明の本実施形態において、ＵＥは、一定期間に測定を通してＵＥにより取得されたチャネル品質情報の範囲が、より小さい範囲に固定的に収束されるかどうかに基づいて、ＵＥによるチャネル品質情報の報告の報告粒度または報告範囲を調整する必要があるかどうかを決定する。
【０１３８】
任意選択で、本発明の本実施形態において、報告モードは第１報告モードおよび第２報告モードを含む。第１報告モードは、Ｓ１０１における非差分報告モードであり得る、または、比較的大きい数のフィードバックビットを必要とする任意の他の報告モードであり得る。例えば、第１報告モードに対応するチャネル品質情報は、基準信号インデックスまたはビームインデックス、基準信号受信電力、および、チャネル品質インジケータのうち少なくとも２つを含む。第２報告モードは、Ｓ１０１における差分報告モードであり得る、または、比較的小さい数のフィードバックビットを必要とする任意の他の報告モードであり得る。第２報告モードに対応するチャネル品質情報は、第１報告モードに対応するチャネル品質情報のサブセットである。例えば、第２報告モードに対応するフィードバック量は、基準信号インデックスまたはビームインデックス、基準信号受信電力、および、チャネル品質インジケータのうち１つを含む。
【０１３９】
Ｓ２０２．ＵＥが、ＵＥによって決定される、チャネル品質情報を報告する報告方式でチャネル品質情報を基地局へ報告する。
【０１４０】
本発明の本実施形態において、ＵＥによって基地局へ報告されるチャネル品質情報は、報告方式の指示情報を含み、指示情報は、チャネル品質情報を報告するのにＵＥによって現在使用される報告方式を基地局に指示するために使用され、その結果、基地局は、ＵＥによるチャネル品質情報の報告の報告方式を認識できる。
【０１４１】
任意選択で、報告方式が報告粒度であるとき、基地局側およびＵＥ側に、予め定義された報告粒度セットがある。ＵＥはまた、チャネル品質情報を報告するとき、報告粒度セットにおける報告粒度のインデックス番号を報告する。留意すべきこととして、チャネル品質情報は、報告粒度に対応するチャネル品質情報である。
【０１４２】
任意選択で、報告方式が報告範囲であるとき、基地局側およびＵＥ側に、予め定義された報告範囲セットがある。ＵＥはまた、チャネル品質情報を報告するとき、報告範囲セットにおける報告範囲のインデックス番号を報告する。留意すべきこととして、チャネル品質情報は、報告範囲内のチャネル品質情報である。
【０１４３】
任意選択で、報告方式が報告モードである場合、ＵＥは、チャネル品質情報を報告するときに報告モードの指示情報も報告する。留意すべきこととして、チャネル品質情報は、報告モードに対応するチャネル品質情報である。
【０１４４】
留意すべきこととして、ＵＥがチャネル品質情報を基地局へ報告するとき、ＵＥは、ＵＥによって報告されるチャネル品質情報における１または複数のビットを確保し得て、確保された１または複数のビットにおいて指示情報を設定し得る。指示情報は、チャネル品質情報を報告するためにＵＥによって現在使用される報告モードを基地局へ指示するために使用される。
【０１４５】
例えば、報告方式が報告モードであるとき、ＵＥは、ＵＥによって報告されるチャネル品質情報において１ビットを確保し得る。ＵＥは、１ビットに「１」を設定することにより、チャネル品質情報へ報告するためにＵＥによって現在使用される報告モードが第１報告モードであると指示する、または、「０」を設定し得ることにより、チャネル品質情報を報告するためにＵＥにより現在使用される報告モードが第２報告モードであると指示する。チャネル品質情報を報告するためにＵＥによって現在使用される報告モードが第１報告モードであると指示するために「１」が使用される場合、「０」は、チャネル品質情報を報告するためにＵＥによって現在使用される報告モードが第２報告モードであると指示するために使用され得る。当然ながら、本発明の本実施形態において、実際の使用要求を満たす別のフラグが指示情報を設定するために使用され得て、例は、本発明の本実施形態において、１つ１つ列挙されない。
【０１４６】
Ｓ２０３．基地局が、ＵＥによって決定された、チャネル品質情報を報告する報告方式でＵＥによって報告されるチャネル品質情報を受信する。
【０１４７】
Ｓ２０３の具体的な説明については、Ｓ１０５の関連する説明を参照されたい。詳細はここでは再度説明されない。
【０１４８】
Ｓ２０４．基地局が、ＵＥによって報告されるチャネル品質情報における指示情報において指示される報告方式に基づいて、基地局によって受信されたチャネル品質情報を復調する。
【０１４９】
本発明の本実施形態において、基地局によって受信されたチャネル品質情報は報告方式の指示情報を含むので、基地局は、指示情報において指示される報告方式に基づいて、基地局によって受信されたチャネル品質情報を復調し得て、その結果、基地局は、ＵＥによって報告されたチャネル品質情報に基づいて、新しい成形ビームを使用してダウンリンク信号をＵＥへ送信するかどうかを決定できる。このようにして、基地局によってＵＥへ送信されるダウンリンク信号が成功裏にＵＥに到達できることが保証される。
【０１５０】
本発明の本実施形態において提供されるチャネル品質情報報告方法によれば、基地局がビームフォーミング技術を使用することによってダウンリンク信号をＵＥへ送信するプロセスにおいて、ＵＥは、ＵＥによるチャネル品質情報の報告の報告方式を決定し得て（報告方式は、報告粒度、報告範囲および報告モードのうちの少なくとも１つを含み得る）、次に、ＵＥは、報告方式の指示情報を含むチャネル品質情報を当該報告方式で基地局へ報告し得て、基地局は、ＵＥによって報告されるチャネル品質情報を受信し、指示情報によって指示される報告方式に基づいてチャネル品質情報を復調する。従来技術と比較して、本発明の本実施形態において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【０１５１】
［実施形態３］
図１を参照すると、図６に示されるように、本発明の本実施形態は、チャネル品質情報報告方法を提供する。当該方法は、以下の段階を含み得る。
【０１５２】
Ｓ３０１．基地局が、ＵＥによって報告されるチャネル品質情報の予め定義された報告方式を取得する。
【０１５３】
Ｓ３０２．ＵＥが、ＵＥによるチャネル品質情報の報告の予め定義された報告方式を取得する。
【０１５４】
本発明の本実施形態において、報告方式は予め定義される。具体的には、報告方式は、基地局およびＵＥにおいて予め定義（予め記憶）され得て、基地局によって取得される予め定義された報告方式は、ＵＥによって取得される予め定義された報告方式と同一であり、その結果、ＵＥが予め定義された報告方式でチャネル品質情報を報告するとき、基地局は、ＵＥによるチャネル品質情報の報告の報告方式を認識できる。
【０１５５】
任意選択で、本発明の本実施形態において、ＵＥによるチャネル品質情報の報告の報告方式は、ＵＥがチャネル品質情報を伝送するためのチャネルの種類に基づいて、ＵＥおよび基地局において予め定義され得る。報告方式は、報告粒度、報告範囲および報告モードのうちの少なくとも１つを含み得る。
【０１５６】
ＵＥがチャネル品質情報を伝送するためのチャネルの種類は、物理アップリンク制御チャネルまたは物理アップリンク共有チャネルであり得る、または、任意の他の物理的アップリンクチャネルであり得る。これは、本発明の本実施形態において限定されるものではない。
【０１５７】
Ｓ３０１およびＳ３０２を実行する実行順序は、本発明の本実施形態において限定されないことがあり得ることに留意すべきである。換言すると、本発明の本実施形態において、Ｓ３０１は、Ｓ３０２の前に実行され得て、または、Ｓ３０２は、Ｓ３０１の前に実行され得て、または、Ｓ３０１およびＳ３０２は、同一の時間に実行され得る。
【０１５８】
Ｓ３０３．ＵＥは、ＵＥによって取得された予め定義された報告方式で、チャネル品質情報を基地局へ報告する。
【０１５９】
Ｓ３０３の具体的な説明については、Ｓ１０４においてＵＥによって基地局へ報告されるチャネル品質情報の関連する説明を参照されたい。詳細はここでは再度説明されない。
【０１６０】
Ｓ３０４．基地局が、ＵＥによって取得された予め定義された報告方式で、ＵＥによって報告されたチャネル品質情報を受信する。
【０１６１】
Ｓ３０５．基地局が、基地局によって取得された予め定義された報告方式に基づいて、チャネル品質情報を復調する。
【０１６２】
Ｓ３０４およびＳ３０５の具体的な説明については、Ｓ１０５およびＳ１０６の関連する説明を参照されたい。詳細はここでは再度説明されない。
【０１６３】
本発明の本実施形態において提供されるチャネル品質情報報告方法によれば、基地局がビームフォーミング技術を使用することによってダウンリンク信号をＵＥへ送信するプロセスにおいて、基地局およびＵＥは、ＵＥによるチャネル品質情報の報告の予め定義された報告方式を別個に取得し得て（報告方式は、報告粒度、報告範囲および報告モードのうちの少なくとも１つを含み得る）、次に、ＵＥは、当該報告方式でチャネル品質情報を基地局へ報告し得て、基地局は、ＵＥによって報告されるチャネル品質情報を受信し、当該報告方式に基づいてチャネル品質情報を復調する。従来技術と比較して、本発明の本実施形態において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【０１６４】
上述では主に、デバイス間のやり取りの観点から、本発明の実施形態において提供される解決手段を説明する。上述の機能を実装するべく、基地局およびＵＥなどのデバイスは、各機能を実行するための対応するハードウェア構造および／またはソフトウェアモジュールを含むことが理解され得る。当業者であれば、本明細書において開示される実施形態において説明される例との組み合わせにより、ユニットおよびアルゴリズム段階が、ハードウェアの形式で、または、ハードウェアおよびコンピュータソフトウェアの組み合わせの形式で実装され得ることを容易に認識するはずである。機能がハードウェアによって実行されるか、または、ハードウェアを駆動するコンピュータソフトウェアによって実行されるかは、技術的解決法の特定の用途、および、設計上の制約に依存する。当業者であれば、異なる方法を使用して、各特定の用途のための説明された機能を実装し得るが、当該実装は本発明の範囲を超えるものとみなされるべきでない。
【０１６５】
本発明の実施形態において、機能モジュールの分割が、上述の方法の例に基づいて、基地局およびＵＥに対して実行され得る。例えば、各機能モジュールは、対応する機能に基づく分割を通して取得され得る、または、２以上の機能が１つの処理モジュールに統合され得る。統合モジュールは、ハードウェアの形式で実装され得る、または、ソフトウェア機能モジュールの形式で実装され得る。本発明の実施形態におけるモジュール分割は例であり、論理的機能分割に過ぎず、実際の実装においては別の分割方式があり得ることに留意すべきである。
【０１６６】
本発明の一実施形態は基地局を提供する。各機能モジュールが、対応する機能に基づく分割を通して取得されるとき、図７は、上述の実施形態における基地局の可能な概略構造図である。基地局は、取得モジュール１１０、構成モジュール１２０、受信モジュール１３０および復調モジュール１４０を含む。取得モジュール１１０は、上述された方法の実施形態におけるＳ１０１およびＳ３０１の実行において基地局をサポートするよう構成される。構成モジュール１２０は、上述された方法の実施形態のＳ１０２を基地局が実行することをサポートするよう構成される。受信モジュール１３０は、上述された方法の実施形態のＳ１０５、Ｓ２０３およびＳ３０４を基地局が実行することをサポートするよう構成される。復調モジュールは、上述された方法の実施形態のＳ１０６、Ｓ２０４およびＳ３０５を基地局が実行することをサポートするよう構成される。上述された方法の実施形態における各段階の全ての関連内容は、対応する機能モジュールの機能説明において言及され得て、ここでは詳細を説明しない。
【０１６７】
統合されたユニットが使用されるとき、図８は、上述の実施形態における基地局に可能な概略構造図である。基地局は、処理モジュール２２０および通信モジュール２３０を含む。処理モジュール２２０は、基地局のアクションを制御および管理するよう構成される。例えば、処理モジュール２２０は、取得モジュール１２０および復調モジュール１４０によって実行される段階、および／または、本明細書において説明される技術の別のプロセスを基地局が実行することをサポートするよう構成される。通信モジュール２３０は、基地局と別のネットワークエンティティとの間の通信をサポートするよう構成される。例えば、通信モジュール２３０は、構成モジュール１１０および受信モジュール１３０によって実行される段階を基地局が実行することをサポートするよう構成される。図８に示されるように、基地局は、ストレージモジュール２１０およびバス２４０を更に含み得て、ストレージモジュール２１０は、基地局のプログラムコードおよびデータを記憶するよう構成される。
【０１６８】
処理モジュール２２０は、基地局におけるプロセッサまたはコントローラであり得る。図２に示される基地局におけるベースバンドユニット２００は、少なくとも１つのプロセッサまたはコントローラを含み、プロセッサまたはコントローラは、本発明において開示される内容に関連して説明される様々な例示的な論理ブロック、モジュールおよび回路を実装または実行し得る。プロセッサまたはコントローラは、中央処理装置（ｃｅｎｔｒａｌ  ｐｒｏｃｅｓｓｉｎｇ  ｕｎｉｔ、ＣＰＵ）、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）、または、別のプログラマブルロジックデバイス、トランジスタ論理デバイス、ハードウェアコンポーネント、もしくは、それらの任意の組み合わせであり得る。プロセッサまたはコントローラは、本発明に開示される内容に関連して説明される様々な例示的な論理ブロック、モジュールおよび回路を実装または実行し得る。プロセッサは、演算処理機能を実装する組み合わせ、例えば、１または複数のマイクロプロセッサの組み合わせ、または、ＤＳＰおよびマイクロプロセッサの組み合わせであり得る。
【０１６９】
通信モジュール２３０は、基地局におけるトランシーバ、送受信機回路、通信インタフェース、または同様のものであり得る。トランシーバ、送受信機回路、通信インタフェース、または同様のものは、図２に示される基地局における無線リモートユニット２０１およびアンテナ２０２であり得る。
【０１７０】
ストレージモジュール２１０は、基地局におけるメモリまたは同様のものであり得て、メモリは、図２に示されるベースバンドユニット２００に統合され得る。メモリは、揮発性メモリ（ｖｏｌａｔｉｌｅ  ｍｅｍｏｒｙ）、例えば、ランダムアクセスメモリ（ｒａｎｄｏｍ  ａｃｃｅｓｓ  ｍｅｍｏｒｙ、ＲＡＭ）を含み得て、または、メモリは、不揮発性メモリ（ｎｏｎｖｏｌａｔｉｌｅ  ｍｅｍｏｒｙ）、例えば、リードオンリメモリ（ｒｅａｄ−ｏｎｌｙ  ｍｅｍｏｒｙ、ＲＯＭ）、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、または、ソリッドステートドライブ（ｓｏｌｉｄ  ｓｔａｔｅ  ｄｒｉｖｅ、ＳＳＤ）を含み得て、または、メモリは、上述の種類のメモリの組み合わせを含み得る。
【０１７１】
バス２４０は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、ＰＣＩ）バス、拡張型業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バス、または同様のものであり得る。バス２４０は、アドレスバス、データバス、制御バスなどに分類され得る。表現しやすくするために、図８では、１本の太線のみを使用してバスを表しているが、このことは、１本のバスのみ、または、１種類のバスのみがあることを指示するものではない。
【０１７２】
本発明の実施形態は、コンピュータ可読記憶媒体を更に提供する。コンピュータ可読記憶媒体は、１または複数のプログラムを記憶し、１または複数のプログラムは命令を含む。基地局におけるプロセッサが命令を実行するとき、基地局は、上述された方法の実施形態において示される方法手順において基地局によって実行される段階を実行する。
【０１７３】
本発明の実施形態はＵＥを提供する。各機能モジュールが、対応する機能に基づく分割を通して取得されるとき、図９は、上述の実施形態における基地局の可能な概略構造図である。ＵＥは取得モジュール３１０および報告モジュール３２０を含む。取得モジュール３１０は、上述された方法の実施形態におけるＳ１０３、Ｓ２０１およびＳ３０２をＵＥが実行することをサポートするよう構成される。報告モジュール３２０は、上述された方法の実施形態におけるＳ１０４、Ｓ２０２およびＳ３０３をＵＥが実行することをサポートするよう構成される。上述された方法の実施形態における各段階の全ての関連内容は、対応する機能モジュールの機能説明において言及され得て、ここでは詳細を説明しない。
【０１７４】
統合されたユニットが使用されるとき、図１０は、上述の実施形態におけるＵＥの可能な概略構造図である。ＵＥは、処理モジュール４２０および通信モジュール４３０を含む。処理モジュール４２０は、ＵＥのアクションを制御および管理する、例えば、取得モジュール３１０によって実行される段階、および／または、明細書において説明される技術の別のプロセスを実行するよう構成される。通信モジュール４３０は、ＵＥと別のネットワークエンティティとの間の通信をサポートするよう、例えば、報告モジュール３２０および取得モジュール３１０によって実行される段階を実行するよう構成される。図１０に示されるように、ＵＥは、ストレージモジュール４１０およびバス４４０を更に含み得て、ストレージモジュール４１０は、ＵＥのプログラムコードおよびデータを記憶するよう構成される。
【０１７５】
処理モジュール４２０はＵＥにおけるプロセッサまたはコントローラであり得る。プロセッサまたはコントローラは、図３に示される携帯電話におけるプロセッサ１１であり得る。プロセッサまたはコントローラは、本発明において開示される内容に関連して説明される様々な例示的な論理ブロック、モジュールおよび回路を実装または実行し得る。プロセッサまたはコントローラは、中央処理装置、汎用プロセッサ、デジタル信号プロセッサ、特定用途向け集積回路、フィールドプログラマブルゲートアレイ、または、別のプログラマブルロジックデバイス、トランジスタ論理デバイス、ハードウェアコンポーネント、もしくは、それらの任意の組み合わせであり得る。プロセッサまたはコントローラは、本発明に開示される内容に関連して説明される様々な例示的な論理ブロック、モジュールおよび回路を実装または実行し得る。プロセッサは、演算処理機能を実装する組み合わせ、例えば、１または複数のマイクロプロセッサの組み合わせ、または、ＤＳＰおよびマイクロプロセッサの組み合わせであり得る。
【０１７６】
通信モジュール４３０は、ＵＥにおけるトランシーバ、送受信機回路、通信インタフェース、または同様のものであり得る。トランシーバ、送受信機回路、通信インタフェースまたは同様のものは、図３に示される携帯電話におけるＲＦ回路１２であり得る。
【０１７７】
ストレージモジュール４１０は、ＵＥにおけるメモリまたは同様のものであり得て、メモリは、図３に示される携帯電話におけるメモリ１４であり得る。メモリは、揮発性メモリ、例えば、ランダムアクセスメモリを含み得て、または、メモリは、不揮発性メモリ、例えば、リードオンリメモリ、フラッシュメモリ、ハードディスクドライブまたはソリッドステートドライブを含み得て、または、メモリは、上述の種類のメモリの組み合わせを含み得る。
【０１７８】
バス４４０は、ＥＩＳＡバスまたは同様のものであり得る。バス４４０は、アドレスバス、データバス、制御バス、および同様のものに分類され得る。表現しやすくするために、図１０では、１本の太線のみを使用してバスを表しているが、このことは、１本のバスのみ、または、１種類のバスのみがあることを指示するものではない。
【０１７９】
本発明の本実施形態におけるＵＥに含まれる他のコンポーネントについては、図３に示されるＵＥの構造の上述の関連する説明を参照されたい。ここでは詳細を再度説明しない。
【０１８０】
本発明の実施形態は通信システムを提供し、通信システムは基地局およびＵＥを含み得る。本発明の本実施形態において提供される通信システムの詳細については、図１に示される通信システムの概略アーキテクチャ図を参照されたい。基地局は、図１に示される基地局であり得て、ＵＥは、図１に示されるＵＥであり得る。基地局およびＵＥの具体的な説明については、上述された方法の実施形態および装置の実施形態における関連する説明を参照されたい。ここでは詳細を再度説明しない。
【０１８１】
上述の実施形態の全てまたは一部は、ソフトウェア、ハードウェア、ファームウェア、または、それらの任意の組み合わせを通して実装され得る。ソフトウェアプログラムが実施形態を実装するために使用されるとき、実施形態の全てまたは一部は、コンピュータプログラム製品の形式で実装され得る。コンピュータプログラム製品は、１または複数のコンピュータ命令を含む。コンピュータ命令がコンピュータ上にロードされて実行されるとき、本発明の実施形態に係る手順または機能が全てまたは部分的に生成される。コンピュータは、汎用コンピュータ、専用コンピュータ、コンピュータネットワーク、または、別のプログラマブル装置であり得る。コンピュータ命令は、コンピュータ可読記憶媒体に記憶され得る、または、あるコンピュータ可読記憶媒体から別のものに伝送され得る。例えば、コンピュータ命令は、あるウェブサイト、コンピュータ、サーバまたはデータセンターから、別のウェブサイト、コンピュータ、サーバまたはデータセンターへ、有線（例えば、同軸ケーブル、光ファイバ、または、デジタル加入者線（ＤＳＬ））または無線（例えば、赤外線、無線、または、マイクロ波）方式で伝送され得る。コンピュータ可読記憶媒体は、コンピュータによってアクセス可能な任意の使用可能な媒体、または、１または複数の使用可能な媒体を統合した、サーバもしくはデータセンターなどのデータ記憶デバイスであり得る。使用可能な媒体は、磁気媒体（例えば、フロッピー（登録商標）ディスク、磁気ディスク、または、磁気テープ）、光媒体（例えば、デジタルビデオディスク（ｄｉｇｉｔａｌ  ｖｉｄｅｏ  ｄｉｓｃ、ＤＶＤ）、半導体媒体（例えば、ソリッドステートドライブ（ｓｏｌｉｄ  ｓｔａｔｅ  ｄｒｉｖｅｓ、ＳＳＤ）、または同様のものであり得る。
【０１８２】
実装についての上述の説明により、当業者は、説明の便宜および簡潔性のために、上述の機能モジュールの分割が説明のための例として使用されていることを理解できる。実際の用途において、上述の機能は、要件に基づいて、異なるモジュールに割り当てられ、実装され得る。すなわち、上述の機能の全てまたは一部を実装するために、装置の内部構造は異なる機能モジュールに分割される。上述されたシステム、装置、およびユニットの詳細な動作処理については、上述された方法の実施形態における対応する処理を参照するものとし、詳細は本明細書において再度説明されない。
【０１８３】
本願において提供される実施形態において、開示されるシステム、装置、および方法は、他の方式で実装され得ることを理解すべきである。例えば、説明されている装置の実施形態は一例に過ぎない。例えば、モジュールまたはユニットの分割は、論理的機能の分割に過ぎず、実際の実装においては、他の分割であり得る。例えば、複数のユニットもしくはコンポーネントが別のシステムに組み合わされるか、もしくは統合されてよく、または、いくつかの特徴が無視されるか、または実行されなくてよい。加えて、表示または説明されている相互結合もしくは直接結合または通信接続は、いくつかのインタフェースを使用することによって実装されてよい。装置間またはユニット間の間接的な結合または通信接続は、電子的、機械的、または他の形態で実現されてよい。
【０１８４】
別個の部分として説明されたユニットは、物理的に分かれていても、そうでなくてもよい。また、ユニットとして表示された部分は、物理的ユニットであっても、そうでなくてもよく、一か所に配置されてよく、または、複数のネットワークユニットにおいて分散されてよい。それらのユニットの一部または全てが、実施形態の解決手段の目的を達成するための実際の要件に基づいて選択されてよい。
【０１８５】
さらに、本発明の実施形態における機能ユニットは、１つの処理ユニットに統合されてよく、または、ユニットの各々は、物理的に単独で存在してよく、または、２つもしくはそれより多くのユニットが、１つのユニットに統合されてよい。統合されたユニットは、ハードウェアの形態で実装されてよく、または、ソフトウェア機能ユニットの形態で実装されてよい。
【０１８６】
統合されたユニットがソフトウェア機能ユニットの形式で実装され、個別の製品として販売または使用されるとき、統合されたユニットはコンピュータ可読記憶媒体に記憶され得る。そのような理解に基づいて、本発明の技術的解決法は基本的に、または従来技術に寄与する部分は、または技術的解決法の全部もしくは一部は、ソフトウェア製品の形態で実装されてよい。コンピュータソフトウェア製品は、記憶媒体に格納され、コンピュータデバイス（パーソナルコンピュータ、サーバ、またはネットワークデバイスであってよい）またはプロセッサに、本発明の実施形態において説明された方法の段階の全てまたはいくつかを実行するように命令するためのいくつかの命令を含む。記憶媒体は、フラッシュメモリ、リムーバブルハードディスク、リードオンリメモリ、ランダムアクセスメモリ、磁気ディスクまたは光ディスクなど、プログラムコードを記憶できる任意の媒体を含む。
【０１８７】
上述の説明は、本発明の特定の実装例に過ぎず、本発明の保護範囲を限定することを意図したものではない。本発明において開示された技術的範囲内で当業者が容易に考案したあらゆる変形または置き換えは、本発明の保護範囲に含まれるものとする。従って、本発明の保護範囲は、特許請求の範囲の保護範囲に従うものとする。
【図１】
2019530369.tif 000003
【図２】
2019530369.tif 000004
【図３】
2019530369.tif 000005
【図４】
2019530369.tif 000006
【図５】
2019530369.tif 000007
【図６】
2019530369.tif 000008
【図７】
2019530369.tif 000009
【図８】
2019530369.tif 000010
【図９】
2019530369.tif 000011
【図１０】
2019530369.tif 000012
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
チャネル品質情報報告方法であって、
基地局が、ユーザ機器（ＵＥ）によるチャネル品質情報の報告の報告方式を取得する段階と、
前記基地局が、前記ＵＥによって報告される前記チャネル品質情報を受信する段階であって、前記チャネル品質情報は、前記ＵＥが前記報告方式を使用することによって報告する、段階と、
前記基地局が、前記報告方式に基づいて前記チャネル品質情報を復調する段階とを備える方法。
【請求項２】
前記報告方式は、報告粒度、報告範囲および報告モードのうちの少なくとも１つを含む、請求項１に記載の方法。
【請求項３】
前記報告モードは、第１報告モードおよび第２報告モードを含み、前記第１報告モードにおいて前記ＵＥによって前記チャネル品質情報を報告するためのビット数は、前記第２報告モードにおいて前記ＵＥによって前記チャネル品質情報を報告するためのビット数より大きい、または、それに等しく、前記第１報告モードは非差分報告モードであり、前記第２報告モードは差分報告モードである、請求項２に記載の方法。
【請求項４】
前記基地局が、前記ＵＥによって報告される前記チャネル品質情報を受信する前記段階は、
前記基地局が、前記ＵＥによって報告される前記チャネル品質情報を物理チャネルから受信する段階であって、前記物理チャネルは、物理アップリンク制御チャネルおよび物理アップリンク共有チャネルのうちの少なくとも１つを含む、段階を含む、請求項１から３のいずれか一項に記載の方法。
【請求項５】
前記報告粒度は、第１報告粒度および第２報告粒度を含み、前記第１報告粒度は２であり、前記第２報告粒度は１である、請求項２に記載の方法。
【請求項６】
前記第１報告粒度は、前記第２報告粒度より大きい、または、それに等しい、請求項５に記載の方法。
【請求項７】
前記報告方式は予め定義され、
前記チャネル品質情報は、基準信号受信電力を含む、請求項１から６のいずれか一項に記載の方法。
【請求項８】
前記基地局が、前記ＵＥによって報告される前記チャネル品質情報に基づいて前記報告粒度を決定する段階を更に含む、請求項２から７のいずれか一項に記載の方法。
【請求項９】
基地局が、ＵＥによるチャネル品質情報の報告の報告方式を取得する前記段階の後、かつ、前記基地局が、前記ＵＥによって報告される前記チャネル品質情報を受信する前記段階の前に、
前記基地局が前記ＵＥのために前記報告方式を構成する段階を更に備える、請求項１から８のいずれか一項に記載の方法。
【請求項１０】
前記基地局が前記ＵＥのために前記報告方式を構成する前記段階は、
前記基地局が上位層シグナリングおよび／または物理層制御シグナリングを前記ＵＥへ送信する段階であって、前記上位層シグナリングまたは前記物理層制御シグナリングは、前記報告方式の指示情報を含み、前記指示情報は、前記ＵＥによる前記チャネル品質情報の報告の前記報告方式を指示するために使用される、段階を含む、請求項９に記載の方法。
【請求項１１】
チャネル品質情報報告方法であって、
ユーザ機器（ＵＥ）が、前記ＵＥによるチャネル品質情報の報告の報告方式を取得する段階と、
前記ＵＥが、前記報告方式を使用して前記チャネル品質情報を基地局へ報告する段階と
を備える方法。
【請求項１２】
前記報告方式は、報告粒度、報告範囲および報告モードのうちの少なくとも１つを含む、請求項１１に記載の方法。
【請求項１３】
前記報告モードは、第１報告モードおよび第２報告モードを含み、前記第１報告モードにおいて前記ＵＥによって前記チャネル品質情報を報告するためのビット数は、前記第２報告モードにおいて前記ＵＥによって前記チャネル品質情報を報告するためのビット数より大きい、または、それに等しく、前記第１報告モードは非差分報告モードであり、前記第２報告モードは差分報告モードである、請求項１２に記載の方法。
【請求項１４】
前記ＵＥが前記報告方式を使用して前記チャネル品質情報を前記基地局へ報告する前記段階は、
前記ＵＥが、前記報告方式を使用して、物理チャネルで前記チャネル品質情報を前記基地局へ報告する段階であって、前記物理チャネルは、物理アップリンク制御チャネルおよび物理アップリンク共有チャネルのうちの少なくとも１つを含む、段階を含む、請求項１１から１３のいずれか一項に記載の方法。
【請求項１５】
前記報告粒度は第１報告粒度および第２報告粒度を含み、前記第１報告粒度は２であり、前記第２報告粒度は１である、請求項１２に記載の方法。
【請求項１６】
前記第１報告粒度は、前記第２報告粒度より大きい、または、それに等しい、請求項１５に記載の方法。
【請求項１７】
前記報告方式は予め定義され、
前記チャネル品質情報は、基準信号受信電力を含む、請求項１１から１６のいずれか一項に記載の方法。
【請求項１８】
前記ＵＥが前記チャネル品質情報に基づいて前記報告粒度を決定する段階を更に含む、請求項１２から１７のいずれか一項に記載の方法。
【請求項１９】
ＵＥが、前記ＵＥによるチャネル品質情報の報告の報告方式を取得する前記段階は、
前記ＵＥが、前記チャネル品質情報に基づいて前記報告方式を決定する段階であって、前記ＵＥによって前記基地局へ報告される前記チャネル品質情報は、前記報告方式を更に含む、段階を含む、請求項１１から１８のいずれか一項に記載の方法。
【請求項２０】
ＵＥが、前記ＵＥによるチャネル品質情報の報告の報告方式を取得する前記段階は、
前記ＵＥが、前記基地局によって構成される前記報告方式を受信する段階を含む、請求項１１から１８のいずれか一項に記載の方法。
【請求項２１】
前記ＵＥが、前記基地局によって構成される前記報告方式を受信する前記段階は、
前記ＵＥが、前記基地局によって送信された上位層シグナリングおよび／または物理層制御シグナリングを受信する段階であって、前記上位層シグナリングまたは前記物理層制御シグナリングは、前記報告方式の指示情報を含み、前記指示情報は、前記ＵＥによる前記チャネル品質情報の報告の前記報告方式を指示するために使用される、段階を含む、請求項２０に記載の方法。
【請求項２２】
取得モジュール、受信モジュールおよび復調モジュールを備える基地局であって、
前記取得モジュールは、ユーザ機器（ＵＥ）によるチャネル品質情報の報告の報告方式を決定するよう構成され、
前記受信モジュールは、前記ＵＥによって報告される前記チャネル品質情報を受信するよう構成され、前記チャネル品質情報は、前記ＵＥが前記報告方式を使用することによって報告するものであり、
前記復調モジュールは、前記報告方式に基づき、前記受信モジュールによって受信された前記チャネル品質情報を復調するよう構成される、
基地局。
【請求項２３】
前記報告方式は、報告粒度、報告範囲および報告モードのうちの少なくとも１つを含む、請求項２２に記載の基地局。
【請求項２４】
前記報告モードは、第１報告モードおよび第２報告モードを含み、前記第１報告モードにおいて前記ＵＥによって前記チャネル品質情報を報告するためのビット数は、前記第２報告モードにおいて前記ＵＥによって前記チャネル品質情報を報告するためのビット数より大きい、または、それに等しく、前記第１報告モードは非差分報告モードであり、前記第２報告モードは差分報告モードである、請求項２３に記載の基地局。
【請求項２５】
前記受信モジュールは具体的には、前記ＵＥによって報告される前記チャネル品質情報を物理チャネルから受信するよう構成され、前記物理チャネルは、物理アップリンク制御チャネルおよび物理アップリンク共有チャネルのうちの少なくとも１つを含む、請求項２２から２４のいずれか一項に記載の基地局。
【請求項２６】
前記報告粒度は第１報告粒度および第２報告粒度を含み、前記第１報告粒度は２であり、前記第２報告粒度は１である、請求項２３に記載の基地局。
【請求項２７】
前記第１報告粒度は、前記第２報告粒度より大きい、または、それに等しい、請求項２６に記載の基地局。
【請求項２８】
前記報告方式は予め定義され、
前記チャネル品質情報は基準信号受信電力を含む、請求項２２から２７のいずれか一項に記載の基地局。
【請求項２９】
決定モジュールを更に備え、
前記決定モジュールは、前記ＵＥによって報告される前記チャネル品質情報に基づいて、前記報告粒度を決定するよう構成される、請求項２３から２８のいずれか一項に記載の基地局。
【請求項３０】
構成モジュールを更に備え、
前記構成モジュールは、前記ＵＥのために前記報告方式を構成するよう構成される、請求項２２から２９のいずれか一項に記載の基地局。
【請求項３１】
前記構成モジュールは具体的には、上位層シグナリングおよび／または物理層制御シグナリングを前記ＵＥへ送信するよう構成され、前記上位層シグナリングまたは前記物理層制御シグナリングは、前記報告方式の指示情報を含み、前記指示情報は、前記ＵＥによる前記チャネル品質情報の報告の前記報告方式を指示するために使用される、請求項３０に記載の基地局。
【請求項３２】
ユーザ機器（ＵＥ）であって、
取得モジュールおよび報告モジュールを備え、
前記取得モジュールは、前記ＵＥによるチャネル品質情報の報告の報告方式を取得するよう構成され、
前記報告モジュールは、前記報告方式を使用して前記チャネル品質情報を基地局へ報告するよう構成される、
ＵＥ。
【請求項３３】
前記報告方式は、報告粒度、報告範囲および報告モードのうちの少なくとも１つを含む、請求項３２に記載のＵＥ。
【請求項３４】
前記報告モードは、第１報告モードおよび第２報告モードを含み、前記第１報告モードにおいて前記ＵＥによって前記チャネル品質情報を報告するためのビット数は、前記第２報告モードにおいて前記ＵＥによって前記チャネル品質情報を報告するためのビット数より大きい、または、それに等しく、前記第１報告モードは非差分報告モードであり、前記第２報告モードは差分報告モードである、請求項３３に記載のＵＥ。
【請求項３５】
前記報告モジュールは具体的には、前記報告方式を使用して、物理チャネルで前記チャネル品質情報を前記基地局へ報告するよう構成され、前記物理チャネルは、物理アップリンク制御チャネルおよび物理アップリンク共有チャネルのうちの少なくとも１つを含む、
請求項３２から３４のいずれか一項に記載のＵＥ。
【請求項３６】
前記報告粒度は第１報告粒度および第２報告粒度を含み、前記第１報告粒度は２であり、前記第２報告粒度は１である、請求項３３に記載のＵＥ。
【請求項３７】
前記第１報告粒度は、前記第２報告粒度より大きい、または、それに等しい、請求項３６に記載のＵＥ。
【請求項３８】
前記報告方式は予め定義され、
前記チャネル品質情報は基準信号受信電力を含む、請求項３２から３７のいずれか一項に記載のＵＥ。
【請求項３９】
決定モジュールを更に備え、
前記決定モジュールは、前記チャネル品質情報に基づいて、前記報告粒度を決定するよう構成される、請求項３３から３８のいずれか一項に記載のＵＥ。
【請求項４０】
前記取得モジュールは具体的には、前記チャネル品質情報に基づいて前記報告方式を決定するよう構成され、
前記報告モジュールによって前記基地局へ報告される前記チャネル品質情報は、前記報告方式を更に含む、
請求項３２から３９のいずれか一項に記載のＵＥ。
【請求項４１】
前記取得モジュールは具体的には、前記基地局によって構成される前記報告方式を受信するよう構成される、請求項３２から３９のいずれか一項に記載のＵＥ。
【請求項４２】
前記取得モジュールは具体的には、前記基地局によって送信される上位層シグナリングおよび／または物理層制御シグナリングを受信するよう構成され、前記上位層シグナリングまたは前記物理層制御シグナリングは、前記報告方式の指示情報を含み、前記指示情報は、前記ＵＥによる前記チャネル品質情報の報告の前記報告方式を指示するために使用される、請求項４１に記載のＵＥ。
【請求項４３】
プロセッサ、トランシーバおよびメモリを備える基地局であって、
前記メモリは、コンピュータ実行可能命令を記憶するよう構成され、前記基地局が動作するとき、前記プロセッサは、前記メモリに記憶された前記コンピュータ実行可能命令を実行し、その結果、前記基地局は、請求項１から１０のいずれか一項に記載のチャネル品質情報報告方法を実行する、
基地局。
【請求項４４】
プロセッサ、トランシーバおよびメモリを備えるユーザ機器（ＵＥ）であって、
前記メモリは、コンピュータ実行可能命令を記憶するよう構成され、前記ＵＥが動作するとき、前記プロセッサは、前記メモリに記憶された前記コンピュータ実行可能命令を実行し、その結果、前記ＵＥは、請求項１１から２１のいずれか一項に記載のチャネル品質情報報告方法を実行する、
ＵＥ。
【請求項４５】
コンピュータ命令を備えるプログラムであって、前記コンピュータ命令が基地局で動作するとき、前記基地局は、請求項１から１０のいずれか一項に記載のチャネル品質情報報告方法を実行する、プログラム。
【請求項４６】
コンピュータ命令を備えるプログラムあって、前記コンピュータ命令がユーザ機器（ＵＥ）で動作するとき、前記ＵＥは、請求項１１から２１のいずれか一項に記載のチャネル品質情報報告方法を実行する、プログラム。
【請求項４７】
基地局およびユーザ機器ＵＥを備える通信システムであって、前記基地局は、請求項２２から３１または４３のいずれか一項に記載の基地局であり、前記ＵＥは、請求項３２から４２または請求項４４のいずれか一項に記載のＵＥである、通信システム。
【手続補正２】
【補正対象書類名】明細書
【補正対象項目名】全文
【補正方法】変更
【補正の内容】
【発明の詳細な説明】
【技術分野】
【０００１】
本願は、２０１６年９月３０日に中国特許庁に出願された、「チャネル品質情報報告方法、装置およびシステム」と題する中国特許出願第２０１６１０８７９３２３．１号に対する優先権を主張し、これは全体が参照により本明細書に組み込まれる。
【０００２】
本発明は通信技術の分野に関連し、特に、チャネル品質情報報告方法、装置およびシステムに関連する。
【背景技術】
【０００３】
通信技術の継続的な発展に伴い、ビームフォーミング技術がより広く応用されている。ビームフォーミング技術において、基地局は、基地局のアンテナアレイにおける各アンテナの重み係数を調整することにより指向性ビームを生成し、これにより、比較的大きいアンテナ利得を実現し、基地局がダウンリンク信号をユーザ機器（ｕｓｅｒ  ｅｑｕｉｐｍｅｎｔ、ＵＥ）へ送信するプロセスにおいてダウンリンク信号損失を補償する。
【０００４】
現在、基地局がビームフォーミング技術を使用してダウンリンク信号をＵＥへ送信するプロセスにおいて、基地局によって送信されるダウンリンク信号が、ＵＥの移動が原因で、現在の成形ビームの方向でＵＥに到達できない可能性があり、その結果、ＵＥによるダウンリンク信号の受信が頻繁に遮断されるという問題を回避するべく、ＵＥは、基地局とＵＥとの間のチャネル状態を反映できるチャネル品質情報を基地局へ動的に報告する必要がある。具体的には、ＵＥは、測定を通してチャネル品質情報を取得した後に毎回、チャネル品質情報を基地局へ報告する必要があり、その結果、基地局は、ＵＥにより報告されたチャネル品質情報に基づいて新しい成形ビームを選択できる。このようにして、基地局によってＵＥへ送信されるダウンリンク信号が、新しい成形ビームの方向で、成功裏にＵＥへ到達できることが保証される。
【０００５】
上のチャネル品質情報報告方法において、ＵＥは測定を通してチャネル品質情報を取得した後に毎回、チャネル品質情報を基地局へ報告する必要があるため、ＵＥは、比較的多くの量のチャネル品質情報を報告する必要がある。その結果、ＵＥによるチャネル品質情報の報告のオーバーヘッドは比較的高いことがあり得る。
【発明の概要】
【０００６】
本願は、ＵＥによるチャネル品質情報の報告のオーバーヘッドを低減するためのチャネル品質情報報告方法、装置およびシステムを提供する。
【０００７】
上述の目的を実現するために、以下の技術的解決法が本願において使用される。
【０００８】
第１態様によれば、チャネル品質情報報告方法が提供され、当該方法は、基地局が、ＵＥによるチャネル品質情報の報告の報告方式を取得する段階と、報告方式でＵＥによって報告されるチャネル品質情報を受信する段階と、報告方式に基づいてチャネル品質情報を復調する段階とを備える。
【０００９】
本願において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【００１０】
第１態様の第１の任意の実装において、基地局が、ＵＥによって報告されるチャネル品質情報を受信する段階は、基地局が、ＵＥによって報告されるチャネル品質情報を物理チャネルから受信する段階を含み得て、物理チャネルは、物理アップリンク制御チャネルおよび物理アップリンク共有チャネルのうちの少なくとも１つを含む。
【００１１】
本願において、ＵＥが物理アップリンク制御チャネルでチャネル品質情報を基地局へ報告するとき、基地局は、ＵＥによって報告されるチャネル品質情報を物理アップリンク制御チャネルから受信する、または、ＵＥがチャネル品質情報を物理アップリンク共有チャネルで基地局へ報告するとき、基地局は、ＵＥによって報告されるチャネル品質情報を物理アップリンク共有チャネルから受信する。
【００１２】
第１態様の第２の任意の実装において、基地局が、ＵＥによるチャネル品質情報の報告の報告方式を取得した後、かつ、基地局が、ＵＥによって報告されるチャネル品質情報を受信する前に、方法は、基地局がＵＥのために、ＵＥによるチャネル品質情報の報告の報告方式を構成する段階を更に備える。
【００１３】
本願において、基地局は、基地局によって取得された、ＵＥによるチャネル品質情報の報告の報告方式をＵＥのために構成し、その結果、ＵＥは、基地局によって構成される報告方式を受信した後に、当該報告方式でチャネル品質情報を基地局へ報告できる。
【００１４】
第１態様の第３の任意の実装において、基地局がＵＥのために報告方式を構成することは、基地局が、報告方式の指示情報を含む上位層シグナリングおよび／または物理層制御シグナリングをＵＥへ送信することを含み得る。
【００１５】
本願において、基地局は、報告方式の指示情報を含む上位層シグナリングおよび／または物理層制御シグナリングをＵＥへ送信し、その結果、ＵＥは、上位層シグナリングおよび／または物理層制御シグナリングを受信した後に、上位層シグナリングおよび／または物理層制御シグナリングにおける指示情報に基づいて報告方式を決定でき、次に、ＵＥは、当該報告方式で、チャネル品質情報を基地局へ報告できる。
【００１６】
第２態様によれば、チャネル品質情報報告方法が提供され、当該方法は、ＵＥが、ＵＥによるチャネル品質情報の報告の報告方式を取得する段階と、当該報告方式でチャネル品質情報を基地局へ報告する段階とを含む。
【００１７】
本願において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【００１８】
第２態様の第１の任意の実装において、ＵＥが報告方式でチャネル品質情報を基地局へ報告する段階は、ＵＥが、物理チャネルにおいて当該報報告方式でチャネル品質情報を基地局へ報告する段階を含み得て、物理チャネルは、物理アップリンク制御チャネルおよび物理アップリンク共有チャネルのうちの少なくとも１つを含む。
【００１９】
本願において、ＵＥは、物理アップリンク制御チャネルおよび／または物理アップリンク共有チャネルにおいて当該報告方式でチャネル品質情報を基地局へ報告し得る。このようにして、ＵＥは、異なる物理チャネルにおいて、チャネル品質情報を基地局へ報告できる。
【００２０】
第２態様の第２の任意の実装において、ＵＥが、ＵＥによるチャネル品質情報の報告の報告方式を取得する段階は、ＵＥがチャネル品質情報に基づいて報告方式を決定する段階を含み得て、ＵＥによって基地局へ報告されるチャネル品質情報は、報告方式の指示情報を更に含む。
【００２１】
本願において、ＵＥによって基地局へ報告されるチャネル品質情報における指示情報は、チャネル品質情報を報告するためにＵＥによって現在使用される報告方式を基地局に指示し得て、その結果、基地局は、ＵＥによるチャネル品質情報の報告の報告方式を認識できる。
【００２２】
第２態様の第３の任意の実装において、ＵＥがＵＥによるチャネル品質情報の報告の報告方式を取得する段階は、基地局によって構成される、ＵＥによるチャネル品質情報の報告の報告方式をＵＥが受信する段階を含み得る。
【００２３】
第２態様の第４の任意の実装において、ＵＥが、基地局によって構成される報告方式を受信する段階は、ＵＥが、基地局によって送信される報告方式の指示情報を含む上位層シグナリングおよび／または物理層制御シグナリングを受信する段階を含み得る。
【００２４】
本願において、基地局によって送信される、報告方式の指示情報を含む上位層シグナリングおよび／または物理層制御シグナリングを受信した後に、ＵＥは、上位層シグナリングおよび／または物理層制御シグナリングにおける指示情報に基づき、報告方式を決定し得て、次に、ＵＥは、当該報告方式で、チャネル品質情報を基地局へ報告し得る。
【００２５】
第３態様によれば、基地局が提供され、基地局は、取得モジュール、受信モジュールおよび復調モジュールを備え、取得モジュールは、ユーザ機器ＵＥによるチャネル品質情報の報告の報告方式を決定するよう構成され、受信モジュールは、ＵＥによって当該報告方式で報告されるチャネル品質情報を受信するよう構成され、復調モジュールは、報告方式に基づいて、受信モジュールによって受信されるチャネル品質情報を復調するよう構成される。
【００２６】
第３態様の第１の任意の実装において、受信モジュールは具体的には、ＵＥによって報告されるチャネル品質情報を物理チャネルから受信するよう構成され、物理チャネルは、物理アップリンク制御チャネルおよび物理アップリンク共有チャネルのうちの少なくとも１つを含む。
【００２７】
第３態様の第２の任意の実装において、基地局は構成モジュールを更に含み、構成モジュールは、取得モジュールがＵＥによるチャネル品質情報の報告の報告方式を決定した後に、受信モジュールがＵＥによって報告されるチャネル品質情報を受信する前に、ＵＥによるチャネル品質情報の報告の報告方式をＵＥのために構成するよう構成される。
【００２８】
第３態様の第３の任意の実装において、構成モジュールは具体的には、報告方式の指示情報を含む上位層シグナリングおよび／または物理層制御シグナリングをＵＥへ送信するよう構成される。
【００２９】
第３態様、および、第３態様の任意の実装のいずれか１つの技術的効果については、第１態様および第１態様の任意の実装のいずれか１つの技術的効果の関連する説明を参照されたい。詳細はここでは再び説明されない。
【００３０】
第１態様および第３態様において、報告方式は、基地局において予め定義され得る。
【００３１】
本願において、報告方式は基地局において予め定義（予め記憶）され、基地局において予め定義される報告方式は、ＵＥにおいて予め定義される報告方式と同一であり、その結果、ＵＥが予め定義された報告方式でチャネル品質情報を報告するとき、基地局は、ＵＥによるチャネル品質情報の報告の報告方式を認識できる。
【００３２】
第４態様によれば、ＵＥが提供され、ＵＥは、取得モジュールおよび報告モジュールを含み、取得モジュールは、ＵＥによるチャネル品質情報の報告の報告方式を取得するよう構成され、報告モジュールは、当該報告方式でチャネル品質情報を基地局へ報告するよう構成される。
【００３３】
第４態様の第１の任意の実装において、報告モジュールは具体的には、当該報告方式で物理チャネルにおいてチャネル品質情報を基地局へ報告するよう構成され、物理チャネルは、物理アップリンク制御チャネルおよび物理アップリンク共有チャネルのうちの少なくとも１つを含む。
【００３４】
第４態様の第２の任意の実装において、取得モジュールは具体的には、ＵＥによるチャネル品質情報の報告の報告方式を決定するよう構成され、報告モジュールによって基地局へ報告されるチャネル品質情報は、報告方式の指示情報を更に含む。
【００３５】
第４態様の第３の任意の実装において、取得モジュールは具体的には、基地局によって構成される、ＵＥによるチャネル品質情報の報告の報告方式を受信するよう構成される。
【００３６】
第４態様の第４の任意の実装において、取得モジュールは具体的には、基地局によって送信される報告方式の指示情報を含む上位層シグナリングおよび／または物理層制御シグナリングを受信するよう構成される。
【００３７】
第４態様および第４態様の任意の実装のいずれか１つの技術的効果については、第２態様および第２態様の任意の実装のいずれか１つの技術的効果の関連する説明を参照されたい。詳細はここでは再び説明されない。
【００３８】
第２態様および第４態様において、報告方式はＵＥにおいて予め定義され得る。
【００３９】
本願において、報告方式は、ＵＥにおいて予め定義（予め記憶）され、ＵＥにおいて予め定義される報告方式は、基地局において予め定義される報告方式と同一であり、その結果、ＵＥが予め定義された報告方式でチャネル品質情報を報告するとき、基地局は、ＵＥによるチャネル品質情報の報告の報告方式を認識できる。
【００４０】
第１態様から第４態様において、報告方式は、報告粒度、報告範囲および報告モードのうちの少なくとも１つを含む。
【００４１】
本願において、報告方式は、報告粒度、報告範囲および報告モードのうちの少なくとも１つを含み得る。このようにして、チャネル品質情報を報告する複数の報告方式が提供され得て、ＵＥは、複数の報告方式のうちの少なくとも１つで、チャネル品質情報を基地局へ報告することを柔軟に選択できる。
【００４２】
第４態様の第１態様において、報告モードは、第１報告モードおよび第２報告モードを含み、第１報告モードにおいてＵＥによってチャネル品質情報を報告するためのビット数は、第２報告モードにおいてＵＥによってチャネル品質情報を報告するためのビット数より大きい、または、それに等しい。
【００４３】
第４態様の第１態様において、第１報告モードは非差分報告モードであり、第２報告モードは差分報告モードである。
【００４４】
本願において、報告モードが差分報告モードであるとき、ＵＥは差分報告モードに基づいてチャネル品質情報を基地局へ報告し得る。具体的には、ＵＥは、現在の測定を通して取得されたチャネル品質情報と、以前の測定を通してＵＥによって取得されたチャネル品質情報との間の差を基地局へ報告するが、ＵＥは、現在の測定を通して取得されたチャネル品質情報（すなわち、チャネル品質情報の特定の値）の絶対情報を基地局へ報告する必要はない。このようにして、ＵＥによって報告されるチャネル品質情報の量は比較的小さく、その結果、ＵＥによる基地局へのチャネル品質情報の報告のオーバーヘッドを低減できる。
【００４５】
第１態様から第４態様において、報告粒度は、第１報告粒度および第２報告粒度を含み、第１報告粒度は、物理アップリンク制御チャネルでのＵＥによるチャネル品質情報の報告の粒度であり、第２報告粒度は、物理アップリンク共有チャネルでのＵＥによるチャネル品質情報の報告の粒度である。
【００４６】
第１態様から第４態様において、第１報告粒度は、第２報告粒度より大きい、または、それに等しい。
【００４７】
本願において、物理アップリンク制御チャネルは限定されたリソースを有する。従って、基地局およびＵＥは、ＵＥが物理アップリンク制御チャネルを使用することによって基地局へチャネル品質情報を報告するために、より大きい第１報告粒度を取得し得て、その結果、ＵＥによってチャネル品質情報を基地局へ報告するオーバーヘッドを低減でき、物理アップリンク制御チャネルのリソースを更に低減できる。加えて、基地局およびＵＥは、ＵＥが物理アップリンク共有チャネルを使用することによって基地局へチャネル品質情報を報告するために、より小さい第２報告粒度を取得し得て、その結果、ＵＥによってチャネル品質情報を基地局へ報告する正確度を改善できる。
【００４８】
第５態様によれば、基地局が提供され、基地局は、プロセッサ、トランシーバおよびメモリを備え、メモリは、コンピュータ実行可能命令を記憶するよう構成され、基地局が動作するとき、プロセッサは、メモリに記憶されたコンピュータ実行可能命令を実行し、その結果、基地局は、第１態様および第１態様の任意の実装のいずれか１つにおけるチャネル品質情報報告方法を実行する。
【００４９】
第６態様によれば、コンピュータ可読記憶媒体が提供され、コンピュータ可読記憶媒体は、コンピュータ命令を含み得て、コンピュータ命令が基地局で動作するとき、基地局は、第１態様および第１態様の任意の実装のいずれか１つにおけるチャネル品質情報報告方法を実行する。
【００５０】
第７態様によれば、命令を含むコンピュータプログラム製品が提供され、コンピュータプログラム製品が基地局で動作するとき、基地局は、第１態様および第１態様の任意の実装のいずれか１つにおけるチャネル品質情報報告方法を実行する。
【００５１】
第５態様から第７態様の技術的効果については、第１態様および第１態様の任意の実装のいずれか１つの技術的効果の関連する説明を参照されたい。詳細はここでは再び説明されない。
【００５２】
第８態様によれば、ＵＥが提供され、ＵＥは、プロセッサ、トランシーバおよびメモリを含み、メモリは、コンピュータ実行可能命令を記憶するよう構成され、ＵＥが動作するとき、プロセッサは、メモリに記憶されたコンピュータ実行可能命令を実行し、その結果、ＵＥは、第２態様および第２態様の任意の実装のいずれか１つにおけるチャネル品質情報報告方法を実行する。
【００５３】
第９態様によれば、コンピュータ可読記憶媒体が提供され、コンピュータ可読記憶媒体はコンピュータ命令を含み得て、コンピュータ命令がＵＥで動作するとき、ＵＥは、第２態様および第２態様の任意の実装のいずれか１つにおけるチャネル品質情報報告方法を実行する。
【００５４】
第１０態様によれば、命令を含むコンピュータプログラム製品が提供され、コンピュータプログラム製品がＵＥで動作するとき、ＵＥは、第２態様および第２態様の任意の実装のいずれか１つにおけるチャネル品質情報報告方法を実行する。
【００５５】
第８態様から第１０態様の技術的効果については、第２態様および第２態様の任意の実装のいずれか１つの技術的効果の関連する説明を参照されたい。詳細はここでは再び説明されない。
【００５６】
第１１態様によれば、通信システムが提供され、通信システムは、第３態様および第３態様の任意の実装のいずれか１つにおける基地局と、第４態様および第４態様の任意の実装のいずれか１つにおけるＵＥとを備える、または、通信システムは、第５態様における基地局と、第８態様におけるＵＥとを備える。
【００５７】
第１１態様の技術的効果については、第３態様および第３態様の任意の実装のいずれか１つ、第４態様および第４態様の任意の実装のいずれか１つ、第５態様、第８態様の技術的効果の関連する説明を参照されたい。詳細はここでは再び説明されない。
【図面の簡単な説明】
【００５８】
【図１】本発明の一実施形態に係る通信システムの概略アーキテクチャ図である。
【００５９】
【図２】本発明の実施形態に係る基地局のハードウェアの概略構造図である。
【００６０】
【図３】本発明の実施形態に係る携帯電話のハードウェアの概略構造図である。
【００６１】
【図４】本発明の実施形態に係るチャネル品質情報報告方法の模式図１である。
【００６２】
【図５】本発明の実施形態に係るチャネル品質情報報告方法の模式図２である。
【００６３】
【図６】本発明の実施形態に係るチャネル品質情報報告方法の模式図３である。
【００６４】
【図７】本発明の実施形態に係る基地局の概略構造図１である。
【００６５】
【図８】本発明の実施形態に係る基地局の概略構造図２である。
【００６６】
【図９】本発明の実施形態に係るＵＥの概略構造図１である。
【００６７】
【図１０】本発明の実施形態に係るＵＥの概略構造図２である。
【発明を実施するための形態】
【００６８】
本明細書における「および／または」という用語は、関連付けられた対象物を説明するための対応関係のみを説明し、３つの関係が存在し得ることを表す。例えば、Ａおよび／またはＢは、Ａのみが存在すること、ＡおよびＢの両方が存在すること、ならびに、Ｂのみが存在すること、の３つの場合を表し得る。
【００６９】
本願の明細書および特許請求の範囲において、「第１」、「第２」、「第３」、「第４」などの用語は、異なる対象を区別することを意図するものであり、対象の特定の順序を説明するものではない。例えば、第１報告粒度、第２報告粒度などは、異なる報告粒度を区別するために使用され、報告粒度の特定の順序を説明するものではない。
【００７０】
本発明の実施形態において、「例」および「例えば」などの単語は、所与の例、例示または説明を表すために使用される。本発明の実施形態において「例」として説明される任意の実施形態または設計スキームは、別の実施形態または設計スキームより好適である、または、より大きい利点を有するものとして説明されるべきではない。厳密には、「例」などの単語の使用は、具体的方式における関連概念を提示することを意図する。
【００７１】
本発明の説明において、別段の定めが無い限り、「複数」は２以上を意味する。例えば、複数の成形ビームは２以上の成形ビームである。
【００７２】
以下ではまず、本発明の実施形態において提供されるチャネル品質情報報告方法、システムおよび装置におけるいくつかの概念を説明する。
【００７３】
チャネル品質情報は、ＵＥがチャネル状態情報基準信号などのダウンリンク基準信号を測定することにより取得するチャネル測定結果である。本発明の実施形態において、基地局がビームフォーミング技術を使用することによりダウンリンク基準信号をＵＥへ送信するプロセスにおいて、測定を通してＵＥにより取得されるチャネル品質情報は、基準信号インデックスまたはビームインデックス、および、当該基準信号インデックスまたはビームインデックスに対応する、基準信号受信電力（ｒｅｆｅｒｅｎｃｅ  ｓｉｇｎａｌ  ｒｅｃｅｉｖｅｄ  ｐｏｗｅｒ、ＲＳＲＰ）、基準信号受信品質（ｒｅｆｅｒｅｎｃｅ  ｓｉｇｎａｌ  ｒｅｃｅｉｖｅｄ  ｑｕａｌｉｔｙ、ＲＳＲＱ）、チャネル品質インジケータ（ｃｈａｎｎｅｌ  ｑｕａｌｉｔｙ  ｉｎｄｉｃａｔｏｒ、ＣＱＩ）などのうちの少なくとも１つを含み得る。１つの基準信号は、１つのビームに対応し、基準信号インデックスはビームインデックスと１対１の対応関係にある。
【００７４】
任意選択で、チャネル品質情報は、ロングタームエボリューション（Ｌｏｎｇ  Ｔｅｒｍ  Ｅｖｏｌｕｔｉｏｎ、ＬＴＥ）システムにおけるチャネル状態情報（ｃｈａｎｎｅｌ  ｓｔａｔｅ  ｉｎｆｏｒｍａｔｉｏｎ、ＣＳＩ）、例えば、チャネル状態情報基準信号インデックス（ＣＳＩ−ｒｅｆｅｒｅｎｃｅ  ｓｉｇｎａｌ  ｉｎｄｅｘ、ＣＲＩ）、ランクインジケーション（ｒａｎｋ  ｉｎｄｉｃａｔｉｏｎ、ＲＩ）、プリコーティング行列インジケータ（ｐｒｅｃｏｄｉｎｇ  ｍａｔｒｉｘ  ｉｎｄｉｃａｔｏｒ、ＰＭＩ）、チャネル品質インジケータ（ｃｈａｎｎｅｌ  ｑｕａｌｉｔｙ  ｉｎｄｉｃａｔｏｒ、ＣＱＩ）などのうちの少なくとも１つであり得る。あるいは、チャネル品質情報は、無線リソース管理（ｒａｄｉｏ  ｒｅｓｏｕｒｃｅ  ｍａｎａｇｅｍｅｎｔ、ＲＲＭ）を通して測定されるチャネル品質情報、例えば、ＲＳＲＰ、ＲＳＲＱなどのうちの少なくとも１つであり得る。加えて、チャネル品質情報は、上述の情報以外の任意の１または複数のチャネル品質情報であり得る、または、上述の情報に加えて任意の１または複数のチャネル品質情報を含み得る。このことは、本発明の実施形態において限定されない。
【００７５】
本発明の実施形態において、ＵＥによってＲＳＲＰ、ＲＳＲＱ、または、ＣＱＩを報告することは通常、ＲＳＲＰ、ＲＳＲＱまたはＣＱＩのインデックス値をＵＥによって報告することを意味することを理解すべきである。
【００７６】
概して、基地局がビームフォーミング技術を使用することによってダウンリンク信号をＵＥへ送信するプロセスにおいて、基地局によって送信されるダウンリンク信号が、ＵＥの移動が原因で、現在の成形ビームの方向でＵＥに到達できない可能性があり、その結果、ＵＥによるダウンリンク信号の受信が頻繁に遮断されるという問題を回避するべく、ＵＥは、測定を通して取得されるチャネル品質情報を毎回基地局へ報告する必要があり、その結果、基地局は、ＵＥによって報告されるチャネル品質情報に基づいて新しい成形ビームを選択できる。このようにして、基地局によってＵＥへ送信されるダウンリンク信号が、新しい成形ビームの方向で、成功裏にＵＥへ到達できることが保証される。チャネル品質情報報告方法において、ＵＥは測定を通してチャネル品質情報を取得した後に毎回、チャネル品質情報を基地局へ報告する必要があるため、ＵＥは、比較的多くの量のチャネル品質情報を報告する。その結果、ＵＥによるチャネル品質情報の報告のオーバーヘッドは比較的高いことがあり得る。ダウンリンク信号は、チャネル状態情報基準信号（ｃｈａｎｎｅｌ  ｓｔａｔｅ  ｉｎｆｏｒｍａｔｉｏｎ−ｒｅｆｅｒｅｎｃｅ  ｓｉｇｎａｌ、ＣＳＩ−ＲＳ）などのダウンリンク基準信号であり得る、または、任意の他のダウンリンク信号であり得る。このことは、本発明の実施形態において限定されない。
【００７７】
ＵＥによるチャネル品質情報の報告のオーバーヘッドが比較的高いという問題を解決するべく、本発明の実施形態は、チャネル品質情報報告方法、装置およびシステムを提供する。基地局がビームフォーミング技術を使用することによってダウンリンク信号をＵＥへ送信するプロセスにおいて、基地局は、ＵＥによるチャネル品質情報の報告の報告方式を決定し得て、次に、基地局は、当該報告方式でＵＥによって報告されるチャネル品質情報を受信し、報告方式に基づいて、基地局によって受信されるチャネル品質情報を復調する。本発明の実施形態において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【００７８】
図１は、本発明の一実施形態に係る通信システムの概略アーキテクチャ図である。図１に示すように、通信システムは、基地局１００およびＵＥ１０１を備える。基地局は、ビームフォーミング技術を使用することによってダウンリンク信号をＵＥへ送信する。
【００７９】
図２は、本発明の実施形態に係る基地局のハードウェアの模式図である。図２に示される基地局は、ベースバンドユニット（ｂａｓｅｂａｎｄ  ｕｎｉｔ、ＢＢＵ）２００、無線リモートユニット（ｒａｄｉｏ  ｒｅｍｏｔｅ  ｕｎｉｔ、ＲＲＵ）２０１、および、アンテナ２０２を備える。ＢＢＵ２００は、ファイバを使用することによってＲＲＵ２０１に接続され、ＲＲＵ２０１は更に、同軸ケーブルおよび電力スプリッタ（カプラ）を使用することによってアンテナ２０２に接続される。１つのＢＢＵ２００は通常、複数のＲＲＵ２０１に接続され得る。
【００８０】
ＢＢＵ２００は、Ｕｕインタフェース（すなわち、ＵＥと基地局との間のインタフェース）のベースバンド処理機能（符号化、多重化、変調、拡散スペクトルなど）、無線ネットワークコントローラ（ｒａｄｉｏ  ｎｅｔｗｏｒｋ  ｃｏｎｔｒｏｌｌｅｒ、ＲＮＣ）と基地局との間の論理インタフェースのインタフェース機能、シグナリング処理機能、ローカルおよびリモートの操作および保守機能、ならびに、基地局システムの動作ステータスモニタリングおよびアラーム情報報告機能を実現するよう構成される。
【００８１】
ＲＲＵ２０１は４つのモジュール、すなわち、デジタル中間周波数モジュール、送受信モジュール、電力増幅器モジュールおよびフィルタモジュールを含み得る。デジタル中間周波数モジュールは、光伝送の変調および復調、デジタル周波数アップ／ダウンコンバージョン、デジタル‐アナログ変換などを実行するよう構成される。送受信モジュールは、中間周波数信号から無線周波数信号への変換を実現する。無線周波数信号は、電力増幅器モジュールによって増幅され、フィルタモジュールによってフィルタリングされた後に、アンテナを使用して伝送される。
【００８２】
本発明の実施形態におけるＵＥは、携帯電話、タブレットコンピュータ、ノートブックコンピュータ、ウルトラモバイルパーソナルコンピュータ（ｕｌｔｒａ−ｍｏｂｉｌｅ  ｐｅｒｓｏｎａｌ  ｃｏｍｐｕｔｅｒ、ＵＭＰＣ）、ネットブック、パーソナルデジタルアシスタント（ｐｅｒｓｏｎａｌ  ｄｉｇｉｔａｌ  ａｓｓｉｓｔａｎｔ、ＰＤＡ）または、同様のものであり得る。
【００８３】
例えば、本発明の実施形態におけるＵＥは、図１に示される携帯電話であり得る。以下では、図３を参照して、本発明の実施形態における携帯電話の各コンポーネントを詳細に説明する。図３に示されるように、本発明の実施形態において提供される携帯電話は、プロセッサ１１、無線周波数（ｒａｄｉｏ  ｆｒｅｑｕｅｎｃｙ、ＲＦ）回路１２、電源１３、メモリ１４、入力ユニット１５、表示ユニット１６、および、可聴周波数回路１７などのコンポーネントを含む。当業者であれば、図３に示される携帯電話の構造は、携帯電話に対する限定を構成せず、携帯電話は、図３に示されるコンポーネントより多くの、または、より少ないコンポーネントを含み得る、または、図３に示されるコンポーネントのいくつかの組み合わせを含み得る、または、図３に示されるコンポーネントとは異なるように配置されたコンポーネントを含み得ることを理解し得る。
【００８４】
プロセッサ１１は、携帯電話の制御中心であり、様々なインタフェースおよび配線を使用して携帯電話全体の全ての部分を接続し、メモリ１４に記憶されたソフトウェアプログラムおよび／またはモジュールを動作させる、または、実行し、メモリ１４に記憶されたデータを呼び出すことにより携帯電話の様々な機能およびデータ処理を実行し、それにより、携帯電話に対する全体的なモニタリングを実行する。任意選択で、プロセッサ１１は、１または複数の処理ユニットを含み得る。好ましくは、アプリケーションプロセッサおよびモデムプロセッサは、プロセッサ１１に統合され得る。アプリケーションプロセッサは主に、オペレーティングシステム、ユーザインタフェース、アプリケーションプログラムなどを処理する。モデムプロセッサは主に無線通信を処理する。モデムプロセッサはプロセッサ１１に統合されなくてよいことが理解され得る。
【００８５】
ＲＦ回路１２は、情報を受信および送信するよう、または、通話中に信号を受信および送信するよう構成され得る。特に、ダウンリンク情報を基地局から受信した後に、ＲＦ回路１２は、ダウンリンク情報を処理のためにプロセッサ１１へ送信する。加えて、ＲＦ回路１２は、アップリンクデータを基地局へ送信する。概して、ＲＦ回路は、これらに限定されるものではないが、アンテナ、少なくとも１つの増幅器、トランシーバ、カプラ、低雑音増幅器（ｌｏｗ  ｎｏｉｓｅ  ａｍｐｌｉｆｉｅｒ、ＬＮＡ）、デュプレクサまたは同様のものを含む。加えて、ＲＦ回路１２は、無線通信を通してネットワークおよび別のデバイスと通信し得る。任意の通信規格またはプロトコルが無線通信に使用され得て、これらに限定されるものではないが、モバイル通信のためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、汎用パケット無線サービス（ｇｅｎｅｒａｌ  ｐａｃｋｅｔ  ｒａｄｉｏ  ｓｅｒｖｉｃｅ、ＧＰＲＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、ロングタームエボリューション（Ｌｏｎｇ  Ｔｅｒｍ  Ｅｖｏｌｕｔｉｏｎ、ＬＴＥ）、電子メール、ショートメッセージサービス（ｓｈｏｒｔ  ｍｅｓｓａｇｅ  ｓｅｒｖｉｃｅ、ＳＭＳ）、または同様のものを含む。
【００８６】
携帯電話は、各コンポーネントに電力を供給する電源１３（バッテリなど）を含む。任意選択で、電源は、電力管理システムを使用することによりプロセッサ１１に論理的に接続され得て、これにより、電力管理システムを使用することにより充電および放電管理ならびに電力消費管理などの機能を実装する。
【００８７】
メモリ１４はソフトウェアプログラムおよびモジュールを記憶するよう構成され得る。プロセッサ１１は、メモリ１４に記憶されたソフトウェアプログラムおよびモジュールを動作させることにより、携帯電話の様々な機能のアプリケーションおよびデータ処理を実行する。メモリ１４は主に、プログラム記憶エリアおよびデータ記憶エリアを含み得る。プログラム記憶エリアは、オペレーティングシステム、少なくとも１つの機能に必要なアプリケーションプログラム（音声再生機能または画像再生機能など）、および同様のものを記憶し得る。データ記憶エリアは、携帯電話の使用などに基づいて形成されたデータ（音声データ、画像データ、または、アドレス帳など）を記憶し得る。加えて、メモリ１４は、高速ランダムアクセスメモリを含み得る、または、不揮発性メモリ、例えば、少なくとも１つの磁気ディスク記憶デバイス、フラッシュメモリデバイス、または、別の揮発性ソリッドステート記憶デバイスなどを含み得る。
【００８８】
入力ユニット１５は、入力された数字または文字情報を受信し、携帯電話のユーザ設定および機能制御に関連するキー信号入力を生成するよう構成され得る。具体的には、入力ユニット１５は、タッチスクリーン１５１および別の入力デバイス１５２を含み得る。タッチスクリーン１５１は、タッチパネルとも称され、タッチスクリーン１５１上で、または、その近くでユーザによって実行されるタッチ操作（指またはスタイラスなど、任意の適切な物体または付属品を使用することによってタッチスクリーン１５１上で、または、その近くでユーザによって実行されるオペレーションなど）を収集し、予め設定されたプログラムに基づいて、対応する接続装置を駆動し得る。任意選択で、タッチスクリーン１５１は、２つの部分、すなわち、タッチ検出装置およびタッチコントローラを含み得る。タッチ検出装置は、ユーザのタッチ方向を検出し、タッチ操作によってもたらされる信号を検出し、信号をタッチコントローラへ伝送する。タッチコントローラは、タッチ検出装置からタッチ情報を受信し、タッチ情報をタッチポイント座標に変換し、タッチポイント座標をプロセッサ１１へ送信し、プロセッサ１１によって送信されるコマンドを受信および実行できる。加えて、タッチスクリーン１５１は、抵抗型、容量型、赤外線、表面弾性波など、複数の種類を使用することによって実装され得る。別の入力デバイス１５２は、これらに限定されるものではないが、物理的キーボード、ファンクションキー（ボリュームコントロールキーまたはオン／オフキーなど）、トラックボール、マウス、ジョイスティックなどのうち１または複数を含み得る。
【００８９】
表示ユニット１６は、ユーザによって入力される情報、または、ユーザのために提供される情報、および、携帯電話の様々なメニューを表示するよう構成され得る。表示ユニット１６は表示パネル１６１を含み得る。任意選択で、表示パネル１６１は、液晶ディスプレイ（ｌｉｑｕｉｄ  ｃｒｙｓｔａｌ  ｄｉｓｐｌａｙ、ＬＣＤ）または有機発光ダイオード（ｏｒｇａｎｉｃ  ｌｉｇｈｔ−ｅｍｉｔｔｉｎｇ  ｄｉｏｄｅ、ＯＬＥＤ）などの形式で構成され得る。更に、タッチスクリーン１５１は、表示パネル１６１を覆い得る。タッチスクリーン１５１上またはその近くでタッチ操作を検出した後に、タッチスクリーン１４１は、タッチイベントの種類を決定するために、タッチ操作をプロセッサ１１へ伝送し、次に、プロセッサ１１は、タッチイベントの種類に基づいて、対応する視覚的出力を表示パネル１６１上に提供する。携帯電話の入出力機能を実装するために、図３におけるタッチスクリーン１５１および表示パネル１５１は、２つの個別のコンポーネントとして使用されるが、いくつかの実施形態において、タッチスクリーン１５１および表示パネル１６１は、携帯電話の入出力機能を実装するために統合され得る。
【００９０】
可聴周波数回路１７、ラウドスピーカ１７１およびマイク１７２は、ユーザと携帯電話との間の音声インタフェースを提供するよう構成される。可聴周波数回路１７は、受信された音声データから変換された電気信号をラウドスピーカ１７１へ伝送し得て、ラウドスピーカ１７１は、電気信号を音声信号に変換して出力する。加えて、マイク１７２は、収集された音声信号を電気信号に変換し、可聴周波数回路１７は、電気信号を受信し、電気信号を音声データに変換し、音声データをＲＦ回路１２へ出力して、音声データを例えば、別の携帯電話へ送信する、または、音声データを更なる処理のためにメモリ１４へ出力する。
【００９１】
任意選択で、図３に示される携帯電話は、様々なセンサ、例えば、ジャイロセンサ、湿度計センサ、赤外線センサ、および、磁力計センサを更に含み得る。ここでは詳細は説明しない。
【００９２】
任意選択で、図３に示される携帯電話は、ワイヤレスフィディリティ（Ｗｉｒｅｌｅｓｓ  Ｆｉｄｅｌｉｔｙ，  ＷｉＦｉ）モジュール、Ｂｌｕｅｔｏｏｔｈ（登録商標）モジュールなどを更に備え得る。ここでは詳細は説明しない。
【００９３】
本発明の実施形態における技術的解決法をより良く理解するべく、本発明の実施形態のうちの３つは、本発明の実施形態において提供されるチャネル品質情報報告方法の例示的説明を提供するために使用される。具体的には、実施形態１において、基地局は、ＵＥによるチャネル品質情報の報告の報告方式を取得し、ＵＥのために報告方式を構成し得て、その結果、ＵＥは、当該報告方式（図４に示されるチャネル品質情報報告方法）でチャネル品質情報を基地局へ報告できる。実施形態２において、ＵＥは、ＵＥによるチャネル品質情報の報告の報告方式を取得し、当該報告方式（図５に示されるチャネル品質情報報告方法）でチャネル品質情報を基地局へ報告する。実施形態３において、基地局およびＵＥは、ＵＥによるチャネル品質情報の報告の予め定義された報告方式を別個に取得し、ＵＥは、チャネル品質情報を当該報告方式（図６に示されるチャネル品質情報報告方法）で基地局へ報告する。
【００９４】
［実施形態１］
図１を参照すると、図４に示されるように、本発明の本実施形態は、チャネル品質情報報告方法を提供する。当該方法は、以下の段階を備え得る。
【００９５】
Ｓ１０１．基地局が、ＵＥによるチャネル品質情報の報告の報告方式を取得する。
【００９６】
本発明の本実施形態において、ＵＥがチャネル品質情報を基地局へ報告するとき、ＵＥは、ＵＥおよび基地局によって同意された、ＵＥによるチャネル品質情報の報告の報告方式で、チャネル品質情報を基地局へ報告する必要がある。次に、基地局は、当該報告方式に基づいて、ＵＥにより報告されたチャネル品質情報を復調し得る。ＵＥによるチャネル品質情報の報告の報告方式は、基地局によって取得され得る。具体的には、基地局は、ＵＥによるチャネル品質情報の報告の報告方式を決定し得る。
【００９７】
任意選択で、本発明の本実施形態において、報告方式は、報告粒度、報告範囲および報告モードのうちの少なくとも１つであり得る。
【００９８】
任意選択で、図４を参照すると、本発明の本実施形態において、報告方式が報告粒度であるとき、報告粒度は具体的には、以下の方法を使用することによって決定され得る。
【００９９】
基地局は、チャネル品質情報の値範囲を複数の区間に分割し得て、各区間の長さは、１報告粒度と称される。
【０１００】
本発明の本実施形態において、報告粒度の一貫性を保証するべく、基地局は、チャネル品質情報の値範囲を複数の区間に均等に分割し得る。
【０１０１】
当然ながら、チャネル品質情報の値範囲は不均等に分割され得る。基地局がチャネル品質情報の値範囲を複数の区間に不均等に分割した後に、チャネル品質情報の報告粒度は少なくとも２つあり得る。例えば、基地局はまずチャネル品質情報の値範囲を２つの部分に分割し、次に、２つの部分の各々を複数の区間に均等に分割する。この場合において、第１の部分の各区間の長さは、報告粒度Ａと称され得て、第２の部分の各区間の長さは、報告粒度Ｂと称され得る。報告粒度Ａは、報告粒度Ｂと等しくないことがあり得る。例えば、報告粒度Ａは報告粒度Ｂより大きい、または、報告粒度Ａは報告粒度Ｂより小さい。
【０１０２】
例えば、本発明の本実施形態において、チャネル品質情報の値範囲は、［０，１００］であり、基地局が値範囲を１００個の区間に均等に分割し、かつ、各区間の長さが１である場合、基地局は、報告粒度が１であると認識する。または、基地局が値範囲を５０個の区間に均等に分割し、かつ、各区間の長さは２である場合、基地局は、報告粒度が２であると認識する。基地局がチャネル品質情報の値範囲をより少ない区間に分割する場合、基地局は、より大きい報告粒度を取得し、ＵＥがチャネル品質情報を報告するために必要なビット数が少なくなることが分かる。このようにして、ＵＥによってチャネル品質情報を報告するためのオーバーヘッドを低減できる。
【０１０３】
基地局がチャネル品質情報の値範囲を複数の区間に分割した後に、各区間は、１つの報告インデックス値に対応し得る。
【０１０４】
任意選択で、チャネル品質情報の報告粒度は、第１報告粒度および第２報告粒度を含み得る。具体的には、ＵＥが物理アップリンク制御チャネルを使用することによってチャネル品質情報を基地局へ報告するとき、チャネル品質情報の報告粒度は第１報告粒度である。または、ＵＥが物理アップリンク共有チャネルを使用することによってチャネル品質情報を基地局へ報告するとき、チャネル品質情報の報告粒度は第２報告粒度である。第１報告粒度は、第２報告粒度より大きい、または、それに等しい。
【０１０５】
本発明の本実施形態において、物理アップリンク制御チャネルは、物理アップリンク共有チャネルと比較して、限定されたリソースを有する。従って、基地局は、ＵＥが物理アップリンク制御チャネルを使用することによって基地局へチャネル品質情報を報告するために、より大きい第１報告粒度を決定し得て、その結果、ＵＥによってチャネル品質情報を基地局へ報告するオーバーヘッドを低減でき、物理アップリンク制御チャネルのリソースを更に低減できる。加えて、基地局は、ＵＥが物理アップリンク共有チャネルを使用することによって基地局へチャネル品質情報を報告するために、より小さい第２報告粒度を決定し得て、その結果、ＵＥによってチャネル品質情報を基地局へ報告する正確度を改善できる。
【０１０６】
任意選択で、基地局は、異なるシナリオおよび要件に基づいて、報告粒度を決定し得る。例えば、ＵＥが成形ビームを選択するプロセスにおいて、ＵＥが最初に成形ビームをスキャンするとき、基地局は、粗い粒度に基づいてＵＥによって成形ビームを選択するために、比較的大きい報告粒度（粗い粒度とも称される）を決定し得る。成形ビームの変更および最適化フェーズにおいて、基地局は、比較的小さい報告粒度（細かい粒度とも称される）を構成し得て、細かい粒度に基づいてＵＥによって成形ビームを正確に選択する。
【０１０７】
基地局が事前情報を有していないとき、例えば、基地局がＵＥによって報告されるチャネル品質情報を受信しないとき、基地局は、比較的大きい報告粒度を決定し得る。基地局がＵＥによって報告されるチャネル品質情報を受信するとき、基地局は、ＵＥによって複数の連続する回数にわたって報告されるチャネル品質情報のサイズに基づいて、チャネル品質情報の報告範囲を決定し、報告範囲内で比較的小さい報告粒度を決定する。
【０１０８】
任意選択で、図４を参照すると、基地局は、ＵＥによるチャネル品質情報の報告の報告範囲を決定し得る。具体的には、基地局は、成形ビームエネルギー情報に基づいて、第１の予め設定された閾値と、第２の予め設定された閾値とを決定し（ここで、第２の予め設定された閾値は、第１の予め設定された閾値より大きい、または、それに等しい）、チャネル品質情報の「第１の予め設定された閾値より大きい、または、それに等しい、かつ、第２の予め設定された閾値より小さい、または、それに等しい」範囲を、ＵＥによるチャネル品質情報の報告の報告範囲として決定する。
【０１０９】
本発明の本実施形態において、報告範囲は、第１報告範囲および第２報告範囲を含み得て、第１報告範囲は、物理アップリンク制御チャネルでのＵＥによるチャネル品質情報の報告の報告範囲であり、第２報告範囲は、物理アップリンク共有チャネルでのＵＥによるチャネル品質情報の報告の報告範囲であり、第１報告範囲は、第２報告範囲より小さい、または、それに等しい。
【０１１０】
本発明の本実施形態において、物理アップリンク制御チャネルは、物理アップリンク共有チャネルと比較して、限定されたリソースを有する。従って、基地局は、ＵＥが物理アップリンク制御チャネルを使用することによって基地局へチャネル品質情報を報告するために、より小さい第１報告範囲を決定し得て、その結果、ＵＥによってチャネル品質情報を基地局へ報告するオーバーヘッドを低減でき、物理アップリンク制御チャネルのリソースを更に低減できる。加えて、基地局は、ＵＥが物理アップリンク共有チャネルを使用することによって基地局へチャネル品質情報を報告するために、より大きい第２報告範囲を構成し得て、その結果、ＵＥによってチャネル品質情報を基地局へ報告する正確度を改善できる。
【０１１１】
任意選択で、図４を参照すると、基地局は、ＵＥによるチャネル品質情報の報告の報告モードを決定し得る。具体的には、報告モードは、第１報告モードおよび第２報告モードを含み得て、第１報告モードは、物理アップリンク共有チャネルでのＵＥによるチャネル品質情報の報告の報告モードであり、第２報告モードは、物理アップリンク制御チャネルでのＵＥによるチャネル品質情報の報告の報告モードであり、第１報告モードでＵＥがチャネル品質情報を報告するビット数は、第２報告モードにおいてＵＥがチャネル品質情報を報告するビット数より大きい、または、それに等しい。
【０１１２】
第１報告モードは非差分報告モードであり得て、第２報告モードは差分報告モードであり得る。ＵＥによって前回報告されたチャネル品質情報が受信されたと基地局が決定したとき、基地局は、次回のＵＥによるチャネル品質情報の報告の報告モードが差分報告モードであり得ると決定し、ＵＥは、現在のチャネル品質情報と前回のチャネル品質情報との間の差分値を基地局へ報告する。ＵＥによって前回報告されたチャネル品質情報が受信されていないと基地局が決定したとき、基地局は、次回のＵＥによるチャネル品質情報の報告の報告モードが非差分報告モードであり得ると決定し、ＵＥは、現在のチャネル品質情報を全て基地局へ報告する。
【０１１３】
本発明の本実施形態において、物理アップリンク制御チャネルは、物理アップリンク共有チャネルと比較して、限定されたリソースを有する。従って、基地局は、ＵＥが物理アップリンク制御チャネルを使用することによってチャネル品質情報を基地局へ報告するために、より小さい数のフィードバックビット（ＵＥによってチャネル品質情報を報告するためのビットの数）を必要とする第２報告モードを決定し得て、その結果、ＵＥによってチャネル品質情報を基地局へ報告するためのオーバーヘッドを低減でき、物理アップリンク制御チャネルのリソースを更に低減できる。加えて、基地局が、ＵＥが物理アップリンク共有チャネルを使用することによってチャネル品質情報を基地局に報告するために、より大きい数のフィードバックビット（ＵＥによるチャネル品質情報の報告のためのビット数）を必要とする第１報告モードを決定し得て、その結果、ＵＥによってチャネル品質情報を基地局へ報告する正確度を改善できる。
【０１１４】
Ｓ１０２．基地局がチャネル品質情報を報告する報告方式をＵＥのために構成する。
【０１１５】
本発明の本実施形態において、基地局がＵＥによるチャネル品質情報の報告の報告方式を取得した後に、基地局は、ＵＥのために報告方式を構成する必要があり、その結果、ＵＥは、当該報告方式でチャネル品質情報を基地局へ報告できる。
【０１１６】
任意選択で、本発明の本実施形態において、基地局が、チャネル品質情報を報告する報告方式をＵＥのために構成することは、具体的には、基地局が、報告方式の指示情報を含む上位層シグナリングおよび／または物理層制御シグナリングをＵＥへ送信することであり得て、その結果、上位層シグナリングおよび／または物理層制御シグナリングを受信した後に、ＵＥは上位層シグナリングおよび／または物理層制御シグナリングで、指示情報に基づいて、報告方式を決定でき、次にＵＥは、報告方式でチャネル品質情報を基地局へ報告できる。
【０１１７】
留意すべきこととして、ＵＥによるチャネル品質情報の報告の報告方式が差分報告モードであると基地局が決定するとき、基地局がＵＥのために報告方式を構成することは、具体的には、基地局が、報告方式が差分報告モードであると指示するべく、ＵＥによって送信された１ビットを上位層シグナリングおよび／または物理層制御シグナリングに追加することであり得て、その結果、ＵＥは、当該報告方式で、チャネル品質情報を基地局へ報告できる。
【０１１８】
Ｓ１０３．ＵＥが、基地局によって構成される、ＵＥによるチャネル品質情報の報告の報告方式を受信する。
【０１１９】
Ｓ１０４．ＵＥが、基地局によって構成される、ＵＥによるチャネル品質情報の報告の報告方式で、チャネル品質情報を基地局へ報告する。
【０１２０】
本発明の本実施形態において、基地局によって構成される、ＵＥによるチャネル品質情報の報告の報告方式を受信した後に、ＵＥは、当該報告方式でチャネル品質情報を基地局へ報告し得る。
【０１２１】
任意選択で、本発明の本実施形態において、ＵＥによって受信された報告方式が報告粒度であるとき、ＵＥは、報告粒度を使用することによってチャネル品質情報を報告する。基地局がチャネル品質情報の値範囲をより少ない区間に分割する場合、基地局は、より大きい報告粒度を取得し、チャネル品質情報を報告するために、より少ないビットがＵＥによって必要とされる。このようにして、ＵＥによってチャネル品質情報を報告するためのオーバーヘッドを低減できる。
【０１２２】
任意選択で、本発明の本実施形態において、ＵＥによって受信される報告方式が報告範囲であるとき、ＵＥは、報告範囲を使用することによって、チャネル品質情報を報告する。ＵＥは、測定を通して取得される、報告範囲内に含まれるチャネル品質情報を基地局へ報告するが、報告範囲を超えるチャネル品質情報を基地局へ報告する必要はなく、その結果、報告されるチャネル品質情報の数、および、ＵＥによって基地局へ報告される回数を低減でき、それによって、ＵＥによってチャネル品質情報を基地局へ報告するためのオーバーヘッドを低減する。
【０１２３】
任意選択で、本発明の本実施形態において、ＵＥによって受信される報告方式が報告モードであるとき、ＵＥは、報告モードでチャネル品質情報を報告する。報告モードは、第１報告モードおよび第２報告モードを含み得て、第１報告モードは具体的には、非差分報告モードであり得て、第２報告モードは具体的には、差分報告モードであり得る。報告モードが差分報告モードであるとき、ＵＥは差分報告モードに基づいてチャネル品質情報を基地局へ報告し得る。具体的には、ＵＥは、現在の測定を通して取得されたチャネル品質情報と、以前の測定を通してＵＥによって取得されたチャネル品質情報との間の差を基地局へ報告し、ＵＥは、現在の測定を通して取得されたチャネル品質情報（すなわち、チャネル品質情報の特定の値）の絶対情報を基地局へ報告する必要はない。このようにして、ＵＥによって報告されるチャネル品質情報の量は比較的小さく、その結果、ＵＥによる基地局へのチャネル品質情報の報告のオーバーヘッドを低減できる。
【０１２４】
任意選択で、基地局が複数の成形ビームを使用することによってダウンリンク信号をＵＥへ送信するとき、ＵＥは、複数のチャネル品質情報の平均値および最適値（すなわち最大値）の両方を基地局へ報告する必要がある。ＵＥは、平均チャネル品質情報、および、平均チャネル品質情報と最適チャネル品質情報との間の差を基地局へ報告し得て、ＵＥは、最適チャネル品質情報の絶対情報を基地局へ報告する必要はない。または、ＵＥは、最適チャネル品質情報、および、平均チャネル品質情報と最適チャネル品質情報との間の差を基地局へ報告し得て、ＵＥは、平均チャネル品質情報の絶対情報を基地局へ報告する必要はない。このようにして、ＵＥによって報告されるチャネル品質情報の量は比較的小さく、その結果、ＵＥによる基地局へのチャネル品質情報の報告のオーバーヘッドを低減できる。
【０１２５】
差（例えば、平均チャネル品質情報と最適チャネル品質情報との間の差）は、差のインデックス値であり得ることを理解すべきである。
【０１２６】
本発明の本実施形態において、ＵＥは、物理アップリンク制御チャネルでチャネル品質情報を基地局へ報告し得る、または、物理アップリンク共有チャネルでチャネル品質情報を基地局へ報告し得る、または、物理アップリンク制御チャネルおよび物理アップリンク共有チャネルでチャネル品質情報を基地局へ報告し得る。具体的なチャネルは実際の使用要求に基づいて選択され得る。このことは、本発明の本実施形態において限定されるものではない。
【０１２７】
Ｓ１０５．基地局が、基地局によって構成される、ＵＥによるチャネル品質情報の報告の報告方式で、ＵＥによって報告されるチャネル品質情報を受信する。
【０１２８】
任意選択で、本発明の本実施形態において、基地局はＵＥによって報告されるチャネル品質情報を物理チャネルから受信し得る。物理チャネルは、物理アップリンク制御チャネルおよび物理アップリンク共有チャネルのうちの少なくとも１つを含む。
【０１２９】
本発明の本実施形態において、ＵＥが物理アップリンク制御チャネルでチャネル品質情報を基地局へ報告するとき、基地局は、ＵＥによって報告されるチャネル品質情報を物理アップリンク制御チャネルから受信する、または、ＵＥがチャネル品質情報を物理アップリンク制御チャネルで基地局へ報告するとき、基地局は、ＵＥによって報告されるチャネル品質情報を物理アップリンク共有チャネルから受信する。
【０１３０】
Ｓ１０６．基地局が、ＵＥによるチャネル品質情報の報告の報告方式に基づいて、基地局によって受信されるチャネル品質情報を復調する。
【０１３１】
本発明の本実施形態において、基地局がＵＥによって当該報告方式で報告されたチャネル品質情報を受信した後に、基地局は、当該報告方式に基づいて、基地局によって受信されたチャネル品質情報を復調する必要があり、その結果、基地局は、ＵＥによって報告されたチャネル品質情報に基づいて、新しい成形ビームを使用してダウンリンク信号をＵＥへ送信すべきかどうかを決定できる。このようにして、基地局によってＵＥへ送信されるダウンリンク信号が成功裏にＵＥに到達できることが保証される。
【０１３２】
本発明の本実施形態において提供されるチャネル品質情報報告方法によれば、基地局がビームフォーミング技術を使用することによってダウンリンク信号をＵＥへ送信するプロセスにおいて、基地局は、ＵＥによるチャネル品質情報の報告の報告方式（報告方式は、チャネル品質情報の報告粒度、チャネル品質情報の報告範囲、および、チャネル品質情報の報告モードのうちの少なくとも１つを含み得る）を決定し得て、次に、報告方式をＵＥのために構成し、ＵＥは、基地局によって構成される報告方式を受信し、次に、チャネル品質情報を当該報告方式で基地局へ報告し得て、基地局は、ＵＥによって報告されるチャネル品質情報を受信し、当該報告方式に基づいてチャネル品質情報を復調する。従来技術と比較して、本発明の本実施形態において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【０１３３】
［実施形態２］
図１を参照すると、図５に示されるように、本発明の本実施形態はチャネル品質情報報告方法を提供する。方法は、以下の段階を備え得る。
【０１３４】
Ｓ２０１．ＵＥが、チャネル品質情報に基づいて、ＵＥによるチャネル品質情報の報告の報告方式を決定する。
【０１３５】
本発明の本実施形態において、チャネル品質情報は、ＵＥがダウンリンクチャネル基準信号を測定することによって取得したチャネル測定結果であり得る。
【０１３６】
任意選択で、本発明の本実施形態において、報告方式は、報告粒度、報告範囲および報告モードのうちの少なくとも１つであり得る。報告方式の説明については、Ｓ１０１の報告方式の具体的な説明を参照されたい。詳細はここでは再度説明されない。
【０１３７】
任意選択で、本発明の本実施形態において、ＵＥは、一定期間に測定を通してＵＥにより取得されたチャネル品質情報の範囲が、より小さい範囲に固定的に収束されるかどうかに基づいて、ＵＥによるチャネル品質情報の報告の報告粒度または報告範囲を調整する必要があるかどうかを決定する。
【０１３８】
任意選択で、本発明の本実施形態において、報告モードは第１報告モードおよび第２報告モードを含む。第１報告モードは、Ｓ１０１における非差分報告モードであり得る、または、比較的大きい数のフィードバックビットを必要とする任意の他の報告モードであり得る。例えば、第１報告モードに対応するチャネル品質情報は、基準信号インデックスまたはビームインデックス、基準信号受信電力、および、チャネル品質インジケータのうち少なくとも２つを含む。第２報告モードは、Ｓ１０１における差分報告モードであり得る、または、比較的小さい数のフィードバックビットを必要とする任意の他の報告モードであり得る。第２報告モードに対応するチャネル品質情報は、第１報告モードに対応するチャネル品質情報のサブセットである。例えば、第２報告モードに対応するフィードバック量は、基準信号インデックスまたはビームインデックス、基準信号受信電力、および、チャネル品質インジケータのうち１つを含む。
【０１３９】
Ｓ２０２．ＵＥが、ＵＥによって決定される、チャネル品質情報を報告する報告方式でチャネル品質情報を基地局へ報告する。
【０１４０】
本発明の本実施形態において、ＵＥによって基地局へ報告されるチャネル品質情報は、報告方式の指示情報を含み、指示情報は、チャネル品質情報を報告するのにＵＥによって現在使用される報告方式を基地局に指示するために使用され、その結果、基地局は、ＵＥによるチャネル品質情報の報告の報告方式を認識できる。
【０１４１】
任意選択で、報告方式が報告粒度であるとき、基地局側およびＵＥ側に、予め定義された報告粒度セットがある。ＵＥはまた、チャネル品質情報を報告するとき、報告粒度セットにおける報告粒度のインデックス番号を報告する。留意すべきこととして、チャネル品質情報は、報告粒度に対応するチャネル品質情報である。
【０１４２】
任意選択で、報告方式が報告範囲であるとき、基地局側およびＵＥ側に、予め定義された報告範囲セットがある。ＵＥはまた、チャネル品質情報を報告するとき、報告範囲セットにおける報告範囲のインデックス番号を報告する。留意すべきこととして、チャネル品質情報は、報告範囲内のチャネル品質情報である。
【０１４３】
任意選択で、報告方式が報告モードである場合、ＵＥは、チャネル品質情報を報告するときに報告モードの指示情報も報告する。留意すべきこととして、チャネル品質情報は、報告モードに対応するチャネル品質情報である。
【０１４４】
留意すべきこととして、ＵＥがチャネル品質情報を基地局へ報告するとき、ＵＥは、ＵＥによって報告されるチャネル品質情報における１または複数のビットを確保し得て、確保された１または複数のビットにおいて指示情報を設定し得る。指示情報は、チャネル品質情報を報告するためにＵＥによって現在使用される報告モードを基地局へ指示するために使用される。
【０１４５】
例えば、報告方式が報告モードであるとき、ＵＥは、ＵＥによって報告されるチャネル品質情報において１ビットを確保し得る。ＵＥは、１ビットに「１」を設定することにより、チャネル品質情報へ報告するためにＵＥによって現在使用される報告モードが第１報告モードであると指示する、または、「０」を設定し得ることにより、チャネル品質情報を報告するためにＵＥにより現在使用される報告モードが第２報告モードであると指示する。チャネル品質情報を報告するためにＵＥによって現在使用される報告モードが第１報告モードであると指示するために「１」が使用される場合、「０」は、チャネル品質情報を報告するためにＵＥによって現在使用される報告モードが第２報告モードであると指示するために使用され得る。当然ながら、本発明の本実施形態において、実際の使用要求を満たす別のフラグが指示情報を設定するために使用され得て、例は、本発明の本実施形態において、１つ１つ列挙されない。
【０１４６】
Ｓ２０３．基地局が、ＵＥによって決定された、チャネル品質情報を報告する報告方式でＵＥによって報告されるチャネル品質情報を受信する。
【０１４７】
Ｓ２０３の具体的な説明については、Ｓ１０５の関連する説明を参照されたい。詳細はここでは再度説明されない。
【０１４８】
Ｓ２０４．基地局が、ＵＥによって報告されるチャネル品質情報における指示情報において指示される報告方式に基づいて、基地局によって受信されたチャネル品質情報を復調する。
【０１４９】
本発明の本実施形態において、基地局によって受信されたチャネル品質情報は報告方式の指示情報を含むので、基地局は、指示情報において指示される報告方式に基づいて、基地局によって受信されたチャネル品質情報を復調し得て、その結果、基地局は、ＵＥによって報告されたチャネル品質情報に基づいて、新しい成形ビームを使用してダウンリンク信号をＵＥへ送信するかどうかを決定できる。このようにして、基地局によってＵＥへ送信されるダウンリンク信号が成功裏にＵＥに到達できることが保証される。
【０１５０】
本発明の本実施形態において提供されるチャネル品質情報報告方法によれば、基地局がビームフォーミング技術を使用することによってダウンリンク信号をＵＥへ送信するプロセスにおいて、ＵＥは、ＵＥによるチャネル品質情報の報告の報告方式を決定し得て（報告方式は、報告粒度、報告範囲および報告モードのうちの少なくとも１つを含み得る）、次に、ＵＥは、報告方式の指示情報を含むチャネル品質情報を当該報告方式で基地局へ報告し得て、基地局は、ＵＥによって報告されるチャネル品質情報を受信し、指示情報によって指示される報告方式に基づいてチャネル品質情報を復調する。従来技術と比較して、本発明の本実施形態において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【０１５１】
［実施形態３］
図１を参照すると、図６に示されるように、本発明の本実施形態は、チャネル品質情報報告方法を提供する。当該方法は、以下の段階を含み得る。
【０１５２】
Ｓ３０１．基地局が、ＵＥによって報告されるチャネル品質情報の予め定義された報告方式を取得する。
【０１５３】
Ｓ３０２．ＵＥが、ＵＥによるチャネル品質情報の報告の予め定義された報告方式を取得する。
【０１５４】
本発明の本実施形態において、報告方式は予め定義される。具体的には、報告方式は、基地局およびＵＥにおいて予め定義（予め記憶）され得て、基地局によって取得される予め定義された報告方式は、ＵＥによって取得される予め定義された報告方式と同一であり、その結果、ＵＥが予め定義された報告方式でチャネル品質情報を報告するとき、基地局は、ＵＥによるチャネル品質情報の報告の報告方式を認識できる。
【０１５５】
任意選択で、本発明の本実施形態において、ＵＥによるチャネル品質情報の報告の報告方式は、ＵＥがチャネル品質情報を伝送するためのチャネルの種類に基づいて、ＵＥおよび基地局において予め定義され得る。報告方式は、報告粒度、報告範囲および報告モードのうちの少なくとも１つを含み得る。
【０１５６】
ＵＥがチャネル品質情報を伝送するためのチャネルの種類は、物理アップリンク制御チャネルまたは物理アップリンク共有チャネルであり得る、または、任意の他の物理的アップリンクチャネルであり得る。これは、本発明の本実施形態において限定されるものではない。
【０１５７】
Ｓ３０１およびＳ３０２を実行する実行順序は、本発明の本実施形態において限定されないことがあり得ることに留意すべきである。換言すると、本発明の本実施形態において、Ｓ３０１は、Ｓ３０２の前に実行され得て、または、Ｓ３０２は、Ｓ３０１の前に実行され得て、または、Ｓ３０１およびＳ３０２は、同一の時間に実行され得る。
【０１５８】
Ｓ３０３．ＵＥは、ＵＥによって取得された予め定義された報告方式で、チャネル品質情報を基地局へ報告する。
【０１５９】
Ｓ３０３の具体的な説明については、Ｓ１０４においてＵＥによって基地局へ報告されるチャネル品質情報の関連する説明を参照されたい。詳細はここでは再度説明されない。
【０１６０】
Ｓ３０４．基地局が、ＵＥによって取得された予め定義された報告方式で、ＵＥによって報告されたチャネル品質情報を受信する。
【０１６１】
Ｓ３０５．基地局が、基地局によって取得された予め定義された報告方式に基づいて、チャネル品質情報を復調する。
【０１６２】
Ｓ３０４およびＳ３０５の具体的な説明については、Ｓ１０５およびＳ１０６の関連する説明を参照されたい。詳細はここでは再度説明されない。
【０１６３】
本発明の本実施形態において提供されるチャネル品質情報報告方法によれば、基地局がビームフォーミング技術を使用することによってダウンリンク信号をＵＥへ送信するプロセスにおいて、基地局およびＵＥは、ＵＥによるチャネル品質情報の報告の予め定義された報告方式を別個に取得し得て（報告方式は、報告粒度、報告範囲および報告モードのうちの少なくとも１つを含み得る）、次に、ＵＥは、当該報告方式でチャネル品質情報を基地局へ報告し得て、基地局は、ＵＥによって報告されるチャネル品質情報を受信し、当該報告方式に基づいてチャネル品質情報を復調する。従来技術と比較して、本発明の本実施形態において、基地局およびＵＥは、ＵＥによるチャネル品質情報の報告の報告方式を柔軟かつ適応的に同意できるので、同意された報告方式は、ＵＥによるチャネル品質情報の報告の要件により良好に適応でき、その結果、ＵＥは、同意された報告方式でチャネル品質情報を報告し、それによって、ＵＥによるチャネル品質情報の報告のオーバーヘッドを低減する。
【０１６４】
上述では主に、デバイス間のやり取りの観点から、本発明の実施形態において提供される解決手段を説明する。上述の機能を実装するべく、基地局およびＵＥなどのデバイスは、各機能を実行するための対応するハードウェア構造および／またはソフトウェアモジュールを含むことが理解され得る。当業者であれば、本明細書において開示される実施形態において説明される例との組み合わせにより、ユニットおよびアルゴリズム段階が、ハードウェアの形式で、または、ハードウェアおよびコンピュータソフトウェアの組み合わせの形式で実装され得ることを容易に認識するはずである。機能がハードウェアによって実行されるか、または、ハードウェアを駆動するコンピュータソフトウェアによって実行されるかは、技術的解決法の特定の用途、および、設計上の制約に依存する。当業者であれば、異なる方法を使用して、各特定の用途のための説明された機能を実装し得るが、当該実装は本発明の範囲を超えるものとみなされるべきでない。
【０１６５】
本発明の実施形態において、機能モジュールの分割が、上述の方法の例に基づいて、基地局およびＵＥに対して実行され得る。例えば、各機能モジュールは、対応する機能に基づく分割を通して取得され得る、または、２以上の機能が１つの処理モジュールに統合され得る。統合モジュールは、ハードウェアの形式で実装され得る、または、ソフトウェア機能モジュールの形式で実装され得る。本発明の実施形態におけるモジュール分割は例であり、論理的機能分割に過ぎず、実際の実装においては別の分割方式があり得ることに留意すべきである。
【０１６６】
本発明の一実施形態は基地局を提供する。各機能モジュールが、対応する機能に基づく分割を通して取得されるとき、図７は、上述の実施形態における基地局の可能な概略構造図である。基地局は、取得モジュール１１０、構成モジュール１２０、受信モジュール１３０および復調モジュール１４０を含む。取得モジュール１１０は、上述された方法の実施形態におけるＳ１０１およびＳ３０１の実行において基地局をサポートするよう構成される。構成モジュール１２０は、上述された方法の実施形態のＳ１０２を基地局が実行することをサポートするよう構成される。受信モジュール１３０は、上述された方法の実施形態のＳ１０５、Ｓ２０３およびＳ３０４を基地局が実行することをサポートするよう構成される。復調モジュールは、上述された方法の実施形態のＳ１０６、Ｓ２０４およびＳ３０５を基地局が実行することをサポートするよう構成される。上述された方法の実施形態における各段階の全ての関連内容は、対応する機能モジュールの機能説明において言及され得て、ここでは詳細を説明しない。
【０１６７】
統合されたユニットが使用されるとき、図８は、上述の実施形態における基地局に可能な概略構造図である。基地局は、処理モジュール２２０および通信モジュール２３０を含む。処理モジュール２２０は、基地局のアクションを制御および管理するよう構成される。例えば、処理モジュール２２０は、取得モジュール１１０および復調モジュール１４０によって実行される段階、および／または、本明細書において説明される技術の別のプロセスを基地局が実行することをサポートするよう構成される。通信モジュール２３０は、基地局と別のネットワークエンティティとの間の通信をサポートするよう構成される。例えば、通信モジュール２３０は、構成モジュール１２０および受信モジュール１３０によって実行される段階を基地局が実行することをサポートするよう構成される。図８に示されるように、基地局は、ストレージモジュール２１０およびバス２４０を更に含み得て、ストレージモジュール２１０は、基地局のプログラムコードおよびデータを記憶するよう構成される。
【０１６８】
処理モジュール２２０は、基地局におけるプロセッサまたはコントローラであり得る。図２に示される基地局におけるベースバンドユニット２００は、少なくとも１つのプロセッサまたはコントローラを含み、プロセッサまたはコントローラは、本発明において開示される内容に関連して説明される様々な例示的な論理ブロック、モジュールおよび回路を実装または実行し得る。プロセッサまたはコントローラは、中央処理装置（ｃｅｎｔｒａｌ  ｐｒｏｃｅｓｓｉｎｇ  ｕｎｉｔ、ＣＰＵ）、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）、または、別のプログラマブルロジックデバイス、トランジスタ論理デバイス、ハードウェアコンポーネント、もしくは、それらの任意の組み合わせであり得る。プロセッサまたはコントローラは、本発明に開示される内容に関連して説明される様々な例示的な論理ブロック、モジュールおよび回路を実装または実行し得る。プロセッサは、演算処理機能を実装するプロセッサの組み合わせ、例えば、１または複数のマイクロプロセッサの組み合わせ、または、ＤＳＰおよびマイクロプロセッサの組み合わせであり得る。
【０１６９】
通信モジュール２３０は、基地局におけるトランシーバ、送受信機回路、通信インタフェース、または同様のものであり得る。トランシーバ、送受信機回路、通信インタフェース、または同様のものは、図２に示される基地局における無線リモートユニット２０１およびアンテナ２０２であり得る。
【０１７０】
ストレージモジュール２１０は、基地局におけるメモリまたは同様のものであり得て、メモリは、図２に示されるベースバンドユニット２００に統合され得る。メモリは、揮発性メモリ（ｖｏｌａｔｉｌｅ  ｍｅｍｏｒｙ）、例えば、ランダムアクセスメモリ（ｒａｎｄｏｍ  ａｃｃｅｓｓ  ｍｅｍｏｒｙ、ＲＡＭ）を含み得て、または、メモリは、不揮発性メモリ（ｎｏｎｖｏｌａｔｉｌｅ  ｍｅｍｏｒｙ）、例えば、リードオンリメモリ（ｒｅａｄ−ｏｎｌｙ  ｍｅｍｏｒｙ、ＲＯＭ）、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、または、ソリッドステートドライブ（ｓｏｌｉｄ  ｓｔａｔｅ  ｄｒｉｖｅ、ＳＳＤ）を含み得て、または、メモリは、上述の種類のメモリの組み合わせを含み得る。
【０１７１】
バス２４０は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、ＰＣＩ）バス、拡張型業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バス、または同様のものであり得る。バス２４０は、アドレスバス、データバス、制御バスなどに分類され得る。表現しやすくするために、図８では、１本の太線のみを使用してバスを表しているが、このことは、１本のバスのみ、または、１種類のバスのみがあることを指示するものではない。
【０１７２】
本発明の実施形態は、コンピュータ可読記憶媒体を更に提供する。コンピュータ可読記憶媒体は、１または複数のプログラムを記憶し、１または複数のプログラムは命令を含む。基地局におけるプロセッサが命令を実行するとき、基地局は、上述された方法の実施形態において示される方法手順において基地局によって実行される段階を実行する。
【０１７３】
本発明の実施形態はＵＥを提供する。各機能モジュールが、対応する機能に基づく分割を通して取得されるとき、図９は、上述の実施形態におけるＵＥの可能な概略構造図である。ＵＥは取得モジュール３１０および報告モジュール３２０を含む。取得モジュール３１０は、上述された方法の実施形態におけるＳ１０３、Ｓ２０１およびＳ３０２をＵＥが実行することをサポートするよう構成される。報告モジュール３２０は、上述された方法の実施形態におけるＳ１０４、Ｓ２０２およびＳ３０３をＵＥが実行することをサポートするよう構成される。上述された方法の実施形態における各段階の全ての関連内容は、対応する機能モジュールの機能説明において言及され得て、ここでは詳細を説明しない。
【０１７４】
統合されたユニットが使用されるとき、図１０は、上述の実施形態におけるＵＥの可能な概略構造図である。ＵＥは、処理モジュール４２０および通信モジュール４３０を含む。処理モジュール４２０は、ＵＥのアクションを制御および管理する、例えば、取得モジュール３１０によって実行される段階、および／または、明細書において説明される技術の別のプロセスを実行するよう構成される。通信モジュール４３０は、ＵＥと別のネットワークエンティティとの間の通信をサポートするよう、例えば、報告モジュール３２０および取得モジュール３１０によって実行される段階を実行するよう構成される。図１０に示されるように、ＵＥは、ストレージモジュール４１０およびバス４４０を更に含み得て、ストレージモジュール４１０は、ＵＥのプログラムコードおよびデータを記憶するよう構成される。
【０１７５】
処理モジュール４２０はＵＥにおけるプロセッサまたはコントローラであり得る。プロセッサまたはコントローラは、図３に示される携帯電話におけるプロセッサ１１であり得る。プロセッサまたはコントローラは、本発明において開示される内容に関連して説明される様々な例示的な論理ブロック、モジュールおよび回路を実装または実行し得る。プロセッサまたはコントローラは、中央処理装置、汎用プロセッサ、デジタル信号プロセッサ、特定用途向け集積回路、フィールドプログラマブルゲートアレイ、または、別のプログラマブルロジックデバイス、トランジスタ論理デバイス、ハードウェアコンポーネント、もしくは、それらの任意の組み合わせであり得る。プロセッサまたはコントローラは、本発明に開示される内容に関連して説明される様々な例示的な論理ブロック、モジュールおよび回路を実装または実行し得る。プロセッサは、演算処理機能を実装するプロセッサの組み合わせ、例えば、１または複数のマイクロプロセッサの組み合わせ、または、ＤＳＰおよびマイクロプロセッサの組み合わせであり得る。
【０１７６】
通信モジュール４３０は、ＵＥにおけるトランシーバ、送受信機回路、通信インタフェース、または同様のものであり得る。トランシーバ、送受信機回路、通信インタフェースまたは同様のものは、図３に示される携帯電話におけるＲＦ回路１２であり得る。
【０１７７】
ストレージモジュール４１０は、ＵＥにおけるメモリまたは同様のものであり得て、メモリは、図３に示される携帯電話におけるメモリ１４であり得る。メモリは、揮発性メモリ、例えば、ランダムアクセスメモリを含み得て、または、メモリは、不揮発性メモリ、例えば、リードオンリメモリ、フラッシュメモリ、ハードディスクドライブまたはソリッドステートドライブを含み得て、または、メモリは、上述の種類のメモリの組み合わせを含み得る。
【０１７８】
バス４４０は、ＥＩＳＡバスまたは同様のものであり得る。バス４４０は、アドレスバス、データバス、制御バス、および同様のものに分類され得る。表現しやすくするために、図１０では、１本の太線のみを使用してバスを表しているが、このことは、１本のバスのみ、または、１種類のバスのみがあることを指示するものではない。
【０１７９】
本発明の本実施形態におけるＵＥに含まれる他のコンポーネントについては、図３に示されるＵＥの構造の上述の関連する説明を参照されたい。ここでは詳細を再度説明しない。
【０１８０】
本発明の実施形態は通信システムを提供し、通信システムは基地局およびＵＥを含み得る。本発明の本実施形態において提供される通信システムの詳細については、図１に示される通信システムの概略アーキテクチャ図を参照されたい。基地局は、図１に示される基地局であり得て、ＵＥは、図１に示されるＵＥであり得る。基地局およびＵＥの具体的な説明については、上述された方法の実施形態および装置の実施形態における関連する説明を参照されたい。ここでは詳細を再度説明しない。
【０１８１】
上述の実施形態の全てまたは一部は、ソフトウェア、ハードウェア、ファームウェア、または、それらの任意の組み合わせを通して実装され得る。ソフトウェアプログラムが実施形態を実装するために使用されるとき、実施形態の全てまたは一部は、コンピュータプログラム製品の形式で実装され得る。コンピュータプログラム製品は、１または複数のコンピュータ命令を含む。コンピュータ命令がコンピュータ上にロードされて実行されるとき、本発明の実施形態に係る手順または機能が全てまたは部分的に生成される。コンピュータは、汎用コンピュータ、専用コンピュータ、コンピュータネットワーク、または、別のプログラマブル装置であり得る。コンピュータ命令は、コンピュータ可読記憶媒体に記憶され得る、または、あるコンピュータ可読記憶媒体から別のものに伝送され得る。例えば、コンピュータ命令は、あるウェブサイト、コンピュータ、サーバまたはデータセンターから、別のウェブサイト、コンピュータ、サーバまたはデータセンターへ、有線（例えば、同軸ケーブル、光ファイバ、または、デジタル加入者線（ＤＳＬ））または無線（例えば、赤外線、無線、または、マイクロ波）方式で伝送され得る。コンピュータ可読記憶媒体は、コンピュータによってアクセス可能な任意の使用可能な媒体、または、１または複数の使用可能な媒体を統合した、サーバもしくはデータセンターなどのデータ記憶デバイスであり得る。使用可能な媒体は、磁気媒体（例えば、フロッピー（登録商標）ディスク、磁気ディスク、または、磁気テープ）、光媒体（例えば、デジタルビデオディスク（ｄｉｇｉｔａｌ  ｖｉｄｅｏ  ｄｉｓｃ、ＤＶＤ）、半導体媒体（例えば、ソリッドステートドライブ（ｓｏｌｉｄ  ｓｔａｔｅ  ｄｒｉｖｅ、ＳＳＤ）、または同様のものであり得る。
【０１８２】
実装についての上述の説明により、当業者は、説明の便宜および簡潔性のために、上述の機能モジュールの分割が説明のための例として使用されていることを理解できる。実際の用途において、上述の機能は、要件に基づいて、異なるモジュールに割り当てられ、実装され得る。すなわち、上述の機能の全てまたは一部を実装するために、装置の内部構造は異なる機能モジュールに分割される。上述されたシステム、装置、およびユニットの詳細な動作処理については、上述された方法の実施形態における対応する処理を参照するものとし、詳細は本明細書において再度説明されない。
【０１８３】
本願において提供される実施形態において、開示されるシステム、装置、および方法は、他の方式で実装され得ることを理解すべきである。例えば、説明されている装置の実施形態は一例に過ぎない。例えば、モジュールまたはユニットの分割は、論理的機能の分割に過ぎず、実際の実装においては、他の分割であり得る。例えば、複数のユニットもしくはコンポーネントが別のシステムに組み合わされるか、もしくは統合されてよく、または、いくつかの特徴が無視されるか、または実行されなくてよい。加えて、表示または説明されている相互結合もしくは直接結合または通信接続は、いくつかのインタフェースを使用することによって実装されてよい。装置間またはユニット間の間接的な結合または通信接続は、電子的、機械的、または他の形態で実現されてよい。
【０１８４】
別個の部分として説明されたユニットは、物理的に分かれていても、そうでなくてもよい。また、ユニットとして表示された部分は、物理的ユニットであっても、そうでなくてもよく、一か所に配置されてよく、または、複数のネットワークユニットにおいて分散されてよい。それらのユニットの一部または全てが、実施形態の解決手段の目的を達成するための実際の要件に基づいて選択されてよい。
【０１８５】
さらに、本発明の実施形態における機能ユニットは、１つの処理ユニットに統合されてよく、または、ユニットの各々は、物理的に単独で存在してよく、または、２つもしくはそれより多くのユニットが、１つのユニットに統合されてよい。統合されたユニットは、ハードウェアの形態で実装されてよく、または、ソフトウェア機能ユニットの形態で実装されてよい。
【０１８６】
統合されたユニットがソフトウェア機能ユニットの形式で実装され、個別の製品として販売または使用されるとき、統合されたユニットはコンピュータ可読記憶媒体に記憶され得る。そのような理解に基づいて、本発明の技術的解決法は基本的に、または従来技術に寄与する部分は、または技術的解決法の全部もしくは一部は、ソフトウェア製品の形態で実装されてよい。コンピュータソフトウェア製品は、記憶媒体に格納され、コンピュータデバイス（パーソナルコンピュータ、サーバ、またはネットワークデバイスであってよい）またはプロセッサに、本発明の実施形態において説明された方法の段階の全てまたはいくつかを実行するように命令するためのいくつかの命令を含む。記憶媒体は、フラッシュメモリ、リムーバブルハードディスク、リードオンリメモリ、ランダムアクセスメモリ、磁気ディスクまたは光ディスクなど、プログラムコードを記憶できる任意の媒体を含む。
【０１８７】
上述の説明は、本発明の特定の実装例に過ぎず、本発明の保護範囲を限定することを意図したものではない。本発明において開示された技術的範囲内で当業者が容易に考案したあらゆる変形または置き換えは、本発明の保護範囲に含まれるものとする。従って、本発明の保護範囲は、特許請求の範囲の保護範囲に従うものとする。
（項目１）
チャネル品質情報報告方法であって、
基地局が、ユーザ機器ＵＥによるチャネル品質情報の報告の報告方式を取得する段階と、
上記基地局が、上記ＵＥによって報告される上記チャネル品質情報を受信する段階であって、上記チャネル品質情報は、上記ＵＥが上記報告方式を使用することによって報告する、段階と、
上記基地局が、上記報告方式に基づいて上記チャネル品質情報を復調する段階とを備える方法。
（項目２）
上記報告方式は、報告粒度、報告範囲および報告モードのうちの少なくとも１つを含む、項目１に記載の方法。
（項目３）
上記報告モードは、第１報告モードおよび第２報告モードを含み、上記第１報告モードにおいて上記ＵＥによって上記チャネル品質情報を報告するためのビット数は、上記第２報告モードにおいて上記ＵＥによって上記チャネル品質情報を報告するためのビット数より大きい、または、それに等しい、項目２に記載の方法。
（項目４）
上記第１報告モードは非差分報告モードであり、上記第２報告モードは差分報告モードである、項目３に記載の方法。
（項目５）
上記基地局が、上記ＵＥによって報告される上記チャネル品質情報を受信する上記段階は、
上記基地局が、上記ＵＥによって報告される上記チャネル品質情報を物理チャネルから受信する段階であって、上記物理チャネルは、物理アップリンク制御チャネルおよび物理アップリンク共有チャネルのうちの少なくとも１つを含む、段階を含む、項目１から４のいずれか一項に記載の方法。
（項目６）
上記報告方式は少なくとも上記報告粒度を含み、上記報告粒度は第１報告粒度および第２報告粒度を含み、上記第１報告粒度は、上記物理アップリンク制御チャネルでの上記ＵＥによる上記チャネル品質情報の報告の報告粒度であり、上記第２報告粒度は、上記物理アップリンク共有チャネルでの上記ＵＥによる上記チャネル品質情報の報告の報告粒度である、項目５に記載の方法。
（項目７）
上記第１報告粒度は、上記第２報告粒度より大きい、または、それに等しい、項目６に記載の方法。
（項目８）
上記報告方式は予め定義される、項目１から７のいずれか一項に記載の方法。
（項目９）
基地局が、ＵＥによるチャネル品質情報の報告の報告方式を取得する上記段階の後、かつ、上記基地局が、上記ＵＥによって報告される上記チャネル品質情報を受信する上記段階の前に、
上記基地局が上記ＵＥのために上記報告方式を構成する段階を更に備える、項目１から７のいずれか一項に記載の方法。
（項目１０）
上記基地局が上記ＵＥのために上記報告方式を構成する上記段階は、
上記基地局が上位層シグナリングおよび／または物理層制御シグナリングを上記ＵＥへ送信する段階であって、上記上位層シグナリングまたは上記物理層制御シグナリングは、上記報告方式の指示情報を含み、上記指示情報は、上記ＵＥによる上記チャネル品質情報の報告の上記報告方式を指示するために使用される、段階を含む、項目９に記載の方法。
（項目１１）
チャネル品質情報報告方法であって、
ユーザ機器ＵＥが、上記ＵＥによるチャネル品質情報の報告の報告方式を取得する段階と、
上記ＵＥが、上記報告方式を使用して上記チャネル品質情報を基地局へ報告する段階と
を備える方法。
（項目１２）
上記報告方式は、報告粒度、報告範囲および報告モードのうちの少なくとも１つを含む、項目１１に記載の方法。
（項目１３）
上記報告モードは、第１報告モードおよび第２報告モードを含み、上記第１報告モードにおいて上記ＵＥによって上記チャネル品質情報を報告するためのビット数は、上記第２報告モードにおいて上記ＵＥによって上記チャネル品質情報を報告するためのビット数より大きい、または、それに等しい、項目１１または１２に記載の方法。
（項目１４）
上記第１報告モードは非差分報告モードであり、上記第２報告モードは差分報告モードである、項目１３に記載の方法。
（項目１５）
上記ＵＥが上記報告方式を使用して上記チャネル品質情報を上記基地局へ報告する上記段階は、
上記ＵＥが、上記報告方式を使用して、物理チャネルで上記チャネル品質情報を上記基地局へ報告する段階であって、上記物理チャネルは、物理アップリンク制御チャネルおよび物理アップリンク共有チャネルのうちの少なくとも１つを含む、段階を含む、項目１１から１４のいずれか一項に記載の方法。
（項目１６）
上記報告方式は少なくとも上記報告粒度を含み、上記報告粒度は第１報告粒度および第２報告粒度を含み、上記第１報告粒度は、上記物理アップリンク制御チャネルでの上記ＵＥによる上記チャネル品質情報の報告の報告粒度であり、上記第２報告粒度は、上記物理アップリンク共有チャネルでの上記ＵＥによる上記チャネル品質情報の報告の報告粒度である、項目１５に記載の方法。
（項目１７）
上記第１報告粒度は、上記第２報告粒度より大きい、または、それに等しい、項目１６に記載の方法。
（項目１８）
上記報告方式は予め定義される、項目１１から１７のいずれか一項に記載の方法。
（項目１９）
ＵＥが、上記ＵＥによるチャネル品質情報の報告の報告方式を取得する上記段階は、
上記ＵＥが、上記チャネル品質情報に基づいて上記報告方式を決定する段階であって、上記ＵＥによって上記基地局へ報告される上記チャネル品質情報は、上記報告方式の指示情報を更に含む、段階を含む、項目１１から１７のいずれか一項に記載の方法。
（項目２０）
ＵＥが、上記ＵＥによるチャネル品質情報の報告の報告方式を取得する上記段階は、
上記ＵＥが、上記基地局によって構成される上記報告方式を受信する段階を含む、項目１１から１７のいずれか一項に記載の方法。
（項目２１）
上記ＵＥが、上記基地局によって構成される上記報告方式を受信する上記段階は、
上記ＵＥが、上記基地局によって送信された上位層シグナリングおよび／または物理層制御シグナリングを受信する段階であって、上記上位層シグナリングまたは上記物理層制御シグナリングは、上記報告方式を含む、段階を含む、項目２０に記載の方法。
（項目２２）
取得モジュール、受信モジュールおよび復調モジュールを備える基地局であって、
上記取得モジュールは、ユーザ機器ＵＥによるチャネル品質情報の報告の報告方式を決定するよう構成され、
上記受信モジュールは、上記ＵＥによって報告される上記チャネル品質情報を受信するよう構成され、上記チャネル品質情報は、上記ＵＥが上記報告方式を使用することによって報告するものであり、
上記復調モジュールは、上記報告方式に基づき、上記受信モジュールによって受信された上記チャネル品質情報を復調するよう構成される、
基地局。
（項目２３）
上記報告方式は、報告粒度、報告範囲および報告モードのうちの少なくとも１つを含む、項目２２に記載の基地局。
（項目２４）
上記報告モードは、第１報告モードおよび第２報告モードを含み、上記第１報告モードにおいて上記ＵＥによって上記チャネル品質情報を報告するためのビット数は、上記第２報告モードにおいて上記ＵＥによって上記チャネル品質情報を報告するためのビット数より大きい、または、それに等しい、項目２３に記載の基地局。
（項目２５）
上記第１報告モードは非差分報告モードであり、上記第２報告モードは差分報告モードである、項目２４に記載の基地局。
（項目２６）
上記受信モジュールは具体的には、上記ＵＥによって報告される上記チャネル品質情報を物理チャネルから受信するよう構成され、上記物理チャネルは、物理アップリンク制御チャネルおよび物理アップリンク共有チャネルのうちの少なくとも１つを含む、項目２２から２５のいずれか一項に記載の基地局。
（項目２７）
上記報告方式は少なくとも上記報告粒度を含み、上記報告粒度は第１報告粒度および第２報告粒度を含み、上記第１報告粒度は、上記物理アップリンク制御チャネルでの上記ＵＥによる上記チャネル品質情報の報告の報告粒度であり、上記第２報告粒度は、上記物理アップリンク共有チャネルでの上記ＵＥによる上記チャネル品質情報の報告の報告粒度である、項目２６に記載の基地局。
（項目２８）
上記第１報告粒度は、上記第２報告粒度より大きい、または、それに等しい、項目２７に記載の基地局。
（項目２９）
上記報告方式は予め定義される、項目２２から２８のいずれか一項に記載の基地局。
（項目３０）
構成モジュールを更に備え、
上記構成モジュールは、上記ＵＥのために上記報告方式を構成するよう構成される、項目２２から２８のいずれか一項に記載の基地局。
（項目３１）
上記構成モジュールは具体的には、上位層シグナリングおよび／または物理層制御シグナリングを上記ＵＥへ送信するよう構成され、上記上位層シグナリングまたは上記物理層制御シグナリングは、上記報告方式の指示情報を含み、上記指示情報は、上記ＵＥによる上記チャネル品質情報の報告の上記報告方式を指示するために使用される、項目３０に記載の基地局。
（項目３２）
ユーザ機器ＵＥであって、
取得モジュールおよび報告モジュールを備え、
上記取得モジュールは、上記ＵＥによるチャネル品質情報の報告の報告方式を取得するよう構成され、
上記報告モジュールは、上記報告方式を使用して上記チャネル品質情報を上記基地局へ報告するよう構成される、
ＵＥ。
（項目３３）
上記報告方式は、報告粒度、報告範囲および報告モードのうちの少なくとも１つを含む、項目３２に記載のＵＥ。
（項目３４）
上記報告モードは、第１報告モードおよび第２報告モードを含み、上記第１報告モードにおいて上記ＵＥによって上記チャネル品質情報を報告するためのビット数は、上記第２報告モードにおいて上記ＵＥによって上記チャネル品質情報を報告するためのビット数より大きい、または、それに等しい、項目３２または３３に記載のＵＥ。
（項目３５）
上記第１報告モードは非差分報告モードであり、上記第２報告モードは差分報告モードである、項目３４に記載のＵＥ。
（項目３６）
上記報告モジュールは具体的には、上記報告方式を使用して、物理チャネルで上記チャネル品質情報を上記基地局へ報告するよう構成され、上記物理チャネルは、物理アップリンク制御チャネルおよび物理アップリンク共有チャネルのうちの少なくとも１つを含む、
項目３２から３５のいずれか一項に記載のＵＥ。
（項目３７）
上記報告方式は少なくとも上記報告粒度を含み、上記報告粒度は第１報告粒度および第２報告粒度を含み、上記第１報告粒度は、上記物理アップリンク制御チャネルでの上記ＵＥによる上記チャネル品質情報の報告の報告粒度であり、上記第２報告粒度は、上記物理アップリンク共有チャネルでの上記ＵＥによる上記チャネル品質情報の報告の報告粒度である、項目３６に記載のＵＥ。
（項目３８）
上記第１報告粒度は、上記第２報告粒度より大きい、または、それに等しい、項目３７に記載のＵＥ。
（項目３９）
上記報告方式は予め定義される、項目３２から３８のいずれか一項に記載のＵＥ。
（項目４０）
上記取得モジュールは具体的には、上記チャネル品質情報に基づいて上記報告方式を決定するよう構成され、
上記報告モジュールによって上記基地局へ報告される上記チャネル品質情報は、上記報告方式の指示情報を更に含む、
項目３２から３８のいずれか一項に記載のＵＥ。
（項目４１）
上記取得モジュールは具体的には、上記基地局によって構成される上記報告方式を受信するよう構成される、項目３２から３８のいずれか一項に記載のＵＥ。
（項目４２）
上記取得モジュールは具体的には、上記基地局によって送信される上位層シグナリングおよび／または物理層制御シグナリングを受信するよう構成され、上記上位層シグナリングまたは上記物理層制御シグナリングは、上記報告方式の指示情報を含み、上記指示情報は、上記ＵＥによる上記チャネル品質情報の報告の上記報告方式を指示するために使用される、項目４１に記載のＵＥ。
（項目４３）
プロセッサ、トランシーバおよびメモリを備える基地局であって、
上記メモリは、コンピュータ実行可能命令を記憶するよう構成され、上記基地局が動作するとき、上記プロセッサは、上記メモリに記憶された上記コンピュータ実行可能命令を実行し、その結果、上記基地局は、項目１から１０のいずれか一項に記載のチャネル品質情報報告方法を実行する、
基地局。
（項目４４）
プロセッサ、トランシーバおよびメモリを備えるユーザ機器ＵＥであって、
上記メモリは、コンピュータ実行可能命令を記憶するよう構成され、上記ＵＥが動作するとき、上記プロセッサは、上記メモリに記憶された上記コンピュータ実行可能命令を実行し、その結果、上記ＵＥは、項目１１から２１のいずれか一項に記載のチャネル品質情報報告方法を実行する、
ＵＥ。
（項目４５）
コンピュータ命令を備えるコンピュータ可読記憶媒体であって、上記コンピュータ命令が基地局で動作するとき、上記基地局は、項目１から１０のいずれか一項に記載のチャネル品質情報報告方法を実行する、コンピュータ可読記憶媒体。
（項目４６）
コンピュータ命令を備えるコンピュータ可読記憶媒体であって、上記コンピュータ命令がユーザ機器ＵＥで動作するとき、上記ＵＥは、項目１１から２１のいずれか一項に記載のチャネル品質情報報告方法を実行する、コンピュータ可読記憶媒体。
（項目４７）
命令を備えるコンピュータプログラム製品であって、上記コンピュータプログラム製品が基地局で動作するとき、上記基地局は、項目１から１０のいずれか一項に記載のチャネル品質情報報告方法を実行する、コンピュータプログラム製品。
（項目４８）
命令を備えるコンピュータプログラム製品であって、上記コンピュータプログラム製品がユーザ機器ＵＥで動作するとき、上記ＵＥは、項目１１から２１のいずれか一項に記載のチャネル品質情報報告方法を実行する、コンピュータプログラム製品。
（項目４９）
基地局およびユーザ機器ＵＥを備える通信システムであって、上記基地局は、項目２２から３１または４３のいずれか一項に記載の基地局であり、上記ＵＥは、項目３２から４２または項目４４のいずれか一項に記載のＵＥである、通信システム。
【国際調査報告】
2019530369.tif 000013
2019530369.tif 000014
2019530369.tif 000015
2019530369.tif 000016